(57)【要約】  この光学的情報記録再生装置は、追記型光ディスク媒体へ高速書き込みを行う際、記録パワー変調時のレーザ立上がり時間等の影響等に対して、記録パワーとパルス時間幅を制御して良好な信号品質を得るために、少なくとも記録パルス列の時間幅を効率よくかつ精度よく決定することを目的とし、少なくとも第１の記録マーク長を含むテストパターンを生成する変調手段１０３と、生成されたテストパターンを少なくとも第１の記録マーク長に対応したそれぞれ時間幅の異なる試し書き用記録パルスを含む記録パルス列に変換する記録パルス列変換手段１０４と、光照射手段１０６と、所定領域から得られた再生信号に基づいて取得した第１の信号指標と記録パワーとの関係を第１の信号指標特性として保持する再生信号処理手段１０９と、第１の記録マーク長の記録パルスの所望の時間幅を求める記録条件演算手段１１１とを備える。
2008139714.tif 000002
【特許請求の範囲】
【請求項１】
光学的情報記録媒体に、レーザ光の記録パワー及び記録パルスの所望の時間幅により情報を記録する情報記録方法であって、
少なくとも第１の記録マーク長を含むテストパターンを生成するテストパターン生成ステップと、
前記生成されたテストパターンを、少なくとも前記第１の記録マーク長に対応したそれぞれ時間幅の異なる試し書き用記録パルスを含む記録パルス列に変換する記録パルス列変換ステップと、
前記レーザ光を制御することにより前記記録パワーを順次変更し、前記光学的情報記録媒体の所定領域に前記テストパターンを記録する記録ステップと、
前記所定領域から得られた再生信号に基づいて、前記変更されたそれぞれの記録パワーに対応した少なくとも第１の信号指標を前記時間幅の異なる各試し書き用記録パルス毎に取得し、前記取得した第１の信号指標と前記記録パワーとの関係を第１の信号指標特性として保持する再生ステップと、
（ａ）前記記録パワーと、（ｂ）前記時間幅の異なる試し書き用記録パルス毎に保持される前記第１の信号指標特性から、推奨された第１の信号指標を用いて求めた各ターゲット記録パワーと、（ｃ）前記異なる各時間幅と、を利用して、予め定めたルールに基づいて前記第１の記録マーク長の記録パルスの前記所望の時間幅を求める処理ステップと、
を備えた情報記録方法。
【請求項２】
前記テストパターン生成ステップは、前記テストパターンとして、前記第１の記録マーク長より長い第２の記録マーク長を更に含むテストパターンを生成し、
前記記録パルス列変換ステップは、前記記録パルス列として、前記第２の記録マーク長に対応した第２の試し書き用記録パルスを更に含む記録パルス列に変換し、
前記再生ステップは、前記再生信号の内、前記第２の試し書き用記録パルスに対応する部分に基づいて、前記それぞれの記録パワーに応じた第２の信号指標を取得し、前記取得した第２の信号指標と前記記録パワーとの関係を第２の信号指標特性として保持し、
前記処理ステップは、前記第２の信号指標特性に基づいて、前記第１の記録マーク長の記録パルスに用いる所望の記録パワーを前記記録パワーとして求める、請求の範囲第１項記載の情報記録方法。
【請求項３】
前記第１の信号指標は、前記再生信号のアシンメトリ又はβ値であり、
前記第２の信号指標は、前記再生信号の変調度であり、
前記再生ステップは、前記第１の信号指標を、前記時間幅の異なる各試し書き用記録パルス毎に取得する際、前記時間幅の異なる各試し書き用記録パルスの再生信号と、前記第２の試し書き用記録パルスの再生信号とを利用する、請求の範囲第２項記載の情報記録方法。
【請求項４】
前記第１の信号指標は、前記第１の記録マーク長の再生信号レベルと、未記録状態の部位での反射光の再生信号レベルとを利用して得られる信号指標である、請求の範囲第１項記載の情報記録方法。
【請求項５】
前記時間幅の異なる試し書き用記録パルスのそれぞれの幅をＴｔ１，Ｔｔ２とし、それぞれの前記ターゲット記録パワーをＰｗｔ１，Ｐｗｔ２とした場合、前記処理ステップは、下記の式１の関係が成り立つことを利用して、定数Ｃ１，Ｃ２を求める請求の範囲第１項記載の情報記録方法。
Ｐｗｔ＝Ｃ１／Ｔｔ＋Ｃ２・・・式１（ただし、Ｃ１，Ｃ２は定数）
【請求項６】
前記予め定めたルールに基づいて前記第１の記録マーク長の記録パルスの前記所望の時間幅を求めるとは、
前記所望の時間幅をＴｔｏとし、前記所望の記録パワーをＰｗｏとした場合、下記の式５を用いて、前記Ｔｔｏを求めることである、請求の範囲第５項記載の情報記録方法。
Ｔｔｏ＝Ｔｔ１×Ｔｔ２×（Ｐｗｔ１−Ｐｗｔ２）／｛Ｐｗｏ×（Ｔｔ２−Ｔｔ１）−（Ｔｔ２×Ｐｗｔ２−Ｔｔ１×Ｐｗｔ１）｝・・・・式５
【請求項７】
前記テストパターンは、前記第１の記録マーク長に対応して前記レーザの照射の制御により形成されるマークとスペースの繰り返し信号と、前記第２の記録マーク長に対応して前記レーザの照射の制御により形成されるマークとスペースの繰り返し信号とを含む、請求の範囲第２項記載の情報記録方法。
【請求項８】
前記第１の記録マーク長は、最短長さ２Ｔの記録マーク長であり、
前記テストパターンは、２Ｔのマークと２Ｔのスペースの繰り返し信号と、前記第２のマーク長に対応した５Ｔ〜９Ｔのうち少なくとも１つの長さのマークとスペースの繰り返し信号とを含む、請求の範囲第７項記載の情報記録方法。
【請求項９】
前記第１の記録マーク長は、最短長さの記録マーク長を３Ｔと表した場合に３Ｔの記録マーク長であり、
前記テストパターンは、３Ｔのマークと３Ｔのスペースの繰り返し信号と、前記第２のマーク長に対応した６Ｔ〜１４Ｔのうち少なくとも１つの長さのマークとスペースの繰り返し信号とを含む、請求の範囲第７項記載の情報記録方法。
【請求項１０】
前記テストパターンは、前記各マーク長の出現頻度が実質上一定のランダム信号である、請求の範囲第２項記載の情報記録方法。
【請求項１１】
前記テストパターンは、１７ＰＰ変調あるいは８−１６変調された任意のランダム信号である、請求の範囲第２項記載の情報記録方法。
【請求項１２】
前記記録ステップでは、前記記録パワーを変えながら複数の前記テストパターンを連続して記録し、
前記再生ステップでは、前記複数のテストパターンを連続して再生する、請求の範囲第１項記載の情報記録方法。
【請求項１３】
基準時間幅をＴｗとし、前記第１の記録マーク長の時間幅は、Ｔｗ／１６の整数倍単位（ｎ：整数）に正規化して設定する、請求の範囲第１項記載の情報記録方法。
【請求項１４】
光学的情報記録媒体に、少なくとも異なる第１、第２及び第３の線速度Ｌｖ１、Ｌｖ２、Ｌｖ３（但し、Ｌｖ１＜Ｌｖ２＜Ｌｖ３）で情報を記録する情報記録方法であって、
請求の範囲第１項から第１３項の何れかに記載の情報記録方法を利用して前記所望の時間幅に対応する情報として、少なくとも前記第１及び第２の線速度Ｌｖ１、Ｌｖ２における正規化された最適記録パルス幅ｎｖ１およびｎｖ２に関する値を求めるステップと、
前記正規化された最適記録パルス幅ｎｖ２に関する値が、（ａ）予め定められた基準値以上であれば、前記第１の線速度Ｌｖ１でのターゲット記録パワーＰｗｔと前記記録パルスの時間幅Ｔｔとの所定の関係を用いて前記正規化された最適記録パルス幅ｎｖ２に関する値に対応するターゲット記録パワーＰｗｔ１２を求め、（ｂ）前記基準値未満であれば、前記第１の線速度Ｌｖ１でのターゲット記録パワーＰｗｔと前記記録パルスの時間幅Ｔｔとの所定の関係を用いて前記第３の線速度における正規化された最適記録パルス幅ｎｖ３に関する値に対応するターゲット記録パワーＰｗｔ１３を求め、且つ、前記第２の線速度Ｌｖ２でのターゲット記録パワーＰｗｔと前記記録パルスの時間幅Ｔｔとの所定の関係を用いて前記最適記録パルス幅ｎｖ３に関する値に対応するターゲット記録パワーＰｗｔ２３を求めるターゲット記録パワー取得ステップと、
前記求めたターゲット記録パワーを利用して、前記第３の線速度Ｌｖ３での最適記録パワーを求める最適記録パワー取得ステップと、
を備えた情報記録方法。
【請求項１５】
前記記録パルスの時間幅Ｔｔは、前記第１の記録マーク長に対応したそれぞれ時間幅の異なる試し書き用記録パルスの時間幅Ｔｔであり、
前記所定の関係とは、前記時間幅の異なる各試し書き用記録パルスの時間幅Ｔｔと、前記Ｔｔに対応するターゲット記録パワーＰｗｔとが、下記の式１を満たす関係である、請求の範囲第１４項記載の情報記録方法。
Ｐｗｔ＝Ｃ１／Ｔｔ＋Ｃ２・・・式１（ただし、Ｃ１，Ｃ２は定数）
【請求項１６】
前記正規化された最適記録パルス幅ｎｖ２が、前記予め定められた基準値以上であれば、前記第３の線速度Ｌｖ３における正規化された最適パルス幅ｎｖ３を、ｎｖ３＝ｎｖ２＞ｎｖ１となる整数ｎｖ３として決定する、請求の範囲第１４項記載の情報記録方法。
【請求項１７】
前記第３の線速度Ｌｖ３の最適記録パルス幅ｎｖ３は、Ｔｗ／１６×ｎｖ３≧２［ｎｓ］の条件を満たす、請求の範囲第１４項から第１６項のいずれかに記載の情報記録方法。
【請求項１８】
前記第３の線速度Ｌｖ３で記録する際のチャネルクロックは３３０ＭＨｚ以上である、請求の範囲第１４項から第１６項のいずれかに記載の情報記録方法。
【請求項１９】
請求の範囲第１項から第１４項の何れかに記載の情報記録方法に使用される前記光学的情報記録媒体であって、
前記光学的情報記録媒体への情報の記録は、第１，第２及び第３の線速度Ｌｖ１、Ｌｖ２、Ｌｖ３（但し、Ｌｖ１＜Ｌｖ２＜Ｌｖ３）で行われるものであり、
最短マーク記録時の前記記録パルス列のピークパワーレベルの推奨パルス時間幅を、Ｔｔ＝ｎ×Ｔｗ／１６とあらわし（ｎは正の整数）、前記第１の線速度での推奨パルス幅をｎ１、前記第２の線速度での推奨パルス幅をｎ２、および前記第３の線速度での推奨パルス幅をｎ３としたとき、前記ｎ１、ｎ２、ｎ３の値が、前記光学的情報記録媒体のディスク管理領域にあらかじめ記載されている、光学的情報記録媒体。
【請求項２０】
前記３つ推奨パルス幅が、ｎ１＝ｎ２＝ｎ３である、請求の範囲第１９項記載の光学的情報記録媒体。
【請求項２１】
前記３つ推奨パルス幅が、ｎ２／ｎ１＝ｎ３／ｎ２である、請求の範囲第１９項記載の光学的情報記録媒体。
【請求項２２】
前記３つ推奨パルス幅が、ｎ３＝ｎ２≧ｎ１である、請求の範囲第１９項記載の光学的情報記録媒体。
【請求項２３】
前記第３の線速度の推奨パルス幅の値ｎ３は、Ｔｗ／１６×ｎ３≧２［ｎｓ］の条件を満たす、請求の範囲第１９項記載の光学的情報記録媒体。
【請求項２４】
光学的情報記録媒体に、レーザ光の記録パワー及び記録パルスの所望の時間幅により情報を記録する光学的情報記録再生装置であって、
少なくとも第１の記録マーク長を含むテストパターンを生成する変調部と、
前記生成されたテストパターンを、少なくとも前記第１の記録マーク長に対応したそれぞれ時間幅の異なる試し書き用記録パルスを含む記録パルス列に変換する記録パルス列変換部と、
前記レーザ光を制御することにより前記記録パワーを順次変更し、前記光学的情報記録媒体の所定領域に前記テストパターンを記録する光照射部と、
前記所定領域から得られた再生信号に基づいて、前記変更されたそれぞれの記録パワーに対応した少なくとも第１の信号指標を前記時間幅の異なる各試し書き用記録パルス毎に取得し、前記取得した第１の信号指標と前記記録パワーとの関係を第１の信号指標特性として保持する再生信号処理部と、
（ａ）前記記録パワーと、（ｂ）前記時間幅の異なる各試し書き用記録パルス毎に保持される前記第１の信号指標特性から、推奨された第１の信号指標を用いて求めた各ターゲット記録パワーと、（ｃ）前記異なる各時間幅と、を利用して、予め定めたルールに基づいて前記第１の記録マーク長の記録パルスの前記所望の時間幅を求める記録条件取得部と、
を備えた光学的情報記録再生装置。
【請求項２５】
前記変調部は、前記テストパターンとして、前記第１の記録マーク長より長い第２の記録マーク長を更に含むテストパターンを生成するものであり、
前記記録パルス列変換部は、前記記録パルス列として、前記第２の記録マーク長に対応した第２の試し書き用記録パルスを更に含む記録パルス列に変換するものであり、
前記再生信号処理部は、前記再生信号の内、前記第２の試し書き用記録パルスに対応する部分に基づいて、前記それぞれの記録パワーに応じた第２の信号指標を取得し、前記取得した第２の信号指標と前記記録パワーとの関係を第２の信号指標特性として保持するものであり、
前記記録条件取得部は、前記第２の信号指標特性に基づいて、前記第１の記録マーク長の記録パルスに用いる所望の記録パワーを前記記録パワーとして求めるものである、請求の範囲第２４項記載の光学的情報記録再生装置。
【請求項２６】
前記第１の信号指標は、前記再生信号のアシンメトリ又はβ値であり、
前記第２の信号指標は、前記再生信号の変調度であり、
前記再生信号処理部は、前記第１の信号指標を、前記時間の異なる各試し書き用記録パルス毎に取得する際、前記時間の異なる各試し書き用記録パルスの再生信号と、前記第２の試し書き用記録パルスの再生信号とを利用する、請求の範囲第２５項記載の光学的情報記録再生装置。
【請求項２７】
前記第１の信号指標は、前記第１の記録マーク長の再生信号レベルと、未記録状態の部位での反射光の再生信号レベルとを利用して得られる信号指標である、請求の範囲第２４項記載の光学的情報記録再生装置。
【請求項２８】
前記時間幅の異なる試し書き用記録パルスのそれぞれの幅をＴｔ１，Ｔｔ２とし、それぞれの前記ターゲット記録パワーをＰｗｔ１，Ｐｗｔ２とした場合、前記記録条件取得部は、下記の式１の関係が成り立つことを利用して、定数Ｃ１、Ｃ２を求める請求の範囲第２４項記載の光学的情報記録再生装置。  
Ｐｗｔ＝Ｃ１／Ｔｔ＋Ｃ２・・・式１（ただし、Ｃ１，Ｃ２は定数）
【請求項２９】
前記予め定めたルールに基づいて前記第１の記録マーク長の記録パルスの前記所望の時間幅を求めるとは、
前記所望の時間幅をＴｔｏとし、前記所望の記録パワーをＰｗｏとした場合、下記の式５を用いて、前記Ｔｔｏを求めることである、請求の範囲第２８項記載の光学的情報記録再生装置。
Ｔｔｏ＝Ｔｔ１×Ｔｔ２×（Ｐｗｔ１−Ｐｗｔ２）／｛Ｐｗｏ×（Ｔｔ２−Ｔｔ１）−（Ｔｔ２×Ｐｗｔ２−Ｔｔ１×Ｐｗｔ１）｝・・・・式５
【請求項３０】
請求の範囲第１項記載の情報記録方法の、（ａ）前記記録パワーと、（ｂ）前記時間幅の異なる各試し書き用記録パルス毎に保持される前記第１の信号指標特性から、推奨された第１の信号指標を用いて求めた各ターゲット記録パワーと、（ｃ）前記異なる各時間幅と、を利用して、予め定めたルールに基づいて前記第１の記録マーク長の記録パルスの前記所望の時間幅を求める処理ステップをコンピュータに実行させるプログラム。
【請求項３１】
請求の範囲第１４項記載の情報記録方法の、前記正規化された最適記録パルス幅ｎｖ２に関する値が、（ａ）予め定められた基準値以上であれば、前記第１の線速度Ｌｖ１でのターゲット記録パワーＰｗｔと前記記録パルスの時間幅Ｔｔとの所定の関係を用いて前記正規化された最適記録パルス幅ｎｖ２に関する値に対応するターゲット記録パワーＰｗｔ１２を求め、（ｂ）前記基準値未満であれば、前記第１の線速度Ｌｖ１でのターゲット記録パワーＰｗｔと前記記録パルスの時間幅Ｔｔとの所定の関係を用いて前記第３の線速度における正規化された最適記録パルス幅ｎｖ３に関する値に対応するターゲット記録パワーＰｗｔ１３を求め、且つ、前記第２の線速度Ｌｖ２でのターゲット記録パワーＰｗｔと前記記録パルスの時間幅Ｔｔとの所定の関係を用いて前記最適記録パルス幅ｎｖ３に関する値に対応するターゲット記録パワーＰｗｔ２３を求めるターゲット記録パワー取得ステップと、
前記求めたターゲット記録パワーを利用して、前記第３の線速度Ｌｖ３での最適記録パワーを求める最適記録パワー取得ステップと、をコンピュータに実行させるプログラム。
【請求項３２】
請求の範囲第３０項又は第３１項記載のプログラムを記録した記録媒体であって、コンピュータにより処理可能な記録媒体。
【発明の詳細な説明】
【技術分野】
【０００１】
本発明は光ディスクにレーザ光を照射して未記録部とは物理的性質の異なるマークを形成することによって情報を記録する情報記録方法と、光ディスク記録再生装置および、光ディスク媒体に関するものである。特にＢＤ−Ｒとよばれる追記型光ディスク媒体に高速で記録するための情報記録方法及び光学的情報記録再生装置及びそれに用いる光学的情報記録媒体などに関する。
【背景技術】
【０００２】
高密度・大容量の記憶媒体として、ピット状パターンを有する光ディスクを用いる光メモリ技術は、ブルーレイ・ディスク（ＢＤ）、デジタル・バーサタイト・ディスク（ＤＶＤ）、ビデオディスク、文書ファイルディスク、さらにはデータファイルと用途を拡張しつつ、実用化されてきている。特にＤＶＤ−Ｒ／ＢＤ−Ｒなどのライトワンスと呼ばれる追記型光ディスクの市場ではその要請が高まっている。追記型の光ディスクの記録材料の一例としては、特許文献１にＴｅ−Ｏ−Ｍ（但し、Ｍは金属元素、半金属元素及び半導体元素から選ばれる少なくとも一つの元素である。）を含有する材料を用いた開示がある。記録材料がＴｅ−Ｏ−Ｍとは、Ｔｅ、Ｏ及びＭを含有する材料であり、成膜直後でＴｅＯ２のマトリクス中にＴｅ、Ｔｅ−Ｍ及びＭの微粒子が一様にランダムに分散された複合材料である。この記録材料によって形成された膜にレーザ光を照射すると、膜の溶融が起こり、粒径の大きいＴｅ或いはＴｅ−Ｍの結晶が析出する。この際の光学状態の違いを信号として検出することができ、これにより１回のみ書き込み可能な、いわゆる追記型の記録が可能となる。【０００３】
追記型光ディスクに照射するレーザパワーやライトストラテジを最適化する方法としては、特許文献２および３で示された方法がある。これらの文献に開示されている方法では、光記録媒体の初期値記録領域の中に、推奨記録パワーや書き込み時の光波形を記述したライトストラテジの情報が記録されている。光ディスク装置は、前記初期値情報を手掛かりに任意のタイミングで記録パワーの学習することができる。【０００４】
特に近年では、大容量の光ディスク対応のコンピュータ周辺機器および光ディスク録画機においては、高速転送レートでの記録が強く要望されている。高速転送レートを得るためには、ディスク回転数（あるいは線速度）を上げる必要があり、これに伴って記録時のレーザパワーをも引き上げる必要がある。しかしながら、一般的にレーザ光の照射により記録膜の結晶、非結晶の間の相変化を起こす光ディスクにおいては、線速度が高速化するにつれて、形成される記録マークの状態が変化する。つまり、記録マーク形成に必要な先頭加熱パルスによる熱容量の不足が発生したり、最適な分解温度に対して到達する加熱温度が異なって記録マークの平均長がばらついたり、最適な加熱パルスのデューティ比が異なって均一な記録マーク幅が得られなくなり記録マーク長に応じて太りや細り（いわゆる涙型マーク）が生じたりして、ジッタが悪化してしまうという課題がある。そこで、線速度の向上に応じて記録パルスのパルス幅や記録パワーを最適化する必要がある。【０００５】
また、高速転送レートで記録するためには、従来のＣＬＶ（Ｃｏｎｓｔａｎｔ  Ｌｉｎｅａｒ  Ｖｅｌｏｃｉｔｙ）方式とよばれる、トラック半径に反比例した回転数になるよう光ディスクの回転速度を制御し、トラック線速度を一定にしながら、一定の記録チャネルクロックの周波数で情報の記録を行っている方式に代わって、ＣＡＶ（Ｃｏｎｓｔａｎｔ  Ａｎｇｕｌａｒ  Ｖｅｌｏｃｉｔｙ）方式で光ディスクに記録することが行われる。ＣＡＶ方式の場合、光ディスクに記録するチャネルクロックの周波数を、トラックの半径位置に比例させて、内周側で小さく、外周側で大きくさせる。この場合、記録線速度は内周側で遅く、外周側で早くなるが記録線密度は一定である。【０００６】
例えば、ＢＤの８倍速（８Ｘ）に相当するような高速転送レートの記録をＣＬＶ方式で行おうとすると、光ディスクの内周でスピンドルモータの回転数が、基板材料であるプラスチックの破断限界から安全性を考慮して決まっている実用上の限界回転数である１００００ｒｐｍを超えることとなる。一方ＣＡＶ方式で最大回転数１００００ｒｐｍで記録する場合は、最内周でＢＤ５倍速（５Ｘ）、最外周でＢＤ１２Ｘ相当の高い転送レートを得ることができる。ＣＡＶ方式では、光ディスクを回転制御するスピンドルモータの回転変速制御が不要となり、小型で低コストのモータが使用できるようになる効果がある。また、変速を行わないため、シーク動作時の変速待ち時間が不要となりアクセス時間を大幅に短縮することができる。しかしながら、線速度が内周側から外周側にかけて徐々にかわるため、記録パルス列や記録パワーもそれに応じて適宜最適化する必要がある。【０００７】
これらの課題に対する解決策に関しては、特許文献４〜６に開示がある。特許文献４によれば、ジッタ特性を悪化させることなく、記録に必要なレーザパワーを低減させるために、光ディスクを一定の回転数で回転させながら、記録領域に応じて異なる基準クロックに基づき、ライトストラテジに応じて強度変調された光ビームを照射することによって、外周側の領域で内周側の領域より高い周波数で情報を記録する方法が開示されている。即ち、光ビームの各領域における線速度を変えながら、基準クロックの周波数の整数倍の周波数で周期的にパルス発光する光ビームを用い、かつ、外周側の領域に光ビームが照射される時に、内周側の領域に光ビームが照射されるときよりパルス発光のデューティ比を大きくするようにしている。また、特許文献５によれば、記録パルス列のトップパルスおよびラストパルスの位置をシフトさせることにより、記録時のマークの熱歪を解消し、各記録線速度で記録パルス列のパルス幅と記録パワーを最適化する方法が開示されている。また、特許文献６によれば、個々の光ディスクの全記録可能領域に対応する最適記録パワーを比較的短時間に求めるために、試し書き用領域において、少なくとも２つの位置にそれぞれの記録線速度で最適記録パワーを求め、補間ルーチンにより、求めた２つの記録線速度における最適記録パワーに対して内挿処理又は外挿処理を行うことにより、全ての記録線速度での最適記録光量を求める方法が開示されている。【０００８】
尚、下記の特許文献１〜６の全ての開示は、そっくりそのまま引用することにより、ここに一体化する。
【特許文献１】特開２００４−３６２７４８号公報
【特許文献２】特開２００３−１７３５６０号公報
【特許文献３】特開２０００−２５１２５４号公報
【特許文献４】特開平５−２７４６７８号公報
【特許文献５】国際公開第０３／１０７３３２号パンフレット
【特許文献６】特開平５−２２５５７０号公報
【発明の開示】
【発明が解決しようとする課題】
【０００９】
第１にＢＤ−Ｒのような追記型光ディスク媒体のようにレーザ光の照射熱量に応じて記録マークが形成される相変化光ディスクに高速での書き込み時には、チャネルクロック周波数が大きくなる。そのために、パルス状に変調したレーザ光のパルス時間幅が短くなるので、記録時のレーザの立上がり及び立下り時間の影響が大きくなり、記録パルス列の時間幅をコントロールすることが困難になる。また、記録時にレーザのパワー時間変化が速いために、設定したパワーの定常状態に落ち着く前にオーバーシュートやアンダーシュートの影響をうけ、精度よく記録パワーをコントロールすることが困難になる。即ち、記録パルス幅や、記録パワーを正確にコントロールして良好な記録信号品質を維持することが困難であるという課題がある。【００１０】
また、光ディスクの内周部に試し記録領域が存在するが、外周部に試し記録領域が存在しない光ディスクにおいて、ＣＡＶ方式で記録を行う場合、内周と外周では回転数が同じであるが、外周が内周に比べ２．４倍の線速度である。このような場合、内周の遅い線速度では記録パワーや記録パルス幅を学習することが可能であるが、外周の速い線速度で、記録パワーや記録パルス幅の最適化をすることができないという課題がある。【００１１】
そこで本発明は、上記従来の情報記録方法の課題を考慮して、少なくとも最適な記録パルス時間幅を従来より精度良く決定することが出来る情報記録方法、光学的情報記録再生装置、それに用いる光学的情報記録媒体、プログラム、及び記録媒体を提供することを目的とする。【００１２】
また、本発明は、上記従来の情報記録方法の課題を考慮して、例えばＢＤ４倍速（チャネルクロック２６４ＭＨｚ）を超える高速転送レートで光ディスクに信号を記録する際に、良好な信号品質が得られる少なくとも記録パルスの時間幅を従来より精度よく決定することが出来る情報記録方法、光学的情報記録再生装置、それに用いる光学的情報記録媒体、プログラム、及び記録媒体を提供することを目的とする。
【課題を解決するための手段】
【００１３】
第１の本発明は、光学的情報記録媒体に、レーザ光の記録パワー及び記録パルスの所望の時間幅により情報を記録する情報記録方法であって、
少なくとも第１の記録マーク長を含むテストパターンを生成するテストパターン生成ステップと、
前記生成されたテストパターンを、少なくとも前記第１の記録マーク長に対応したそれぞれ時間幅の異なる試し書き用記録パルスを含む記録パルス列に変換する記録パルス列変換ステップと、
前記レーザ光を制御することにより前記記録パワーを順次変更し、前記光学的情報記録媒体の所定領域に前記テストパターンを記録する記録ステップと、
前記所定領域から得られた再生信号に基づいて、前記変更されたそれぞれの記録パワーに対応した少なくとも第１の信号指標を前記時間幅の異なる各試し書き用記録パルス毎に取得し、前記取得した第１の信号指標と前記記録パワーとの関係を第１の信号指標特性として保持する再生ステップと、
（ａ）前記記録パワーと、（ｂ）前記時間幅の異なる試し書き用記録パルス毎に保持される前記第１の信号指標特性から、推奨された第１の信号指標を用いて求めた各ターゲット記録パワーと、（ｃ）前記異なる各時間幅と、を利用して、予め定めたルールに基づいて前記第１の記録マーク長の記録パルスの前記所望の時間幅を求める処理ステップと、
を備えた情報記録方法である。【００１４】
また、第２の本発明は、前記テストパターン生成ステップは、前記テストパターンとして、前記第１の記録マーク長より長い第２の記録マーク長を更に含むテストパターンを生成し、
前記記録パルス列変換ステップは、前記記録パルス列として、前記第２の記録マーク長に対応した第２の試し書き用記録パルスを更に含む記録パルス列に変換し、
前記再生ステップは、前記再生信号の内、前記第２の試し書き用記録パルスに対応する部分に基づいて、前記それぞれの記録パワーに応じた第２の信号指標を取得し、前記取得した第２の信号指標と前記記録パワーとの関係を第２の信号指標特性として保持し、
前記処理ステップは、前記第２の信号指標特性に基づいて、前記第１の記録マーク長の記録パルスに用いる所望の記録パワーを前記記録パワーとして求める、上記第１の本発明の情報記録方法である。【００１５】
また、第３の本発明は、前記第１の信号指標は、前記再生信号のアシンメトリ又はβ値であり、
前記第２の信号指標は、前記再生信号の変調度であり、
前記再生ステップは、前記第１の信号指標を、前記時間幅の異なる各試し書き用記録パルス毎に取得する際、前記時間幅の異なる各試し書き用記録パルスの再生信号と、前記第２の試し書き用記録パルスの再生信号とを利用する、上記第２の本発明の情報記録方法である。【００１６】
また、第４の本発明は、前記第１の信号指標は、前記第１の記録マーク長の再生信号レベルと、未記録状態の部位での反射光の再生信号レベルとを利用して得られる信号指標である、上記第１の本発明の情報記録方法である。【００１７】
また、第５の本発明は、前記時間幅の異なる試し書き用記録パルスのそれぞれの幅をＴｔ１，Ｔｔ２とし、それぞれの前記ターゲット記録パワーをＰｗｔ１，Ｐｗｔ２とした場合、前記処理ステップは、下記の式１の関係が成り立つことを利用して、定数Ｃ１，Ｃ２を求める上記第１の本発明の情報記録方法である。【００１８】
Ｐｗｔ＝Ｃ１／Ｔｔ＋Ｃ２・・・式１（ただし、Ｃ１，Ｃ２は定数）
また、第６の本発明は、前記予め定めたルールに基づいて前記第１の記録マーク長の記録パルスの前記所望の時間幅を求めるとは、
前記所望の時間幅をＴｔｏとし、前記所望の記録パワーをＰｗｏとした場合、下記の式５を用いて、前記Ｔｔｏを求めることである、上記第５の本発明の情報記録方法である。【００１９】
Ｔｔｏ＝Ｔｔ１×Ｔｔ２×（Ｐｗｔ１−Ｐｗｔ２）／｛Ｐｗｏ×（Ｔｔ２−Ｔｔ１）−（Ｔｔ２×Ｐｗｔ２−Ｔｔ１×Ｐｗｔ１）｝・・・・式５
また、第７の本発明は、前記テストパターンは、前記第１の記録マーク長に対応して前記レーザの照射の制御により形成されるマークとスペースの繰り返し信号と、前記第２の記録マーク長に対応して前記レーザの照射の制御により形成されるマークとスペースの繰り返し信号とを含む、上記第２の本発明の情報記録方法である。【００２０】
また、第８の本発明は、前記第１の記録マーク長は、最短長さ２Ｔの記録マーク長であり、
前記テストパターンは、２Ｔのマークと２Ｔのスペースの繰り返し信号と、前記第２のマーク長に対応した５Ｔ〜９Ｔのうち少なくとも１つの長さのマークとスペースの繰り返し信号とを含む、上記第７の本発明の情報記録方法である。【００２１】
また、第９の本発明は、前記第１の記録マーク長は、最短長さの記録マーク長を３Ｔと表した場合に３Ｔの記録マーク長であり、
前記テストパターンは、３Ｔのマークと３Ｔのスペースの繰り返し信号と、前記第２のマーク長に対応した６Ｔ〜１４Ｔのうち少なくとも１つの長さのマークとスペースの繰り返し信号とを含む、上記第７の本発明の情報記録方法である。【００２２】
また、第１０の本発明は、前記テストパターンは、前記各マーク長の出現頻度が実質上一定のランダム信号である、上記第２の本発明の情報記録方法である。【００２３】
また、第１１の本発明は、前記テストパターンは、１７ＰＰ変調あるいは８−１６変調された任意のランダム信号である、上記第２の本発明の情報記録方法である。【００２４】
また、第１２の本発明は、前記記録ステップでは、前記記録パワーを変えながら複数の前記テストパターンを連続して記録し、
前記再生ステップでは、前記複数のテストパターンを連続して再生する、上記第１の本発明の情報記録方法である。【００２５】
また、第１３の本発明は、基準時間幅をＴｗとし、前記第１の記録マーク長の時間幅は、Ｔｗ／１６の整数倍単位（ｎ：整数）に正規化して設定する、上記第１の本発明の情報記録方法である。【００２６】
また、第１４の本発明は、光学的情報記録媒体に、少なくとも異なる第１、第２及び第３の線速度Ｌｖ１、Ｌｖ２、Ｌｖ３（但し、Ｌｖ１＜Ｌｖ２＜Ｌｖ３）で情報を記録する情報記録方法であって、
上記第１から１３の何れかの本発明の情報記録方法を利用して前記所望の時間幅に対応する情報として、少なくとも前記第１及び第２の線速度Ｌｖ１、Ｌｖ２における正規化された最適記録パルス幅ｎｖ１およびｎｖ２に関する値を求めるステップと、
前記正規化された最適記録パルス幅ｎｖ２に関する値が、（ａ）予め定められた基準値以上であれば、前記第１の線速度Ｌｖ１でのターゲット記録パワーＰｗｔと前記記録パルスの時間幅Ｔｔとの所定の関係を用いて前記正規化された最適記録パルス幅ｎｖ２に関する値に対応するターゲット記録パワーＰｗｔ１２を求め、（ｂ）前記基準値未満であれば、前記第１の線速度Ｌｖ１でのターゲット記録パワーＰｗｔと前記記録パルスの時間幅Ｔｔとの所定の関係を用いて前記第３の線速度における正規化された最適記録パルス幅ｎｖ３に関する値に対応するターゲット記録パワーＰｗｔ１３を求め、且つ、前記第２の線速度Ｌｖ２でのターゲット記録パワーＰｗｔと前記記録パルスの時間幅Ｔｔとの所定の関係を用いて前記最適記録パルス幅ｎｖ３に関する値に対応するターゲット記録パワーＰｗｔ２３を求めるターゲット記録パワー取得ステップと、
前記求めたターゲット記録パワーを利用して、前記第３の線速度Ｌｖ３での最適記録パワーを求める最適記録パワー取得ステップと、
を備えた情報記録方法である。【００２７】
また、第１５の本発明は、前記記録パルスの時間幅Ｔｔは、前記第１の記録マーク長に対応したそれぞれ時間幅の異なる試し書き用記録パルスの時間幅Ｔｔであり、
前記所定の関係とは、前記時間幅の異なる各試し書き用記録パルスの時間幅Ｔｔと、前記Ｔｔに対応するターゲット記録パワーＰｗｔとが、下記の式１を満たす関係である、上記第１４の本発明の情報記録方法である。【００２８】
Ｐｗｔ＝Ｃ１／Ｔｔ＋Ｃ２・・・式１（ただし、Ｃ１，Ｃ２は定数）
また、第１６の本発明は、前記正規化された最適記録パルス幅ｎｖ２が、前記予め定められた基準値以上であれば、前記第３の線速度Ｌｖ３における正規化された最適パルス幅ｎｖ３を、ｎｖ３＝ｎｖ２＞ｎｖ１となる整数ｎｖ３として決定する、上記第１４の本発明の情報記録方法である。【００２９】
また、第１７の本発明は、前記第３の線速度Ｌｖ３の最適記録パルス幅ｎｖ３は、Ｔｗ／１６×ｎｖ３≧２［ｎｓ］の条件を満たす、上記第１４から１６のいずれかの本発明の情報記録方法である。【００３０】
また、第１８の本発明は、前記第３の線速度Ｌｖ３で記録する際のチャネルクロックは３３０ＭＨｚ以上である、上記第１４から１７のいずれかの本発明の情報記録方法である。【００３１】
また、第１９の本発明は、上記第１から１４の何れかの本発明の情報記録方法に使用される前記光学的情報記録媒体であって、
前記光学的情報記録媒体への情報の記録は、第１，第２及び第３の線速度Ｌｖ１、Ｌｖ２、Ｌｖ３（但し、Ｌｖ１＜Ｌｖ２＜Ｌｖ３）で行われるものであり、
最短マーク記録時の前記記録パルス列のピークパワーレベルの推奨パルス時間幅を、Ｔｔ＝ｎ×Ｔｗ／１６とあらわし（ｎは正の整数）、前記第１の線速度での推奨パルス幅をｎ１、前記第２の線速度での推奨パルス幅をｎ２、および前記第３の線速度での推奨パルス幅をｎ３としたとき、前記ｎ１、ｎ２、ｎ３の値が、前記光学的情報記録媒体のディスク管理領域にあらかじめ記載されている、光学的情報記録媒体である。【００３２】
また、第２０の本発明は、前記３つ推奨パルス幅が、ｎ１＝ｎ２＝ｎ３である、上記第１９の本発明の光学的情報記録媒体である。【００３３】
また、第２１の本発明は、前記３つ推奨パルス幅が、ｎ２／ｎ１＝ｎ３／ｎ２である、上記第１９の本発明の光学的情報記録媒体である。【００３４】
また、第２２の本発明は、前記３つ推奨パルス幅が、ｎ３＝ｎ２≧ｎ１である、上記第１９の本発明の光学的情報記録媒体である。【００３５】
また、第２３の本発明は、前記第３の線速度の推奨パルス幅の値ｎ３は、Ｔｗ／１６×ｎ３≧２［ｎｓ］の条件を満たす、上記第１９の本発明の光学的情報記録媒体である。【００３６】
また、第２４の本発明は、光学的情報記録媒体に、レーザ光の記録パワー及び記録パルスの所望の時間幅により情報を記録する光学的情報記録再生装置であって、
少なくとも第１の記録マーク長を含むテストパターンを生成する変調部と、
前記生成されたテストパターンを、少なくとも前記第１の記録マーク長に対応したそれぞれ時間幅の異なる試し書き用記録パルスを含む記録パルス列に変換する記録パルス列変換部と、
前記レーザ光を制御することにより前記記録パワーを順次変更し、前記光学的情報記録媒体の所定領域に前記テストパターンを記録する光照射部と、
前記所定領域から得られた再生信号に基づいて、前記変更されたそれぞれの記録パワーに対応した少なくとも第１の信号指標を前記時間幅の異なる各試し書き用記録パルス毎に取得し、前記取得した第１の信号指標と前記記録パワーとの関係を第１の信号指標特性として保持する再生信号処理部と、
（ａ）前記記録パワーと、（ｂ）前記時間幅の異なる各試し書き用記録パルス毎に保持される前記第１の信号指標特性から、推奨された第１の信号指標を用いて求めた各ターゲット記録パワーと、（ｃ）前記異なる各時間幅と、を利用して、予め定めたルールに基づいて前記第１の記録マーク長の記録パルスの前記所望の時間幅を求める記録条件取得部と、
を備えた光学的情報記録再生装置である。【００３７】
また、第２５の本発明は、前記変調部は、前記テストパターンとして、前記第１の記録マーク長より長い第２の記録マーク長を更に含むテストパターンを生成するものであり、
前記記録パルス列変換部は、前記記録パルス列として、前記第２の記録マーク長に対応した第２の試し書き用記録パルスを更に含む記録パルス列に変換するものであり、
前記再生信号処理部は、前記再生信号の内、前記第２の試し書き用記録パルスに対応する部分に基づいて、前記それぞれの記録パワーに応じた第２の信号指標を取得し、前記取得した第２の信号指標と前記記録パワーとの関係を第２の信号指標特性として保持するものであり、
前記記録条件取得部は、前記第２の信号指標特性に基づいて、前記第１の記録マーク長の記録パルスに用いる所望の記録パワーを前記記録パワーとして求めるものである、上記第２４の本発明の光学的情報記録再生装置である。【００３８】
また、第２６の本発明は、前記第１の信号指標は、前記再生信号のアシンメトリ又はβ値であり、
前記第２の信号指標は、前記再生信号の変調度であり、
前記再生信号処理部は、前記第１の信号指標を、前記時間の異なる各試し書き用記録パルス毎に取得する際、前記時間の異なる各試し書き用記録パルスの再生信号と、前記第２の試し書き用記録パルスの再生信号とを利用する、上記第２５の本発明の光学的情報記録再生装置である。【００３９】
また、第２７の本発明は、前記第１の信号指標は、前記第１の記録マーク長の再生信号レベルと、未記録状態の部位での反射光の再生信号レベルとを利用して得られる信号指標である、上記第２４の本発明の光学的情報記録再生装置である。【００４０】
また、第２８の本発明は、前記時間幅の異なる試し書き用記録パルスのそれぞれの幅をＴｔ１，Ｔｔ２とし、それぞれの前記ターゲット記録パワーをＰｗｔ１，Ｐｗｔ２とした場合、前記記録条件取得部は、下記の式１の関係が成り立つことを利用して、定数Ｃ１、Ｃ２を求める上記第２４の本発明の光学的情報記録再生装置である。  【００４１】
Ｐｗｔ＝Ｃ１／Ｔｔ＋Ｃ２・・・式１（ただし、Ｃ１，Ｃ２は定数）
また、第２９の本発明は、前記予め定めたルールに基づいて前記第１の記録マーク長の記録パルスの前記所望の時間幅を求めるとは、
前記所望の時間幅をＴｔｏとし、前記所望の記録パワーをＰｗｏとした場合、下記の式５を用いて、前記Ｔｔｏを求めることである、上記第２８の本発明の光学的情報記録再生装置である。【００４２】
Ｔｔｏ＝Ｔｔ１×Ｔｔ２×（Ｐｗｔ１−Ｐｗｔ２）／｛Ｐｗｏ×（Ｔｔ２−Ｔｔ１）−（Ｔｔ２×Ｐｗｔ２−Ｔｔ１×Ｐｗｔ１）｝・・・・式５
また、第３０の本発明は、上記第１の本発明の情報記録方法の、（ａ）前記記録パワーと、（ｂ）前記時間幅の異なる各試し書き用記録パルス毎に保持される前記第１の信号指標特性から、推奨された第１の信号指標を用いて求めた各ターゲット記録パワーと、（ｃ）前記異なる各時間幅と、を利用して、予め定めたルールに基づいて前記第１の記録マーク長の記録パルスの前記所望の時間幅を求める処理ステップをコンピュータに実行させるプログラムである。【００４３】
また、第３１の本発明は、上記第１４の本発明の情報記録方法の、前記正規化された最適記録パルス幅ｎｖ２に関する値が、（ａ）予め定められた基準値以上であれば、前記第１の線速度Ｌｖ１でのターゲット記録パワーＰｗｔと前記記録パルスの時間幅Ｔｔとの所定の関係を用いて前記正規化された最適記録パルス幅ｎｖ２に関する値に対応するターゲット記録パワーＰｗｔ１２を求め、（ｂ）前記基準値未満であれば、前記第１の線速度Ｌｖ１でのターゲット記録パワーＰｗｔと前記記録パルスの時間幅Ｔｔとの所定の関係を用いて前記第３の線速度における正規化された最適記録パルス幅ｎｖ３に関する値に対応するターゲット記録パワーＰｗｔ１３を求め、且つ、前記第２の線速度Ｌｖ２でのターゲット記録パワーＰｗｔと前記記録パルスの時間幅Ｔｔとの所定の関係を用いて前記最適記録パルス幅ｎｖ３に関する値に対応するターゲット記録パワーＰｗｔ２３を求めるターゲット記録パワー取得ステップと、
前記求めたターゲット記録パワーを利用して、前記第３の線速度Ｌｖ３での最適記録パワーを求める最適記録パワー取得ステップと、をコンピュータに実行させるプログラムである。【００４４】
また、第３２の本発明は、上記第３０又は３１の本発明のプログラムを記録した記録媒体であって、コンピュータにより処理可能な記録媒体である。【００４５】
また、第３３の本発明は、光学的情報記録媒体に、少なくとも異なる第１、第２及び第３の線速度Ｌｖ１、Ｌｖ２、Ｌｖ３（但し、Ｌｖ１＜Ｌｖ２＜Ｌｖ３）で情報を記録する情報記録方法であって、
記録パルスの所望の時間幅として、少なくとも前記第１及び第２の線速度Ｌｖ１、Ｌｖ２における規格化された最適記録パルス幅ｎｖ１およびｎｖ２に関する値を求めるステップと、
前記規格化された最適記録パルス幅ｎｖ２に関する値が、（ａ）予め定められた基準値以上であれば、前記第１の線速度Ｌｖ１でのターゲット記録パワーＰｗｔと前記記録パルスの時間幅Ｔｔとの所定の関係を用いて前記規格化された最適記録パルス幅ｎｖ２に関する値に対応するターゲット記録パワーＰｗｔ１２を求め、（ｂ）前記基準値未満であれば、前記第１の線速度Ｌｖ１でのターゲット記録パワーＰｗｔと前記記録パルスの時間幅Ｔｔとの所定の関係を用いて前記第３の線速度における規格化された最適記録パルス幅ｎｖ３に関する値に対応するターゲット記録パワーＰｗｔ１３を求め、且つ、前記第２の線速度Ｌｖ２でのターゲット記録パワーＰｗｔと前記記録パルスの時間幅Ｔｔとの所定の関係を用いて前記最適記録パルス幅ｎｖ３に関する値に対応するターゲット記録パワーＰｗｔ２３を求めるターゲット記録パワー取得ステップと、
前記求めたターゲット記録パワーを利用して、前記第３の線速度Ｌｖ３での最適記録パワーを求める最適記録パワー取得ステップと、
を備えた情報記録方法である。
【発明の効果】
【００４６】
以上説明したように、本発明によれば、少なくとも最適な記録パルス時間幅を従来より精度良く決定することが出来る情報記録方法、光学的情報記録再生装置、それに用いる光学的情報記録媒体、プログラム、及び記録媒体を提供することが出来る。【００４７】
また、本発明によれば、例えばＢＤ４倍速（チャネルクロック２６４ＭＨｚ）を超える高速転送レートで光ディスクに信号を記録する際に、良好な信号品質が得られる少なくとも記録パルスの時間幅を従来より精度よく決定することが出来る情報記録方法、光学的情報記録再生装置、それに用いる光学的情報記録媒体、プログラム、及び記録媒体を提供することが出来る。
【図面の簡単な説明】
【００４８】
【図１】本発明の一実施の形態の光学的情報記録再生装置の全体構成を説明する図
【図２】本発明の一実施の形態の光学的情報記録媒体の構成を説明する図
【図３】本発明の一実施の形態における変調信号と記録パルス列を説明する図
【図４】本発明の一実施の形態における４種類の記録パルス時間幅での、記録パワーと再生信号のアシンメトリの測定結果を説明する図
【図５】本発明の一実施の形態におけるターゲット記録パワーＰｗｔと正規化された２Ｔマークのパルス幅の逆数の関係を説明する図
【図６】本発明の一実施の形態における最適記録パワーと記録パルスの最適パルス時間幅を決定する手順を説明する図
【図７】本発明の一実施の形態におけるテストパターンを記録する際の記録ブロックを概念的（模式的）に説明する図
【図８】本発明の一実施の形態における変調信号と光ピックアップからの再生信号を説明する図
【図９】本発明の一実施の形態における記録パワーに対する再生信号の変調度の測定結果を説明する図
【図１０】本発明の一実施の形態における記録パワーに対する再生信号のアシンメトリの測定結果を説明する図
【図１１】本発明の一実施の形態における記録パワーに対する変調度とパワーの積の関係を説明する図
【図１２】（ａ）、（ｂ）：本発明の一実施の形態におけるβ値を説明する図
【図１３】本発明の一実施の形態における最適記録パワーと記録パルスの最適パルス時間幅を決定する手順の別の例を説明する図
【図１４】本発明の一実施の形態における記録パルス列の別の例を説明する図
【図１５】本発明の一実施の形態における異なる３つの線速度で記録する際のターゲット記録パワーと正規化されたパルス幅の逆数（１／ｎｖ）との関係を説明する図
【図１６】本発明の一実施の形態における異なる３つの線速度で記録する際のターゲット記録パワーと正規化されたパルス幅の逆数（１／ｎｖ）との関係を説明する図
【図１７】本発明の一実施の形態における異なる３つの線速度で最適記録パワーと記録パルスの最適パルス時間幅を決定する手順を説明する図
【符号の説明】
【００４９】
１０１    光ディスク
１０２    システム制御手段
１０３    変調手段
１０４    記録パルス列変換手段
１０５    レーザ駆動手段
１０６    光照射手段
１０７    回転制御手段
１０８    スピンドルモータ
１０９    再生信号処理手段
１１０    復調手段
１１１    記録条件演算手段
１００２    ＯＰＣ領域
１００３    ＰＩＣ領域
【発明を実施するための最良の形態】
【００５０】
以下、本発明の実施の形態を説明する。本実施の形態では記録媒体として追記型の相変化光ディスク特にＢＤ−Ｒ（追記型ブルーレイディスク）を例にとって説明する。これは記録媒体を特に限定するものではなく、記録媒体にエネルギーを注入して未記録部とは物理的性質の異なるマークを形成することによって情報を記録する記録媒体に共通の技術である。ブルーレイディスクの主な光学定数と物理フォーマットについては、「ブルーレイディスク読本」（オーム社出版）に記載がある。それによると、ＢＤ−Ｒの主なパラメータは、レーザ波長４０５ｎｍ、ＮＡ＝０．８５の対物レンズを用いており、ディスク構造はトラックピッチ０．３２μｍ、記録面がレーザ入射側から１層あるいは２層構成であり、情報記録面までの入射側厚みは７５μｍ〜１００μｍの相変化光ディスクである。変調方式は１７ＰＰ変調を利用し、記録されるマークの最短マーク長（２Ｔマーク）は０．１４９μｍである。記録容量は片面単層２５ＧＢ、同２層５０ＧＢである。チャネルクロック周波数はＢＤ標準速（１Ｘ）で６６ＭＨｚであり（ＢＤ４Ｘでは２６４ＭＨｚ、ＢＤ８Ｘでは５２８ＭＨｚに相当）線速度は標準線速度で４．９２ｍ／ｓｅｃである。【００５１】
図１は本発明による光学的情報記録再生装置の全体構成の一例を説明する図である。図１において１０１は光学的記録媒体（光ディスク）であるＢＤ−Ｒであり、図２は光学的情報記録媒体の構成を説明する図である。図２に示すように光ディスク（ＢＤ−Ｒ）の内周側からリードインゾーン１００４、データ領域１００１、リードアウトゾーン１００５が配置されている。リードインゾーン内には、ＯＰＣ領域１００２、ＰＩＣ（Ｐｅｒｍａｎｅｎｔ  Ｉｎｆｏｒｍａｔｉｏｎ  ＆  Ｃｏｎｔｒｏｌ  Ｄａｔａ）領域１００３が配置されている。ＯＰＣ領域１００２は、データ領域１００１にデータを記録する前に、ディスク毎に最適な記録パワーや記録パルス列の条件を試し記録により最適化するために用いられる領域である。また、光ディスク装置の個々のばらつきや、急激な温度変動などの環境変化が生じた際に、記録パワーや記録パルス列の変動分などを調整するために、試し記録を行う領域でもある。ＰＩＣ領域１００３は、溝を高速に変調することで、ディスク構造や推奨記録パワーを求めるのに必要なパラメータや記録パルス列の推奨値、記録線速度、再生条件などが記録されている再生専用領域である。ＰＩＣ領域の内周側には図示しないが、ＢＣＡ（Ｂｕｒｓｔ  Ｃｕｔｔｉｎｇ  Ａｒｅａ）とよばれるバーコード状の信号でメディア識別用の固有の番号が記録されており、著作権保護などの情報として用いられる。【００５２】
データ領域１００１は、実際に光ディスクにユーザが指定するデータを記録する領域でユーザ領域ともよばれる。【００５３】
リードアウトゾーン１００５は、試し記録のためのＯＰＣ領域や、再生専用のＰＩＣ領域はなくＩＮＦＯ領域とよばれる記録データの管理情報に関するデータが記録されている。図示しないが、ＩＮＦＯ領域は内周のリードインゾーン内にも設けられ、信頼性を高めるために外周と共通の情報が記録されている。【００５４】
また、各領域のディスク中心からの半径は、リードインゾーンが２２．２ｍｍ〜２４．０ｍｍ、データ領域が２４．０ｍｍ〜５８．０ｍｍ、リードアウトゾーンが５８．０ｍｍ〜５８．５ｍｍである。【００５５】
ＢＤ−ＲにＣＬＶ方式で４Ｘの速度で記録する場合、最内周のデータ領域では概略８０００ｒｐｍ、最外周のデータ領域では概略３２００ｒｐｍの回転数が必要である。また、ＢＤ−ＲにＣＬＶ方式で８Ｘで記録をする場合、最内周のデータ領域では概略１６０００ｒｐｍ、最外周のデータ領域では概略６４００ｒｐｍの回転数が必要となるが、内周ではスピンドルモータの回転数が１００００ｒｐｍを越えるためＣＡＶ方式で最大概略４Ｘの速度で書き込むこととなる。【００５６】
図１において、１０２は本発明の光学的情報記録再生装置全体を制御するシステム制御手段である。１０３はテストパターンに応じて２値化記録データ（ＮＲＺＩ）信号を発生させる変調手段、１０４はテストパターンのＮＲＺＩ信号からマーク長に応じてレーザをパルス状に発光させる記録パルス列に変換する記録パルス列変換手段、１０５はレーザ出力の制御と駆動を行うレーザ駆動手段である。１０６は光照射手段であり、光ディスク１０１に光ビームを照射するレーザダイオード１０６ａ（ＬＤ）と、検出レンズ１０６ｂと、光検出器１０６ｃを搭載している光ピックアップである。１０７は回転制御手段であり、光ディスク１０１上のレーザ照射半径位置に応じて、所望の線速度となるように１０８のスピンドルモータの回転数を制御する。その他、図示しないが、光スポットを指定したトラックにフォーカス、トラッキングするサーボ手段とを備える。次に再生動作について説明する。１０９は光ディスク１０１からの反射光を光検出器で受光し、受光した光の強弱に応じて出力される再生信号（電圧信号）の信号処理（波形等化、２値化、ビタビ復号等）および各種信号指標の計測を行う再生信号処理手段であり、１１０は２値化されたＮＲＺＩ信号から誤り訂正処理（ＥＣＣ）を施し、再生データを得る復調手段である。１１１は記録条件演算手段であり、１０９の再生信号処理手段の再生信号の変調度、アシンメトリ、β値、ジッタ、シンボルエラーレート（ＳＥＲ）等の各種信号指標をもとに、記録パワーや、記録パルス列の条件を最適化する演算処理を行う記録条件演算手段である。【００５７】
また、本発明で用いた光ディスク１０１は、追記型の片面２層のＢＤ−Ｒディスクである。記録膜材料がＴｅＯＰｄであり、本記録材料の特徴は、成膜直後でＴｅＯ２のマトリクス中にＴｅ、Ｔｅ−Ｐｄ及びＰｄの微粒子が一様にランダムに分散された複合材料である。この記録膜にレーザ光を照射すると、膜の溶融が起こり、粒径の大きいＴｅ或いはＴｅ−Ｐｄの結晶が析出する。この際の光学状態（反射率）の違いを信号として検出することができ、これにより１回のみ書き込み可能な、いわゆる追記型の記録が可能となる。このような追記型材料では、一定温度以上の熱エネルギーが記録膜に照射されると結晶化がおこり記録マークが形成される。すなわちレーザパワーと照射時間と線速度によってきまる単位面積あたりの注入熱エネルギーにより、記録されるマークのサイズがきまることを特徴とする追記型光ディスクに適した記録膜材料である。【００５８】
図３に本実施の形態の記録パルス列７０２と変調信号７０１を示す。記録パルス列変換手段は、変調手段からの７０１変調信号（ＮＲＺＩ）に応じて、２Ｔから９Ｔまでのマーク長毎の記録パルスに変換する。記録パルス列７０２において、７０３は２Ｔマーク記録時の第１の記録パルス（ＷＳ１）、７０４は２Ｔマーク記録時の第２の記録パルス（ＷＳ２）である。７０５は８Ｔマーク記録時の第３の記録パルス（ＷＳ３）である。記録パルスは、Ｐｗ≧Ｐｍ≧Ｐｓ≧Ｐｃとなる最大４値のパワーレベルで強度変調されている。図３において、最も照射強度の強い記録パワーであるピークパワー（Ｐｗ）で照射されている先頭パルスの時間幅をＴｔｉ（ｉ＝１、２、３）とし、Ｔｔｉの立上がり時間の基準クロック信号からのシフト量をｄＴｔｉ、中間パワー（Ｐｍ）から冷却パワー（Ｐｃ）へ切り替わる位置の基準クロックからのシフト量をｄＴＬｉ、冷却パワー（Ｐｃ）からスペースパワー（Ｐｓ）への切り替わり位置の基準クロックからのシフト量をｄＴｓｉとする。第２の記録パルス（ＷＳ２）の先頭パルスのパルス時間幅Ｔｔ２は、第１の記録パルス（ＷＳ１）の先頭パルスのパルス時間幅Ｔｔ１に対してパルス時間幅がαだけ異なる値の記録パルスである。先頭パルスのパルス時間幅Ｔｔｉは基準時間幅（Ｔｗ）のＴｗ／１６の整数倍の単位で正規化可能な値である。即ち、Ｔｔｉ＝ｎｉ×Ｔｗ／１６（ｎｉは０以上の整数）と表される。【００５９】
尚、本発明の「第１の記録マーク長」の一例が、２Ｔで表された記録マーク長（本願明細書では、２ＴをＭＬ２と表すこともある）に該当し、また、本発明の「第２の記録マーク長」の一例が、８Ｔで表された記録マーク長（本願明細書では、８ＴをＭＬ８と表すこともある）に該当する。【００６０】
また、本発明の「第１の記録マーク長に対応するそれぞれ時間幅の異なる試し書き用記録パルス」の一例が、上記第１の記録パルス（ＷＳ１）と第２の記録パルス（ＷＳ２）に該当する。【００６１】
また、本発明の「第２の記録マーク長に対応する試し書き用記録パルス」の一例が、上記第３の記録パルス（ＷＳ３）に該当する。【００６２】
また、本明細書では、パルス時間幅のことを単にパルス幅と呼ぶこともある。        【００６３】
図４では、本発明の実施の形態の記録マーク長２Ｔについて、正規化された４種類の記録パルス幅（ｎ）での、記録パワーと再生信号のアシンメトリの測定結果を示す。【００６４】
即ち、図４では、記録パルス列の条件として、図３の７０３第１の記録パルス（ＷＳ１）、又は７０４第２の記録パルス（ＷＳ２）を含む２Ｔのマーク長に対応するパルス時間幅Ｔｔ＝ｎ×Ｔｗ／１６として、ｎ＝１４、１６、１８、２０の４通りの条件で記録した場合の、記録パワー（Ｐｗ）と再生信号のアシンメトリ（Ａ）の関係を示す。【００６５】
記録時の線速度は、ＢＤ４Ｘ（１９．７ｍ／ｓｅｃ）の条件のもとで、２層のＢＤ−ＲのＬａｙｅｒ０に記録を行った。図４によると再生信号のアシンメトリが同一となる条件で記録するためには、ｎが小さい記録パルスほど記録パワーが高くなり、ｎが大きい記録パルスほど記録パワーは低くなることが分かる。図４から、上記再生信号の推奨アシンメトリを例えば＋６％とし、推奨アシンメトリに到達する各Ｔｔ幅でのターゲット記録パワーＰｗｔを求める。【００６６】
図５に、その様にして求めた各ターゲット記録パワーＰｗｔとそのときの２Ｔの先頭パルスのパルス時間幅ＴｔをＴｗ／１６で正規化した値の逆数（即ち１／ｎ）の関係をプロットした図を示す。例えば、図４中のｎ＝１６におけるアシンメトリが＋６％となるターゲット記録パワーＰｗｔは約１４[ｍＷ]であるから、これに対応するポイント９０１が図５にプロットされている。【００６７】
図５によると１／ｎと、推奨アシンメトリとなるターゲット記録パワーＰｗｔがほぼ直線上にあることがわかる。【００６８】
即ち、複数の記録パルス時間幅Ｔｔと、それに対応するターゲット記録パワーＰｗｔとの間には、
Ｐｗｔ＝Ｃ１／Ｔｔ＋Ｃ２の（Ｃ１、Ｃ２は定数）・・・・（式１）    
の関係式が成り立つ。【００６９】
これは
（Ｐｗｔ−Ｃ２）×Ｔｔ１＝Ｃ１
とあらわされる。【００７０】
上記式によれば、記録材料と記録時の線速度で決まる閾値パワー（定数Ｃ２）を超えるターゲット記録パワーＰｗｔと記録パワー照射時間Ｔｔとの積（すなわち注入エネルギー）が一定（Ｃ１）になることが、再生信号でのアシンメトリが一定になるための記録条件であることを意味する。即ち、注入エネルギーが一定になるとき、同じ形状のマークが生成されるからである。【００７１】
（式１）が成り立つことを利用することで、再生信号の推奨アシンメトリ（Ａｏ）になる任意のターゲット記録パワーＰｗｔでの２Ｔのパルス幅Ｔｔを求めることが可能である。特に、最短マーク（２Ｔ）のパルス幅Ｔｔは、高速転送レートで記録する際、チャネルクロック周波数が高くなり、パルス状に変調したレーザ光のパルス時間幅が短くなる。特に最短マークの２Ｔは単一のパルスで書き込みを行うため、記録パワーで発光する際のレーザの立上がり及び立下り時間の影響が大きくなり、オーバーシュートやアンダーシュートの影響で、精度よく記録パワーと記録パルスの時間幅をコントロールすることが困難である。前述のような場合には、８Ｔマークのように発光時間の比較的長い記録マークから再生信号を使って最適記録パワーを求めることで精度良く記録パワーを求めることができる。さらにその８Ｔマークの再生信号から求まった最適記録パワーＰｗｏにおける２Ｔのパルス幅Ｔｔを前述のターゲット記録パワーと記録パルス幅の関係式である数式（１）を用いて学習することで、最適記録パワーと２Ｔマークのパルス幅Ｔｔの双方を精度よく求めることが可能となる。【００７２】
（実施の形態１）
以下、本発明の情報記録方法の一実施の形態について図面を参照しながら更に具体的に説明する。尚、ここでは、本発明の光学的情報記録装置、及び光学的情報記録媒体の一実施の形態についても同時に説明する。【００７３】
図６は本発明の一例としての最適記録パワーと最適記録パルス幅を求める方法の一実施の形態を示すフローチャートである。以下、本発明の光学的情報記録再生装置を用いて最適記録パワーと２Ｔマークの最適記録パルス幅を試し記録により学習する手順について説明する。【００７４】
第１のステップ（Ｓｔｅｐ１）は、シーク動作とディスク管理情報の読み出しのステップである。【００７５】
光ピックアップである光照射手段１０６（図１参照）を光ディスク１０１の内周部に設けられたＰＩＣ領域１００３に移動させる。システム制御手段１０２はＢＤ４Ｘに相当する線速度（１９．７ｍ／ｓｅｃ）でスピンドルモータ１０８を回転制御するよう回転制御手段１０７に命令する。フォーカス、トラッキング制御された光ビームは、１００３のＰＩＣ領域に予め記録されているディスクの初期値情報（管理情報）を読み出す。ディスク管理情報には、目標記録パワー（Ｐｉｎｄ）、目標記録パワーでの変調度（Ｍｉｎｄ）、目標記録パワーから最適記録パワー（Ｐｗｏ）を得るための増倍率ρ、光ディスク上にマークが書き始められる限界記録パワー（Ｐｔｈ）から目標記録パワーまでの増倍率κおよび、記録時の各変調パワーのピークパワーに対する比率であるεＳ＝Ｐｓ／Ｐｗ、εＣ＝Ｐｃ／Ｐｗ、εｍ＝Ｐｍ／Ｐｗ、および記録パルス列の条件（ライトストラテジ）が含まれる。記録パルス列の条件は各線速度に応じてＴｗ／１６の時間間隔の整数倍の単位として、ＰＩＣ領域にディスク管理情報として記録されている。読み出されたディスク管理情報は、システム制御手段１０２（図１参照）内のメモリ上に値が保持される。【００７６】
第２のステップ（Ｓｔｅｐ２）はテストパターンを生成するステップである。変調手段１０３（図１参照）は、８Ｔマークと８Ｔスペースの繰り返し信号（以下、これを単に８Ｔの繰り返し信号と記載することもある）である８Ｔ単一信号と２Ｔマークと２Ｔスペースの繰り返し信号（以下、これを単に２Ｔの繰り返し信号と記載することもある）である２Ｔ単一信号を含んだテストパターンを生成する。【００７７】
第３のステップ（Ｓｔｅｐ３）は記録パルス列へ変換するステップである。上記テストパターンは、記録パルス列変換手段１０４（図１参照）で、ディスク管理情報として記録されている記録パルス列に応じた２Ｔマークの先頭パルス幅Ｔｔ１の第１の記録パルス（ＷＳ１）と、第１の記録パルスの先頭パルスのパルス幅Ｔｔ１をαだけ広げた２Ｔマークの先頭パルス幅Ｔｔ２の第２記録パルス（ＷＳ２）と、８Ｔマークの先頭パルス幅Ｔｔ３の第３の記録パルス（ＷＳ３）に変換される。尚、パルス幅Ｔｔ２の第２記録パルスとして、パルス幅Ｔｔ１をαだけ狭めた２Ｔマークに変換しても良い。【００７８】
第４のステップ（Ｓｔｅｐ４）は試し記録のステップである。レーザ駆動手段１０５（図１参照）の制御により、光照射手段１０６では、目標記録パワーＰｉｎｄの近傍の記録パワーであって、記録パワーＰｗ（ｊ）（ｊ＝１、２、３、・・・ｋ１）を一定パワーずつ増加させたｋ１段階（ｋ１：整数）の記録パワーを照射する。これらｋ１種類の異なる記録パワーにより、ＯＰＣ領域１００２内にテストパターンに応じて、第１の記録パルス（ＷＳ１）と第２の記録パルス（ＷＳ２）と第３の記録パルス（ＷＳ３）を含む記録パルス列が連続して記録される。【００７９】
図７に１〜ｋ１ブロックを記録する際の記録ブロックのイメージを示す。１７０１の記録順序は、ＷＳ１、ＷＳ２、ＷＳ３を含むテストパターンを記録パワーを変えながら繰り返し記録する方法である。１７０２の記録順序は、ＷＳ１を含むテストパターンを記録パワーを変えながら記録し、引き続いてＷＳ２を含むテストパターンを記録パワーを変えながら記録し、引き続いてＷＳ３を含むテストパターンを記録パワーを変えながら記録する記録方法である。【００８０】
第５のステップ（Ｓｔｅｐ５）は試し記録した信号を再生し、信号指標を測定するステップである。【００８１】
尚、本発明の再生ステップの一例が、本実施の形態の第５のステップに該当する。【００８２】
光照射手段１０６（図１参照）は、上記３つの記録パルス（ＷＳ１、ＷＳ２、ＷＳ３）で試し記録されたブロックを連続して再生する。再生信号処理手段１０９（図１参照）によって、再生信号の記録パワー、および記録パルス別に、再生信号の変調度とアシンメトリを測定する。図８に、第１の記録パルス３０３（ＷＳ１）で記録した２Ｔの繰り返し信号と、第２の記録パルス３０４（ＷＳ２）で記録した２Ｔの繰り返し信号と、第３の記録パルス３０５（ＷＳ３）で記録した８Ｔの繰り返し信号とをテストパターン（変調信号３０１）として記録したブロックを、再生したときの光ピックアップからの再生信号３０２を示す。再生信号３０２において、マークとスペースの反射光に応じた電圧レベルを示し、８Ｔスペース、８Ｔマークのそれぞれの電圧レベルがＩ８Ｈ、Ｉ８Ｌである。同様に、最短スペースである２Ｔスペース、最短マークである２Ｔマークのそれぞれの電圧レベルがＩ２Ｈ、Ｉ２Ｌで示されている。変調度ｍは８Ｔ（比較的長い）マークと８Ｔスペースの電圧レベルできまり、ここでは、Ｉ８ＨとＩ８Ｌから（式２）を用いて算出する。【００８３】
ｍ＝（Ｉ８Ｈ−Ｉ８Ｌ）／Ｉ８Ｈ・・・（式２）
同様に、アシンメトリＡは、８Ｔ（比較的長い）マーク・スペースの電圧レベルの中心値に対する、２Ｔ（最短）マーク・スペースの電圧レベルの中心値のオフセット量を表し、８Ｔスペース、８Ｔマークそれぞれの電圧レベルＩ８Ｈ、Ｉ８Ｌと、最短スペースである２Ｔスペース、最短マークである２Ｔマークのそれぞれの電圧レベルＩ２Ｈ、Ｉ２Ｌから（式３）を用いて算出する。【００８４】
Ａ＝［｛（Ｉ８Ｈ＋Ｉ８Ｌ）−（Ｉ２Ｈ＋Ｉ２Ｌ）｝／２]／（Ｉ８Ｈ−Ｉ８Ｌ）                                                          ・・・（式３）
このようにして再生信号の変調度ｍとアシンメトリＡを測定する。図９に記録パワーに対する再生信号の変調度ｍの測定結果、図１０に記録パワーに対する再生信号のアシンメトリＡの測定結果を示す。【００８５】
尚、図１０は、便宜上、２Ｔマーク記録時の第１の記録パルス（ＷＳ１）３０３と、２Ｔマーク記録時の第２の記録パルス（ＷＳ２）３０４の内、前者について示しているが、後者の場合も同様の関係がグラフ化できる。従って、図１０では、推奨アシンメトリから設定されたターゲットアシンメトリＡｔを得るためのターゲット記録パワーをＰｗｔ１として表した。これについては第６のステップで説明する。【００８６】
第６のステップ（Ｓｔｅｐ６）は、測定結果から最適パルス幅を演算する演算処理である。【００８７】
尚、本発明の処理ステップの一例が、本実施の形態の第６のステップに該当する。【００８８】
このステップは、初めに最適記録パワーＰｗｏを求め、次にターゲット記録パワーＰｗｔを演算するステップである。【００８９】
記録条件演算手段１１１（図１参照）は、試し記録した複数のブロックの記録パワーＰｗ（ｊ）（ｊ＝１、２、３、・・・ｋ１）に対する変調度の測定結果から、各記録パワーでの変調度と記録パワーの積を算出する。図１１に記録パワーに対する変調度と記録パワーの積の結果を示す。目標記録パワーＰｉｎｄの近傍での測定点を用いて、接線６０１を引き、ｘ軸（パワー軸）との切片を限界記録パワーＰｔｈとする。最適記録パワー（Ｐｗｏ）は、限界記録パワー（Ｐｔｈ）とパワー増倍率ρおよびκを（式４）に代入して演算する。【００９０】
Ｐｗｏ＝ρ×κ×Ｐｔｈ・・・・（式４）
次に、２Ｔマークの最適パルス幅を求めるために、ＷＳ１、ＷＳ２のそれぞれの記録パルスでのターゲット記録パワー（Ｐｗｔ１、Ｐｗｔ２）を求める（図１０参照）。【００９１】
具体的には、記録条件演算手段１１１が、ディスク管理領域に記録されているか、若しくはドライブのメモリに格納されている初期値情報の推奨β値又は推奨アシンメトリから、ターゲットアシンメトリＡｔを設定する。即ち、第１の記録パルス（ＷＳ１）の記録パワーＰｗ（ｊ）（ｊ＝１、２、３、・・・ｋ１）に対する再生信号のアシンメトリの測定結果から、ターゲットアシンメトリＡｔにおけるターゲット記録パワーＰｗｔ１（図１０参照）を求め、第２の記録パルス（ＷＳ２）の記録パワーＰｗ（ｊ）（ｊ＝１、２、３、・・・ｋ１）に対する再生信号のアシンメトリの測定結果から、ターゲットアシンメトリＡｔにおけるターゲット記録パワーＰｗｔ２とを求める（図１０参照）。尚、再生信号のアシンメトリは、式３により算出出来る。【００９２】
次に２Ｔマークの最適記録パルス時間幅Ｔｔｏを演算する。記録条件演算手段１１１は、第１の記録パルスのパルス時間幅（Ｔｔ１）および第２の記録パルスのパルス時間幅（Ｔｔ２）における、それぞれのターゲット記録パワー（Ｐｗｔ１、Ｐｗｔ２）から、ターゲット記録パワーとパルス時間幅の組み合わせとしての（Ｐｗ、Ｔｔ）＝（Ｐｗｔ１、Ｔｔ１）と、（Ｐｗｔ２、Ｔｔ２）とを（式１）のＰｗｔとＴｔとをそれぞれ代入し、下記に示す定数Ｃ１、Ｃ２を求める。【００９３】
Ｃ１＝｛（Ｐｗｔ１−Ｐｗｔ２）／（Ｔｔ２−Ｔｔ１）｝×Ｔｔ１×Ｔｔ２
Ｃ２＝（Ｐｗｔ２×Ｔｔ２−Ｐｗｔ１×Ｔｔ１）／（Ｔｔ２−Ｔｔ１）
上記に示すＣ１、Ｃ２と、第５のステップで実施した、記録パワーに対する変調度の測定結果をもとに求まった最適記録パワー（Ｐｗｏ）とを再び（式１）に代入して、最適記録パワーＰｗｏでの最適パルス時間幅Ｔｔｏを演算する。【００９４】
即ち、下記式５を演算し、求まったＴｔｏが２Ｔの最適パルス時間幅としてシステム制御手段内のメモリ上に確保する。【００９５】
Ｔｔｏ＝Ｔｔ１×Ｔｔ２×（Ｐｗｔ１−Ｐｗｔ２）／｛Ｐｗｏ×（Ｔｔ２−Ｔｔ１）−（Ｔｔ２×Ｐｗｔ２−Ｔｔ１×Ｐｗｔ１）｝・・・・式５
以上のような手順で、８Ｔのように比較的長いマーク・スペースの再生信号の変調度特性をもとに最適記録パワーＰｗｏを求め、最適記録パワーにおける最短マーク（２Ｔ）の最適記録パルス時間幅（Ｔｔｏ）を決定する。【００９６】
以上説明したように、レーザの立上がり及び立下り時間の影響を大きくうける高速転送レートでの書き込み時にも、精度よく記録パワーと記録パルス列の時間幅をコントロールして、良好な記録品質を維持することが可能となる。【００９７】
また、（式１）の演算結果を利用することによって、少なくとも２種類の２Ｔのパルス幅で試し記録することで、最適パルス幅を求めることができる。その結果、複数回の試し記録を行うことなく、１回の連続記録と連続再生によって、短時間にかつ、記録ブロック数を浪費することなく、効率的に２Ｔの記録パルス幅を最適化することが可能である。【００９８】
また、ＢＤ−ＲのようにＯＰＣ領域がデータ領域に比べ少なく、同一トラックに１度しか書き込むことができない追記型光ディスクにおいては、ＯＰＣ領域の記録トラックの消費を少なくすることができ、試し記録領域を使い果たすことによるディスクの使用寿命を延ばす効果がある。【００９９】
本実施の形態では、１つの線速度における最適記録パワーＰｗｏと２Ｔマークの最適パルス幅Ｔｔｏを求める方法について説明したが、異なる複数の線速度で同様の手順を用いて最適記録パワーＰｗｏと最適記録パルス幅Ｔｔｏを求めることができる。尚、この点については、実施の形態２で説明する。【０１００】
尚、本実施の形態では、本発明の第１のマーク長の一例として、最短マーク（２Ｔマーク長）の記録時のピークパワーレベルの発光幅を最適化する手順について説明したが、２Ｔマーク長以外の記録パルス列の先頭パルスのパルス幅も同様の方法を用いて求めることが可能である。即ち、例えば、ＤＶＤの場合は最短のマーク長が３Ｔであるので、その場合は、本実施の形態のテストパターンが、第１のマーク長に対応した３Ｔのマークと３Ｔのスペースの繰り返し信号と、第２のマーク長に対応した６Ｔ〜１４Ｔのうち少なくとも何れか１つの長さのマークとスペースの繰り返し信号とを含む構成でも良い。【０１０１】
また、本実施の形態で説明した手順を使って求めた２Ｔマークの最適パルス幅Ｔｔｏとディスク管理情報として記載されている２ＴのＴｔ幅の初期値とを比較してその差分を他マーク長の先頭パルスのパルス幅として使うことも可能である。【０１０２】
尚、本実施の形態では、図８で示したように、８Ｔ単一信号と２Ｔ単一信号で変調された信号を同時に記録して、再生信号のアシンメトリを測定することによって、最適記録パルス列条件を求めたが、再生信号のアシンメトリの代わりに、別の信号指標であるβ値や、後述する２Ｔレベル（Ｉ２ｍ）を使って最適記録パルス幅を求めることも可能である。この場合、図４、図１０における縦軸をβ値や、２Ｔレベルの信号指標に置き換えれば、（式１）の関係は同様に成り立つ。【０１０３】
尚、本発明の第１の信号指標の一例として、再生信号のアシンメトリＡ、β値、又は２Ｔレベルが該当する。また、本発明の第２の信号指標の一例として、再生信号の変調度ｍが該当する。【０１０４】
また、本発明の第１の信号指標特性の一例として、図１０や図４に示すアシンメトリと記録パワーとの関係が該当する。また、本発明の第２の信号指標特性の一例として、図１１に示す変調度と記録パワーの積と記録パワーとの関係が該当する。【０１０５】
図１２（ａ）、図１２（ｂ）は、本発明のβ値を説明する図である。β値とは、再生信号処理手段からの再生信号をＡＣカップリングした、再生信号の高電圧レベルＡ１と、低電圧レベルレベルＡ２とを使って以下の式で表される信号指標である。【０１０６】
β＝（Ａ１＋Ａ２）／（Ａ１−Ａ２）・・・・（式６）
上記βを使うことによって、ディスク管理情報に記録された推奨β値を使って、記録パルス幅を最適化することができる。【０１０７】
即ち、図４や図１０の縦軸のパラメータをアシンメトリからβ値に読み替えることが可能であり、本発明の第１の信号指標としてβ値を使用した場合でも、再生信号のアシンメトリを使用した場合の上記説明がそのまま適用可能となる。【０１０８】
尚、図１２（ａ）の場合、β値は負の値になり、記録パワーが足りないことを示している。また、図１２（ｂ）の場合、β値はほぼゼロとなり、記録パワーが最適であることを示している。【０１０９】
また、信号指標として、再生信号のアシンメトリのかわりに２Ｔの再生信号の２Ｔレベル（Ｉ２ｍ）を使って最適パルス幅を求める手順を図１３のＳｔｅｐ１〜Ｓｔｅｐ４、Ｓｔｅｐ５’、及びＳｔｅｐ６’に示す。【０１１０】
この場合、２Ｔレベルは、再生信号のアシンメトリ（Ａ）のように長いマーク・スペースと短いマーク・スペースの間の相対的な信号レベルの高さの関係でなく、２Ｔのマークと２Ｔスペースの再生信号レベル（ＬレベルとＨレベル）で決まる信号指標であるため、長いマークの記録状態によらず、精度よく２Ｔマークの記録パルス列条件を求めることが可能である。【０１１１】
ここで、２Ｔレベル（Ｉ２ｍ）とは
Ｉ２ｍ＝１−｛（Ｉ２Ｈ＋Ｉ２Ｌ）／２｝／Ｉｇ・・・（式７）
で定義されＩｇは未記録状態での反射光レベルである。【０１１２】
また、本実施の形態では、記録パルス列条件として、図３で示したいわゆるキャッスル型のライトストラテジ（記録パルス列条件）をもとに説明した。しかし、図１４で示される記録マークの長さＮ（図１４中ではＮ＝８Ｔｍ）に対してピークパワーで照射されるパルス数が１つ少ない（図１４中では記録パルス列の数は７個（第３の記録パルス１２０５参照）である）、いわゆるＮ−１型のライトストラテジを記録パルス列１２０２とした場合でも、同様の手順で最適記録パルス幅を求めることができるのは言うまでもない。【０１１３】
また、本実施の形態では、第２のステップにおいてテストパターンとして連続した８Ｔ単一信号と２Ｔ単一信号をＯＰＣ領域に試し記録したが、このようなテストパターンを使って記録することで、異なるマーク・スペース間の再生信号の符号間の干渉を無くすことができ、再生信号の変調度やアシンメトリ、２Ｔレベル（Ｉ２ｍ）などの信号指標をより精度良く求めることができ、最適記録パワーや記録パルス幅を正確に求めることが可能である。【０１１４】
また、本実施の形態では、単一信号のテストパターンとして、再生信号の信頼性を高めるために、２Ｔの繰り返し信号、及び８Ｔの繰り返し信号を記録する場合について説明したが、これに限らず例えば、それぞれの信号を繰り返すことなく各信号をマークとスペースの１セットだけを記録しても良い。【０１１５】
また、単一信号のテストパターンに限らず、１７ＰＰ変調、８−１６変調されたテストパターンや、各マーク長の出現頻度が概略一定のランダム信号であることを使って記録してもよい。１７ＰＰ変調、８−１６変調されたテストパターンを記録することで、ジッタや、ＳＥＲ（シンボルエラーレート）を測定することができ、記録マークの信号品質をより正確に測定することができる。【０１１６】
また、本実施の形態では、最適記録パワーを求める際、Ｐｗと変調度の積を使って最適記録パワーを求めたが、記録パワーのｎ乗と変調度の積を使って求める別の方法を用いても構わない。【０１１７】
また、本実施の形態では、定数Ｃ１、Ｃ２をＯＰＣ領域での試し記録によって求めたが、一旦求まったＣ１、Ｃ２をシステム制御手段内のメモリ上に保持し、次回同じディスクが光ディスク装置内に挿入された場合、既知のＣ１、Ｃ２をもとに最適記録パルス列条件を求めることとしてもよい。【０１１８】
また、Ｃ１、Ｃ２を光ディスク内のＩＮＦＯ領域記録して保持してもよい。既知のＣ１、Ｃ２を読み出して記録パルス幅を求める場合、２つの記録パルス幅でＯＰＣ領域に試し記録する必要はなく、１つの記録パルス幅で試し記録したターゲット記録パワーＰｗｔの結果から、最適化な記録パルス幅を求めることが可能となり、試し記録する時間を短縮で、ユーザの待ち時間を減らす効果がある。【０１１９】
（実施の形態２）
以下、本発明の情報記録方法の他の実施の形態について図面を参照しながら更に具体的に説明する。尚、ここでは、本発明の光学的情報記録装置、及び光学的情報記録媒体の一実施の形態についても同時に説明する。また、本実施の形態での光学的情報記録装置の各構成部分の作用・効果は、後述する様に上記実施の形態１の場合と相違するが、構成図としては、便宜上図１を利用する。【０１２０】
実施の形態１では、特定の１つの線速度における最適記録パワーＰｗｏとそのときの２Ｔマークの最適記録パルス幅Ｔｔｏを学習する方法について説明したが、本実施の形態２では、複数の線速度で最適記録パワーと最適記録パルス幅を学習する方法について説明する。【０１２１】
本実施の形態２では、線速度の関係がＬｖ１（２Ｘ：４．９２ｍ／ｓｅｃ）＜Ｌｖ２（４Ｘ：９．８４ｍ／ｓｅｃ）＜Ｌｖ３（８Ｘ：１９．７ｍ／ｓｅｃ）の３つの条件での最適記録パワーと最適パルス幅を求める手順について説明する。【０１２２】
ＢＤ−Ｒに４Ｘで記録をする場合、最内周のデータ領域では概略８０００ｒｐｍ、最外周のデータ領域では概略３２００ｒｐｍの回転数が必要である。また、８Ｘ記録をする場合、最内周のデータ領域では概略１６０００ｒｐｍ、最外周のデータ領域では概略６４００ｒｐｍの回転数が必要となるが、内周ではスピンドルモータの回転数が１００００ｒｐｍを越えるため、スピンドルモータの回転数の限界や安全性を考慮して、最大概略４Ｘの速度で書き込むこととなる。ＢＤ８Ｘで記録する領域は主に外周でＣＡＶ記録することとなる。【０１２３】
第１の線速度Ｌｖ１、第２の線速度Ｌｖ２での最適記録パワーと最適パルス幅Ｔｔｏは、前述の実施の形態１の手順を使って求めることができる。しかしながら、第３の線速度Ｌｖ３が８Ｘの場合、内周のＯＰＣ領域におけるスピンドルモータの回転限界１００００ｒｐｍを超えるため、内周のＯＰＣ領域に試し記録をして記録パワーや記録パルスの条件を最適化することができない。【０１２４】
尚、第３の線速度Ｌｖ３で記録する際のチャネルクロックは３３０ＭＨｚ以上であるとする。ここで、このチャンネルクロックについて簡単に説明する。ＢＤでは、最内周（ｒ＝２４ｍｍ）におけるスピンドルモータの回転数は、４Ｘ（４倍速）で概略８０００ｒｐｍであるので、それが１００００ｒｐｍとなるのは、概略５Ｘ（５倍速）の場合である。１Ｘは６６ＭＨｚであるから、５Ｘは、６６ＭＨｚ（チャンネルクロック）×５＝３３０ＭＨｚとなる。【０１２５】
そこで、本実施の形態２では、特にＬｖ１、Ｌｖ２の線速度で最適化された最適記録パワーと最適記録パルス幅をもとに、第３の線速度Ｌｖ３での記録パワーと最適記録パルス幅を求める方法について説明する。【０１２６】
初めに、２つの線速度Ｌｖ１及びＬｖ２での最適記録パワーおよび最適記録パルス幅を図６あるいは図１３のフローチャートに示した手順によって求める。【０１２７】
即ち、フローチャートに示した手順で最適化された第１の線速度Ｌｖ１での２Ｔの最適記録パルス幅をＴｔｖ１、そのＴｔｖ１をＴｗ／１６で正規化した整数値をｎｖ１、及びターゲット記録パワーをＰｗｔｖ１として、また、上記手順で最適化された第２の線速度Ｌｖ２での２Ｔの最適記録パルス幅をＴｔｖ２、そのＴｔｖ２をＴｗ／１６で正規化した整数値をｎｖ２、及びターゲット記録パワーをＰｗｔｖ２として、それぞれシステム制御手段１０２（図１参照）内のメモリ上に保持する。【０１２８】
Ｌｖ１として２Ｘ（Ｔｗ＝７．５８ｎｓ）、Ｌｖ２として４Ｘ（Ｔｗ＝３．７９ｎｓ）、Ｌｖ３として８Ｘ（Ｔｗ＝１．８９ｎｓ）の場合、レーザの立上がり立下り速度を考慮して、精度よく記録パワーを制御させ所望のパワーで記録させるためには、パルス時間幅として２[ｎｓ]以上が必要である。【０１２９】
即ち、これを式で表すと以下の通りである。【０１３０】
Ｔｗ／１６×ｎｖ１≧２［ｎｓ］
Ｔｗ／１６×ｎｖ２≧２［ｎｓ］
Ｔｗ／１６×ｎｖ３≧２［ｎｓ］
従って、２[ｎｓ]以上のパルス時間幅でレーザダイオード１０６ａを発光させるためには、４Ｘではｎｖ２＝９（９×Ｔｗ／１６≒２．１３[ｎｓ]）以上の、又、８Ｘではｎｖ３＝１７（１７×Ｔｗ／１６≒２．０１[ｎｓ]）以上のパルス幅ｎｖ（ｎｖはＴｔｖ＝ｎｖ×Ｔｗ／１６≧２[ｎｓ]となるｎｖ）が必要である。【０１３１】
図１５および図１６に第１の線速度Ｌｖ１と第２の線速度Ｌｖ２の時のターゲット記録パワーと正規化されたパルス幅の逆数（１／ｎｖ）の関係を示す。ここで、それぞれの線速度における関係を示す直線１３０１（Ｌｖ１）および直線１３０２（Ｌｖ２）は、実施の形態１で説明した数式１により求まった直線である。【０１３２】
ｎｖ２（≧１７）は、図１５の直線１３０２（Ｌｖ２）上の白丸で示す様に、第２の線速度Ｌｖ２における最適記録パワーＰｗｔｖ２に対応した、正規化されたパルス幅である。この場合の最適記録パルス幅Ｔｔｖ２はＴｔｖ２＝ｎｖ２×Ｔｗ／１６であらわせる。また、ｎｖ１は、図１５の直線１３０１（Ｌｖ１）上の○印で示す様に、第１の線速度Ｌｖ１における最適パワーＰｗｔｖ１に対応した、正規化されたパルス幅である。この場合の最適記録パルス幅Ｔｔｖ１はＴｔｖ１＝ｎｖ１×Ｔｗ／１６であらわせる。【０１３３】
図１７に本発明の実施の形態による、異なる３つの線速度で最適記録パワーと記録パルスの最適パルス幅を決定する手順を示す。【０１３４】
ここでは、Ｌｖ１およびＬｖ２の線速度における最適パワーとパルス幅は、実施の形態１のステップ１〜ステップ６で求めたものとする。即ち、上述した様に、第１の線速度Ｌｖ１での２Ｔの最適記録パルス幅Ｔｔｖ１、正規化された整数値ｎｖ１、及びターゲット記録パワーＰｗｔｖ１、そして、第２の線速度Ｌｖ２での２Ｔの最適記録パルス幅Ｔｔｖ２、正規化された整数値ｎｖ２、及びターゲット記録パワーＰｗｔｖ２が、システム制御手段１０２（図１参照）内のメモリ上に保持されている。【０１３５】
ステップ７はパルス幅判定処理である。第３の線速度Ｌｖ３で記録する際のパルス幅ｎｖ３を求めるとき、Ｌｖ２の時の正規化されたパルス幅がｎｖ２≧１７とｎｖ２＜１７の２つの場合にわけて判定する。【０１３６】
第１のケースは、ｎｖ２≧１７の場合である。即ち、第３の線速度Ｌｖ３におけるＴｗ／１６で正規化されたパルス幅（ｎｖ３）と、第２の線速度Ｌｖ２の時におけるＴｗ／１６で正規化されたパルス幅（ｎｖ２）が同じパルス幅で発光可能な幅である場合（ｎｖ３＝ｎｖ２＞ｎｖ１）、ステップ８の手順へ進む。【０１３７】
第２のケースは、ｎｖ２＜１７の場合である。即ち、第３の線速度Ｌｖ３におけるＴｗ／１６で正規化されたパルス幅が、第２の線速度Ｌｖ２の時におけるＴｗ／１６で正規化されたパルス幅ではパルス幅が不十分な場合であり、この場合ステップ１０への手順へ進む。【０１３８】
ステップ８はパルス幅演算処理である。（式１）の関係を利用して、第１の線速度Ｌｖ１での記録の際に、記録パルス幅ｎｖ２に対応するターゲット記録パワーＰｗｔ１２を演算する（図１５の直線１３０１（Ｌｖ１）上の●印を参照）。即ち、本実施の形態の光学的情報記録再生装置の記録条件演算手段１１１（図１参照）は、第１の線速度Ｌｖ１の時の定数Ｃ１、Ｃ２を使って、記録パルス幅ｎｖ２に対応するパワーＰｗｔ１２を（式１）を使って演算する。【０１３９】
ステップ９は記録パワー演算処理である。第３の線速度Ｌｖ３のときにパルス幅ｎｖ２に対応する最適記録パワーＰｗｔｖ３を演算する方法である。即ち、本実施の形態の記録条件演算手段１１１は、第１の線速度Ｌｖ１と第２の線速度Ｌｖ２の時の、パルス幅ｎｖ２に対応するターゲット記録パワーＰｗｔ１２およびＰｗｔｖ２を使って（図１５の直線１３０１（Ｌｖ１）上の●印、および直線１３０２（Ｌｖ２）上の○印を参照）、第３の線速度Ｌｖ３の時の最適記録パワーＰｗｔｖ３をＰｗｔｖ３＝Ｐｗｔｖ２／Ｐｗｔ１２×Ｐｗｔｖ２として演算する（図１５の直線１３０３（Ｌｖ３）上の●印を参照）。【０１４０】
ステップ１０はパルス幅演算処理である。第３の線速度Ｌｖ３のパルス幅をｎｖ３≧１７となる任意の１つのパルス幅ｎｖ３に設定する。【０１４１】
次に（式１）の関係を利用して、第３の線速度Ｌｖ１での記録の際に記録パルス幅ｎｖ３に対応するターゲット記録パワーＰｗｔ１３を演算する（図１６の直線１６０１（Ｌｖ１）上の●印を参照）。即ち、本実施の形態の記録条件演算手段１１１は、Ｌｖ１の時の定数Ｃ１、Ｃ２を使って、記録パルス幅ｎｖ３に対応するターゲット記録パワーＰｗｔ１３を（式１）により演算する。【０１４２】
同様に第２の線速度Ｌｖ２での記録の際に記録パルス幅ｎｖ３に対応するターゲット記録パワーＰｗｔ２３を演算する（図１６の直線１６０２（Ｌｖ２）上の●印を参照）。即ち、記録条件演算手段１１１は、第２の線速度Ｌｖ２の時の定数Ｃ１、Ｃ２を使って、記録パルス幅ｎｖ３に対応するターゲット記録パワーＰｗｔ２３を（式１）により演算する。【０１４３】
次に、第３の線速度Ｌｖ３での記録時に記録パルス幅ｎｖ３に対応する最適記録パワーＰｗｔｖ３を演算する（図１６の直線１６０３（Ｌｖ３）上の●印を参照）。即ち、記録条件演算手段１１１は、線速度Ｌｖ１とＬｖ２での記録時の記録パルス幅ｎｖ３に対応するターゲット記録パワーＰｗｔ１３およびＰｗｔ２３を使って、第３の線速度Ｌｖ３の時の最適記録パワーＰｗｔｖ３をＰｗｔｖ３＝Ｐｗｔ２３／Ｐｗｔ１３×Ｐｗｔ２３として演算する。【０１４４】
以上のようにステップ７からステップ１０の手順で求まったＰｗｔｖ３を第３の線速度Ｌｖ３での最適記録パワー、ｎｖ３を最適記録パルス幅とする。このような手順で、８Ｘ（ＢＤ８倍速）のように、光ディスクの内周のＯＰＣ領域１００２（図２参照）を使って学習できない線速度であっても、各線速度において（式１）の関係を利用することによって、最適な記録パワーと最適な記録パルス幅を求めることが可能となる。【０１４５】
尚、本発明のターゲット記録パワー取得ステップの一例が、本実施の形態のステップ７とステップ８、及びステップ１０の一部を含むステップに該当する。【０１４６】
また、本発明の最適記録パワー取得ステップの一例が、本実施の形態のステップ９と、ステップ１０の一部を含むステップに該当する。【０１４７】
また、本実施の形態では、実施の形態１で説明したステップを利用して、記録パルスの所望の時間幅に対応する値として、第１及び第２の線速度Ｌｖ１、Ｌｖ２における正規化された最適記録パルス幅ｎｖ１、ｎｖ２等を求めて、システム制御手段内のメモリ上に保持する場合について説明した。しかしこれに限らず例えば、第１及び第２の線速度Ｌｖ１、Ｌｖ２における正規化された最適記録パルス幅ｎｖ１、ｎｖ２に関する値であればｎｖ１、ｎｖ２そのものでなくても良い。また、それらの値は、上記とは別の方法（例えば公知の方法）で求めても良いし、あるいは一部は予め初期値として上記メモリなどに保持されていても良い。【０１４８】
尚、本実施の形態２では、線速としてＬｖ１＝２Ｘ、Ｌｖ２＝４Ｘ、Ｌｖ３＝８Ｘ、即ちＬｖ３／Ｌｖ２＝Ｌｖ２／Ｌｖ１のように各線速が２倍ずつ増加する場合を例に説明した。しかしこれに限らず例えば、ＣＡＶ方式で記録する場合、光ディスクの内周と外周で線速度は最大２．４倍になることから、Ｌｖ３がＬｖ２の２．４倍になる。この場合
Ｌｖ２／Ｌｖ１＝２、Ｌｖ３／Ｌｖ２＝２．４
Ｐｗｔｖ３＝Ｐｗｔｖ２×(Ｐｗｔｖ２／Ｐｗｔｖ１)＾Ｌｏｇ２(２．４)
となる。【０１４９】
即ち一般解としては、
Ｐｗｔｖ３＝Ｐｗｔｖ２×（Ｐｗｔｖ２／Ｐｗｔｖ１）＾Ｌｏｇ２（ＲＬｘ）
となる。ここでＲＬｘは任意の線速度Ｌｖ３におけるＬｖ２との比率である。ＲＬｘ＝Ｌｖ３／Ｌｖ２としてもよい。【０１５０】
尚、本実施の形態２のステップ７において第３の線速度Ｌｖ３で記録する際のパルス幅ｎｖ３を求めるとき、Ｌｖ２の時の正規化されたパルス幅がｎｖ２≧１７とｎｖ２＜１７の２つの場合にわけて判定したが、最大記録線速度が予めわかっている場合、最大線速度のＬｖ３での記録パルス幅が２ｎｓ以上となる正規化されたパルス幅ｎｖ３（ｎｖ３はＴｔｖ３＝ｎｖ３×Ｔｗ／１６となるｎｖ３）を予めディスク管理領域に記載しておいてもよい。【０１５１】
また、光ディスクの内周のＯＰＣ領域１００２で学習可能な線速度Ｌｖ１及Ｌｖ２での正規化されたパルス幅ｎｖ１、ｎｖ２を１７以上の値に設定して予めディスク管理情報内に記録してもよい。これにより、最大線速度Ｌｖ３での正規化されたパルス幅ｎｖ３は１７以上の値になるから、２ｎｓ以上のレーザ照射時間を確保することが出来できる。この場合、ステップ７での判定が不要となり、ステップ８およびステップ９の手順で記録パワーと記録パルス幅を求めることができるようになり、ステップ１０の手順で求めるよりも精度よく、最適記録パワーと記録パルス幅を求めることが可能となる。【０１５２】
また、ステップ１０において、ｎｖ３≧１７となる任意のパルス幅を設定するだけでなく、第１の線速度Ｌｖ１での正規化された最適パルス幅（ｎｖ１）と、第２の線速度Ｌｖ２での正規化された最適パルス幅（ｎｖ２）とから、第３の線速度Ｌｖ３での正規化された最適パルス幅（ｎｖ３）をｎｖ３／ｎｖ２＝ｎｖ２／ｎｖ１となる整数ｎｖ３の正規化された記録パルス幅で記録してもよい。この場合、複数の中間の演算処理を行うことなく比例計算で最適記録パワーを求めることができる。【０１５３】
また、本実施の形態では、第３の線速度Ｌｖ３の記録条件はディスク管理情報に記録されていないこととしたが、これに限らず例えば、異なる３つ線速度での正規化された推奨パルス幅をｎ１＝ｎ２＝ｎ３の条件で最適化されたパラメータで予めディスク管理領域に記録しておいてもよい。このような条件でディスク管理領域にあらかじめ記録されていれば、内周の学習領域で学習困難な高速の線速度Ｌｖ３の記録条件を低速の線速度Ｌｖ１、Ｌｖ２の同じ正規化パルス幅で学習でき、より精度よく記録パワーと記録パルス幅を求めることができる。【０１５４】
尚、この場合、各推奨パルス幅ｎ１〜ｎ３は、上記と同様の理由により、パルス時間幅が２[ｎｓ]以上となる様に（Ｔｗ／１６×ｎｉ≧２［ｎｓ］、但し、ｎｉは正の整数（ｉ＝１、２、３））、予め設定しておくことが望ましい。【０１５５】
本実施の形態では、第３の線速度Ｌｖ３の記録条件はディスク管理情報に記録されていないこととしたが、異なる３つ線速度での正規化された推奨パルス幅をｎ３＝ｎ２≧ｎ１の条件で最適化されたパラメータで予めディスク管理領域に記録しておいてもよい。このような条件でディスク管理領域にあらかじめ記録されていれば、内周の学習領域で学習困難なＬｖ３の記録条件を低速のＬｖ１、Ｌｖ２の同じ正規化パルス幅で学習でき、より精度よく記録パワーと記録パルス幅を求めることができる。【０１５６】
尚、本願明細書では、推奨パルス幅は、ディスク管理領域等に予め記録されているものとし、符号ｎ１、ｎ２、ｎ３で表した。一方、実際に試し書きをして求めるときの正規化された、ドライブ装置とディスクの組み合わせにおいて最適なパルス幅を表す場合は、符号ｎｖ１、ｎｖ２、ｎｖ３を用いた。【０１５７】
また、本実施の形態では、Ｌｖ１、Ｌｖ２、Ｌｖ３の異なる線速でのスペースパワーレベルをＰｓ１、Ｐｓ２、Ｐｓ３とするとピークパワーに対するスペースパワー比率を各線速度で一定にしてもよい。こうすることで、記録パルスのパルス幅をより正確に求めることが可能である。【０１５８】
また、本実施の形態では、最短マーク記録時の記録パルス列のピークパワーレベルの時間幅が異なる場合を例に説明したが、記録パルス幅だけに限らず、記録パルスの条件としてはピークパワーに対する中間パワーのパワー比率あるいはピークパワーに対するスペースパワーのパワーレベルのいずれかを２つの比率でテストパターンを使って記録することで最適化してもよい。パルス幅だけでなくパワーの比率も最適化することが可能となる。【０１５９】
また、上記実施の形態では、良好な再生信号品質が得られる最適な記録パワーと最適な記録パルス幅の双方をより精度良く決定する構成の場合について説明したが、これに限らず例えば、最適な記録パワーについては別の方法（例えば、公知の方法）で取得した値を使用し、最適な記録パルス幅の決定に関して本願発明を適用する構成であっても良い。【０１６０】
また、上記実施の形態では、最適な記録パルス幅の決定に際して、第１の信号指標として再生信号のアシンメトリを用いる場合について説明したが、これに限らず例えば、第１の信号指標として２Ｔのマーク長、２Ｔのスペース長、及び、未記録状態での反射光の再生信号レベルで決まる信号指標である２Ｔレベル（Ｉ２ｍ）を使用して最適記録パルス幅を求める構成でも良いことは既に述べた。この場合、最適な記録パワーを例えば公知の方法により求めるか、推奨の記録パワーとして予めディスク管理領域に記録されているデータを利用する等の構成とすれば、本発明のテストパターンに、２Ｔの記録マーク長より長い第２の記録マーク長（例えば８Ｔマーク長）が含まれていなくても良い。【０１６１】
また、上記実施の形態では、２Ｔ単一信号と８Ｔ単一信号を含むテストパターンを生成する構成の場合について説明したが、これに限らず例えば、テストパターンが、２Ｔのマークと２Ｔのスペースの繰り返し信号と、第２のマーク長に対応した５Ｔ〜９Ｔのうち少なくとも何れか１つの長さのマークとスペースの繰り返し信号とを含む構成でも良い。【０１６２】
又、本発明のプログラムは、上述した本発明の情報記録方法の全部又は一部のステップの動作をコンピュータにより実行させるプログラムであって、コンピュータと協働して動作するプログラムである。【０１６３】
又、本発明の記録媒体は、上述した本発明の情報記録方法の全部又は一部のステップの全部又は一部の動作をコンピュータにより実行させるプログラムを記録した記録媒体であり、コンピュータにより読み取り可能且つ、読み取られた上記プログラムが上記コンピュータと協動して上記動作を実行する記録媒体である。【０１６４】
尚、本発明の上記「一部のステップ」とは、それらの複数のステップの内の、一つ又は幾つかのステップを意味する。【０１６５】
又、本発明の上記「ステップの動作」とは、上記ステップの全部又は一部の動作を意味する。【０１６６】
又、本発明のプログラムの一利用形態は、コンピュータにより読み取り可能な、ＲＯＭ等の記録媒体に記録され、コンピュータと協働して動作する態様であっても良い。【０１６７】
又、本発明のプログラムの一利用形態は、インターネット等の伝送媒体、光・電波・音波等の伝送媒体中を伝送し、コンピュータにより読みとられ、コンピュータと協働して動作する態様であっても良い。【０１６８】
又、上述した本発明のコンピュータは、ＣＰＵ等の純然たるハードウェアに限らず、ファームウェアや、ＯＳ、更に周辺機器を含むものであっても良い。【０１６９】
尚、以上説明した様に、本発明の構成は、ソフトウェア的に実現しても良いし、ハードウェア的に実現しても良い。【０１７０】
以上説明した様に本発明の一実施の形態の情報記録方法は、光学的情報記録媒体の最適な記録パワーおよび、記録パルスの最適な時間幅を求めるための情報記録方法であって、上記光学的情報記録媒体に、少なくとも２つの記録マーク長ＭＬ２、ＭＬ８（但し、ＭＬ２＜ＭＬ８）を含んだテストパターンを生成し、上記テストパターンを、マーク長ＭＬ２に対応した異なる２つの記録パルスＷＳ１、ＷＳ２（但し、ＷＳ１のピークパワーレベルの時間幅Ｔｔ１と、ＷＳ２のピークパワーレベルの時間幅Ｔｔ２とは、異なる時間幅）と、マーク長ＭＬ８に対応した記録パルスＷＳ３含む記録パルス列に変換し、上記３つの記録パルスで、上記テストパターンを、上記試し記録領域に記録パワーを変えながら複数の記録パワーで複数のブロックを記録し、上記光学的情報記録媒体から、再生信号を得るために上記複数のブロックを再生し、上記再生信号のうち、上記記録パルスＷＳ１、ＷＳ２で記録された部分から上記記録パワーに応じた第１の信号指標を測定し、上記再生信号のうち、記録パルスＷＳ３で記録された部分から上記記録パワーに応じた第２の信号指標を測定し、上記第２の信号指標の測定結果から最適記録パワー（Ｐｗｏ）を決定し、上記第１の信号指標から上記記録パルスＷＳ１、ＷＳ２に対応したターゲット記録パワーＰｗｔ１、Ｐｗｔ２を決定し、上記Ｐｗｏ、Ｐｗｔ１、Ｐｗｔ２とＴｔ１、Ｔｔ２から、演算により上記記録マーク長ＭＬ２の記録パルスの最適な時間幅Ｔｔｏを求めることを特徴とする。【０１７１】
また、上記本発明の一実施の形態の情報記録方法では、上記ターゲットパワーＰｗｔと上記ピークパワーレベルの時間幅Ｔｔを、
Ｐｗｔ＝Ｃ１／Ｔｔ＋Ｃ２・・・（式１）    （Ｃ１、Ｃ２は定数）
の関係式であらわし、上記ターゲットパワーＰｗｔあるいは上記ピークパワーレベルの時間幅Ｔｔの何れかを上記（式１）により演算で求めることを特徴とする。【０１７２】
また、上記本発明の一実施の形態の情報記録方法では、上記再生信号のうち上記第１の信号指標の測定結果から、上記記録パルスＷＳ１およびＷＳ２のターゲット記録パワーＰｗｔ１、Ｐｗｔ２を決定し、上記ターゲット記録パワーＰｗｔ１、Ｐｗｔ２と、上記ピークパワーレベルの時間幅Ｔｔ１、Ｔｔ２と、上記最適記録パワー（Ｐｗｏ）とから
Ｔｔｏ＝Ｔｔ１×Ｔｔ２×（Ｐｗｔ１−Ｐｗｔ２）／｛Ｐｗｏ×（Ｔｔ２−Ｔｔ１）−（Ｔｔ２×Ｐｗｔ２−Ｔｔ１×Ｐｗｔ１）｝・・・・（式５）
を演算することにより、マーク長ＭＬ２の記録パルスの最適な時間幅Ｔｔｏを求めることを特徴とする。【０１７３】
また、上記本発明の一実施の形態の情報記録方法は、上記光学的情報記録媒体にことなる３つの線速度（Ｌｖ１＜Ｌｖ２＜Ｌｖ３）で記録する情報記録方法であって、上記情報記録方法によって、少なくとも２つの線速度（Ｌｖ１、Ｌｖ２）における正規化された最適記録パルス幅ｎｖ１およびｎｖ２を求め、上記第３の線速度での正規化された最適記録パルス幅ｎｖ３をｎｖ３＝ｎｖ２と設定し、第１の線速度Ｌｖ１でのターゲット記録パワーＰｗｔと上記記録パルスの時間幅Ｔｔの関係式である（式１）と第２の線速度Ｌｖ２でのターゲット記録パワーＰｗｔと上記記録パルスの時間幅Ｔｔの関係式である（式１）とから、上記第３の線速度Ｌｖ３での最適記録パワーを演算することを特徴とする。【０１７４】
また、上記本発明の一実施の形態の情報記録方法は、上記１の線速度Ｌｖ１の正規化された最適パルス幅（ｎｖ１）と、上記第２の線速度Ｌｖ２の正規化された最適パルス幅（ｎｖ２）とから、上記第３の線速度Ｌｖ３での正規化された最適パルス幅（ｎｖ３）をｎｖ３＝ｎｖ２＞ｎｖ１となる整数ｎｖ３の記録パルスの時間幅で記録することを特徴とする。【０１７５】
また、本発明の情報記録方法は、上記第３の線速度の最適記録パルス幅ｎｖ３が、Ｔｗ／１６×ｎｖ３≧２［ｎｓ］の条件を満たすことを特徴とする。【０１７６】
また、本発明の一実施の形態の光学的情報記録媒体は、上記何れかの情報記録方法に使用される光学的情報記録媒体であって、異なる３つの線速度Ｌｖ１＜Ｌｖ２＜Ｌｖ３で上記光学的情報記録媒体に記録し、最短マーク記録時の記録パルス列のピークパワーレベルの推奨パルス時間幅を、Ｔｔ＝ｎ×Ｔｗ／１６とあらわし（ｎは正の整数）、第１の線速度の推奨パルス値ｎ１、第２の線速度の推奨パルス値ｎ２および第３の線速度の推奨パルス値ｎ３としたとき、ｎ１、ｎ２、ｎ３の３つの値がディスク管理領域にあらかじめ記載されていることを特徴とする。【０１７７】
また、本発明の一実施の形態の光学的情報記録媒体は、上記第３の線速度の推奨記録パルス値ｎ３が、Ｔｗ／１６×ｎ３≧２［ｎｓ］の条件を満たすことを特徴とする。【０１７８】
また、本発明の一実施の形態の光学的情報記録再生装置は、複数のパワーでレーザ光を切り替えて照射し、情報を複数の長さのマークおよびスペースとして記録する光学的情報記録媒体に、最適な記録パワーおよび最適な記録パルス列条件で書き込みを実現するための光学的情報記録再生装置において、少なくとも２つの記録マーク長ＭＬ２、ＭＬ８（但し、ＭＬ２＜ＭＬ８）を含んだテストパターンを生成する変調手段と、テストパターンの信号に応じて、マーク長ＭＬ２に対応した異なる２つの記録パルスＷＳ１、ＷＳ２（但し、ＷＳ１のピークパワーレベルの時間幅Ｔｔ１と、ＷＳ２のピークパワーレベルの時間幅Ｔｔ２とは、異なる時間幅）と、マーク長ＭＬ８に対応した記録パルスＷＳ３含む記録パルス列に変換する記録パルス列変換手段と、上記光学的情報記録媒体にレーザパワーを制御して、上記記録パルス列で記録パワーを変えながら、複数の記録パワーで上記テストパターンを光学的情報記録媒体に記録する光照射手段と、上記光学的情報記録媒体からの再生信号を生成し、再生信号から第１および第２の信号指標を測定する再生信号処理手段と、上記第２の信号指標から最適記録パワー（Ｐｗｏ）を決定し、上記第１の信号指標からターゲット記録パワーを求め、上記最適パワーと上記ターゲット記録パワーから、演算により上記記録マーク長ＭＬ２の記録パルスの最適な時間幅Ｔｔｏを求める記録条件演算手段とを備えることを特徴とする。【０１７９】
以上説明したように、上記実施の形態によれば、例えば、追記型光ディスク媒体へ高速書き込みを行う際、記録パワー変調時のレーザの立上がり及び立下り時間の影響や、オーバーシュート等により、精度よく記録パワーとパルス時間幅をコントロールして、良好な信号品質が得られる最適記録パワーと記録パルス列の時間幅を効率よくかつ精度よく決定する方法を提供することが出来る。【０１８０】
本実施の形態の情報記録方法によれば、例えば、記録／再生動作の高信頼化が図られ、同時に光学的情報記録再生装置の小型化が実現されるので、コストの点で有利となる。【０１８１】
また、本実施の形態によれば、例えば、光ディスクの内周にのみ試し記録領域が存在するような光ディスクにＣＡＶ方式で記録を行う場合にも、良好な信号品質が得られる最適記録パワーと記録パルスの時間幅を効率よくかつ精度よく決定する方法を提供することが出来る。
【産業上の利用可能性】
【０１８２】
本発明の情報記録方法、光学的情報記録再生装置、それに用いる光学的情報記録媒体、プログラム及び記録媒体は、光学的情報記録媒体への高速記録する際に、良好な信号品質が得られる少なくとも記録パルスの時間幅を従来より精度よく決定することが出来るという効果を有し、デジタル家電機器、情報処理装置を含む電気機器産業等に利用可能である。
【図１】
2008139714.tif 000003
【図２】
2008139714.tif 000004
【図３】
2008139714.tif 000005
【図４】
2008139714.tif 000006
【図５】
2008139714.tif 000007
【図６】
2008139714.tif 000008
【図７】
2008139714.tif 000009
【図８】
2008139714.tif 000010
【図９】
2008139714.tif 000011
【図１０】
2008139714.tif 000012
【図１１】
2008139714.tif 000013
【図１２】
2008139714.tif 000014
【図１３】
2008139714.tif 000015
【図１４】
2008139714.tif 000016
【図１５】
2008139714.tif 000017
【図１６】
2008139714.tif 000018
【図１７】
2008139714.tif 000019
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
光学的情報記録媒体に、レーザ光の所望の記録パワー及び記録パルスの所望の時間幅により情報を記録する情報記録方法であって、
第１の記録マーク長と、前記第１の記録マーク長より長い第２の記録マーク長とを含むテストパターンを生成するテストパターン生成ステップと、
前記生成されたテストパターンを、前記第１の記録マーク長に対応したそれぞれ時間幅の異なる試し書き用記録パルスと、前記第２の記録マーク長に対応した第２の試し書き用記録パルスとを含む記録パルス列に変換する記録パルス列変換ステップと、
前記レーザ光を制御することにより記録パワーを順次変更し、前記光学的情報記録媒体の所定領域に前記記録パルス列に基づいて前記テストパターンを記録する記録ステップと、
前記所定領域から得られた再生信号に基づいて、前記変更されたそれぞれの記録パワーに対応した第１の信号指標を前記時間幅の異なる各試し書き用記録パルス毎に取得し、前記取得した第１の信号指標と前記記録パワーとの関係を第１の信号指標特性として保持し、且つ、前記再生信号の内、前記第２の試し書き用記録パルスに対応する部分に基づいて、前記それぞれの記録パワーに応じた第２の信号指標を取得し、前記取得した第２の信号指標と前記記録パワーとの関係を第２の信号指標特性として保持する再生ステップと、
前記第２の信号指標特性に基づいて、前記第１の記録マーク長の記録パルスに用いる前記所望の記録パワーを求め、且つ、（ａ）その求めた前記所望の記録パワーと、（ｂ）前記時間幅の異なる試し書き用記録パルス毎に保持される前記第１の信号指標特性から、推奨された第１の信号指標を用いて求めた各ターゲット記録パワーと、（ｃ）前記異なる各時間幅と、を利用して、予め定めたルールに基づいて前記第１の記録マーク長の記録パルスの前記所望の時間幅を求める処理ステップと、
を備えた情報記録方法。
【請求項２】
（削除）
【請求項３】
前記第１の信号指標は、前記再生信号のアシンメトリ又はβ値であり、
前記第２の信号指標は、前記再生信号の変調度であり、
前記再生ステップは、前記第１の信号指標を、前記時間幅の異なる各試し書き用記録パルス毎に取得する際、前記時間幅の異なる各試し書き用記録パルスの再生信号と、前記第２の試し書き用記録パルスの再生信号とを利用する、請求の範囲第１項記載の情報記録方法。
【請求項４】
前記第１の信号指標は、前記第１の記録マーク長の再生信号レベルと、未記録状態の部位での反射光の再生信号レベルとを利用して得られる信号指標である、請求の範囲第１項記載の情報記録方法。
【請求項５】
前記時間幅の異なる試し書き用記録パルスのそれぞれの幅をＴｔ１，Ｔｔ２とし、それぞれの前記ターゲット記録パワーをＰｗｔ１，Ｐｗｔ２とした場合、前記処理ステップは、下記の式１の関係が成り立つことを利用して、定数Ｃ１，Ｃ２を求める請求の範囲第１項記載の情報記録方法。
Ｐｗｔ＝Ｃ１／Ｔｔ＋Ｃ２・・・式１（ただし、Ｃ１，Ｃ２は定数）
【請求項６】
前記予め定めたルールに基づいて前記第１の記録マーク長の記録パルスの前記所望の時間幅を求めるとは、
前記所望の時間幅をＴｔｏとし、前記所望の記録パワーをＰｗｏとした場合、下記の式５を用いて、前記Ｔｔｏを求めることである、請求の範囲第５項記載の情報記録方法。
Ｔｔｏ＝Ｔｔ１×Ｔｔ２×（Ｐｗｔ１−Ｐｗｔ２）／｛Ｐｗｏ×（Ｔｔ２−Ｔｔ１）−（Ｔｔ２×Ｐｗｔ２−Ｔｔ１×Ｐｗｔ１）｝・・・・式５
【請求項７】
前記テストパターンは、前記第１の記録マーク長に対応して前記レーザの照射の制御により形成されるマークとスペースの繰り返し信号と、前記第２の記録マーク長に対応して前記レーザの照射の制御により形成されるマークとスペースの繰り返し信号とを含む、請求の範囲第１項記載の情報記録方法。
【請求項８】
前記第１の記録マーク長は、最短長さ２Ｔの記録マーク長であり、
前記テストパターンは、２Ｔのマークと２Ｔのスペースの繰り返し信号と、前記第２のマーク長に対応した５Ｔ〜９Ｔのうち少なくとも１つの長さのマークとスペースの繰り返し信号とを含む、請求の範囲第７項記載の情報記録方法。
【請求項９】
前記第１の記録マーク長は、最短長さの記録マーク長を３Ｔと表した場合に３Ｔの記録マーク長であり、
前記テストパターンは、３Ｔのマークと３Ｔのスペースの繰り返し信号と、前記第２のマーク長に対応した６Ｔ〜１４Ｔのうち少なくとも１つの長さのマークとスペースの繰り返し信号とを含む、請求の範囲第７項記載の情報記録方法。
【請求項１０】
前記テストパターンは、前記各マーク長の出現頻度が実質上一定のランダム信号である、請求の範囲第１項記載の情報記録方法。
【請求項１１】
前記テストパターンは、１７ＰＰ変調あるいは８−１６変調された任意のランダム信号である、請求の範囲第１項記載の情報記録方法。
【請求項１２】
前記記録ステップでは、前記記録パワーを変えながら複数の前記テストパターンを連続して記録し、
前記再生ステップでは、前記複数のテストパターンを連続して再生する、請求の範囲第１項記載の情報記録方法。
【請求項１３】
基準時間幅をＴｗとし、前記第１の記録マーク長の時間幅は、Ｔｗ／１６の整数倍単位（ｎ：整数）に正規化して設定する、請求の範囲第１項記載の情報記録方法。
【請求項１４】
光学的情報記録媒体に、少なくとも異なる第１、第２及び第３の線速度Ｌｖ１、Ｌｖ２、Ｌｖ３（但し、Ｌｖ１＜Ｌｖ２＜Ｌｖ３）で情報を記録する情報記録方法であって、
請求の範囲第１項、及び第３項から第１３項の何れかに記載の情報記録方法を利用して前記所望の時間幅に対応する情報として、少なくとも前記第１及び第２の線速度Ｌｖ１、Ｌｖ２における正規化された最適記録パルス幅ｎｖ１およびｎｖ２に関する値を求めるステップと、
前記正規化された最適記録パルス幅ｎｖ２に関する値が、（ａ）予め定められた基準値以上であれば、前記第１の線速度Ｌｖ１でのターゲット記録パワーＰｗｔと前記記録パルスの時間幅Ｔｔとの所定の関係を用いて前記正規化された最適記録パルス幅ｎｖ２に関する値に対応するターゲット記録パワーＰｗｔ１２を求め、（ｂ）前記基準値未満であれば、前記第１の線速度Ｌｖ１でのターゲット記録パワーＰｗｔと前記記録パルスの時間幅Ｔｔとの所定の関係を用いて前記第３の線速度における正規化された最適記録パルス幅ｎｖ３に関する値に対応するターゲット記録パワーＰｗｔ１３を求め、且つ、前記第２の線速度Ｌｖ２でのターゲット記録パワーＰｗｔと前記記録パルスの時間幅Ｔｔとの所定の関係を用いて前記最適記録パルス幅ｎｖ３に関する値に対応するターゲット記録パワーＰｗｔ２３を求めるターゲット記録パワー取得ステップと、
前記求めたターゲット記録パワーを利用して、前記第３の線速度Ｌｖ３での最適記録パワーを求める最適記録パワー取得ステップと、
を備えた情報記録方法。
【請求項１５】
前記記録パルスの時間幅Ｔｔは、前記第１の記録マーク長に対応したそれぞれ時間幅の異なる試し書き用記録パルスの時間幅Ｔｔであり、
前記所定の関係とは、前記時間幅の異なる各試し書き用記録パルスの時間幅Ｔｔと、前記Ｔｔに対応するターゲット記録パワーＰｗｔとが、下記の式１を満たす関係である、請求の範囲第１４項記載の情報記録方法。
Ｐｗｔ＝Ｃ１／Ｔｔ＋Ｃ２・・・式１（ただし、Ｃ１，Ｃ２は定数）
【請求項１６】
前記正規化された最適記録パルス幅ｎｖ２が、前記予め定められた基準値以上であれば、前記第３の線速度Ｌｖ３における正規化された最適パルス幅ｎｖ３を、ｎｖ３＝ｎｖ２＞ｎｖ１となる整数ｎｖ３として決定する、請求の範囲第１４項記載の情報記録方法。
【請求項１７】
前記第３の線速度Ｌｖ３の最適記録パルス幅ｎｖ３は、Ｔｗ／１６×ｎｖ３≧２［ｎｓ］の条件を満たす、請求の範囲第１４項から第１６項のいずれかに記載の情報記録方法。
【請求項１８】
前記第３の線速度Ｌｖ３で記録する際のチャネルクロックは３３０ＭＨｚ以上である、請求の範囲第１４項から第１６項のいずれかに記載の情報記録方法。
【請求項１９】
請求の範囲第１項、及び第３項から第１４項の何れかに記載の情報記録方法に使用される前記光学的情報記録媒体であって、
前記光学的情報記録媒体への情報の記録は、第１，第２及び第３の線速度Ｌｖ１、Ｌｖ２、Ｌｖ３（但し、Ｌｖ１＜Ｌｖ２＜Ｌｖ３）で行われるものであり、
最短マーク記録時の前記記録パルス列のピークパワーレベルの推奨パルス時間幅を、Ｔｔ＝ｎ×Ｔｗ／１６とあらわし（ｎは正の整数）、前記第１の線速度での推奨パルス幅をｎ１、前記第２の線速度での推奨パルス幅をｎ２、および前記第３の線速度での推奨パルス幅をｎ３としたとき、前記ｎ１、ｎ２、ｎ３の値が、前記光学的情報記録媒体のディスク管理領域にあらかじめ記載されている、光学的情報記録媒体。
【請求項２０】
前記３つの推奨パルス幅が、ｎ１＝ｎ２＝ｎ３である、請求の範囲第１９項記載の光学的情報記録媒体。
【請求項２１】
前記３つの推奨パルス幅が、ｎ２／ｎ１＝ｎ３／ｎ２である、請求の範囲第１９項記載の光学的情報記録媒体。
【請求項２２】
前記３つの推奨パルス幅が、ｎ３＝ｎ２≧ｎ１である、請求の範囲第１９項記載の光学的情報記録媒体。
【請求項２３】
前記第３の線速度の推奨パルス幅の値ｎ３は、Ｔｗ／１６×ｎ３≧２［ｎｓ］の条件を満たす、請求の範囲第１９項記載の光学的情報記録媒体。
【請求項２４】
光学的情報記録媒体に、レーザ光の所望の記録パワー及び記録パルスの所望の時間幅により情報を記録する光学的情報記録再生装置であって、
第１の記録マーク長と、前記第１の記録マーク長より長い第２の記録マーク長とを含むテストパターンを生成する変調部と、
前記生成されたテストパターンを、前記第１の記録マーク長に対応したそれぞれ時間幅の異なる試し書き用記録パルスと、前記第２の記録マーク長に対応した第２の試し書き用記録パルスとを含む記録パルス列に変換する記録パルス列変換部と、
前記レーザ光を制御することにより記録パワーを順次変更し、前記光学的情報記録媒体の所定領域に前記記録パルス列に基づいて前記テストパターンを記録する光照射部と、
前記所定領域から得られた再生信号に基づいて、前記変更されたそれぞれの記録パワーに対応した第１の信号指標を前記時間幅の異なる各試し書き用記録パルス毎に取得し、前記取得した第１の信号指標と前記記録パワーとの関係を第１の信号指標特性として保持し、且つ、前記再生信号の内、前記第２の試し書き用記録パルスに対応する部分に基づいて、前記それぞれの記録パワーに応じた第２の信号指標を取得し、前記取得した第２の信号指標と前記記録パワーとの関係を第２の信号指標特性として保持する再生信号処理部と、
前記第２の信号指標特性に基づいて、前記第１の記録マーク長の記録パルスに用いる前記所望の記録パワーを求め、且つ、（ａ）その求めた前記所望の記録パワーと、（ｂ）前記時間幅の異なる各試し書き用記録パルス毎に保持される前記第１の信号指標特性から、推奨された第１の信号指標を用いて求めた各ターゲット記録パワーと、（ｃ）前記異なる各時間幅と、を利用して、予め定めたルールに基づいて前記第１の記録マーク長の記録パルスの前記所望の時間幅を求める記録条件取得部と、
を備えた光学的情報記録再生装置。
【請求項２５】
（削除）
【請求項２６】
前記第１の信号指標は、前記再生信号のアシンメトリ又はβ値であり、
前記第２の信号指標は、前記再生信号の変調度であり、
前記再生信号処理部は、前記第１の信号指標を、前記時間幅の異なる各試し書き用記録パルス毎に取得する際、前記時間幅の異なる各試し書き用記録パルスの再生信号と、前記第２の試し書き用記録パルスの再生信号とを利用する、請求の範囲第２４項記載の光学的情報記録再生装置。
【請求項２７】
前記第１の信号指標は、前記第１の記録マーク長の再生信号レベルと、未記録状態の部位での反射光の再生信号レベルとを利用して得られる信号指標である、請求の範囲第２４項記載の光学的情報記録再生装置。
【請求項２８】
前記時間幅の異なる試し書き用記録パルスのそれぞれの幅をＴｔ１，Ｔｔ２とし、それぞれの前記ターゲット記録パワーをＰｗｔ１，Ｐｗｔ２とした場合、前記記録条件取得部は、下記の式１の関係が成り立つことを利用して、定数Ｃ１、Ｃ２を求める請求の範囲第２４項記載の光学的情報記録再生装置。
Ｐｗｔ＝Ｃ１／Ｔｔ＋Ｃ２・・・式１（ただし、Ｃ１，Ｃ２は定数）
【請求項２９】
前記予め定めたルールに基づいて前記第１の記録マーク長の記録パルスの前記所望の時間幅を求めるとは、
前記所望の時間幅をＴｔｏとし、前記所望の記録パワーをＰｗｏとした場合、下記の式５を用いて、前記Ｔｔｏを求めることである、請求の範囲第２８項記載の光学的情報記録再生装置。
Ｔｔｏ＝Ｔｔ１×Ｔｔ２×（Ｐｗｔ１−Ｐｗｔ２）／｛Ｐｗｏ×（Ｔｔ２−Ｔｔ１）−（Ｔｔ２×Ｐｗｔ２−Ｔｔ１×Ｐｗｔ１）｝・・・・式５
【請求項３０】
請求の範囲第１項記載の情報記録方法の、前記第２の信号指標特性に基づいて、前記第１の記録マーク長の記録パルスに用いる前記所望の記録パワーを求め、且つ、（ａ）その求めた前記所望の記録パワーと、（ｂ）前記時間幅の異なる各試し書き用記録パルス毎に保持される前記第１の信号指標特性から、推奨された第１の信号指標を用いて求めた各ターゲット記録パワーと、（ｃ）前記異なる各時間幅と、を利用して、予め定めたルールに基づいて前記第１の記録マーク長の記録パルスの前記所望の時間幅を求める処理ステップをコンピュータに実行させるプログラム。
【請求項３１】
請求の範囲第１４項記載の情報記録方法の、前記正規化された最適記録パルス幅ｎｖ２に関する値が、（ａ）予め定められた基準値以上であれば、前記第１の線速度Ｌｖ１でのターゲット記録パワーＰｗｔと前記記録パルスの時間幅Ｔｔとの所定の関係を用いて前記正規化された最適記録パルス幅ｎｖ２に関する値に対応するターゲット記録パワーＰｗｔ１２を求め、（ｂ）前記基準値未満であれば、前記第１の線速度Ｌｖ１でのターゲット記録パワーＰｗｔと前記記録パルスの時間幅Ｔｔとの所定の関係を用いて前記第３の線速度における正規化された最適記録パルス幅ｎｖ３に関する値に対応するターゲット記録パワーＰｗｔ１３を求め、且つ、前記第２の線速度Ｌｖ２でのターゲット記録パワーＰｗｔと前記記録パルスの時間幅Ｔｔとの所定の関係を用いて前記最適記録パルス幅ｎｖ３に関する値に対応するターゲット記録パワーＰｗｔ２３を求めるターゲット記録パワー取得ステップと、
前記求めたターゲット記録パワーを利用して、前記第３の線速度Ｌｖ３での最適記録パワーを求める最適記録パワー取得ステップと、をコンピュータに実行させるプログラム。
【請求項３２】
請求の範囲第３０項又は第３１項記載のプログラムを記録した記録媒体であって、コンピュータにより処理可能な記録媒体。
【手続補正２】
【補正対象書類名】明細書
【補正対象項目名】０００５
【補正方法】変更
【補正の内容】
【０００５】
ス幅の最適化をすることができないという課題がある。
［００１１］
そこで本発明は、上記従来の情報記録方法の課題を考慮して、少なくとも最適な記録パルス時間幅を従来より精度良く決定することが出来る情報記録方法、光学的情報記録再生装置、それに用いる光学的情報記録媒体、プログラム、及び記録媒体を提供することを目的とする。
［００１２］
また、本発明は、上記従来の情報記録方法の課題を考慮して、例えばＢＤ４倍速（チャネルクロック２６４ＭＨｚ）を超える高速転送レートで光ディスクに信号を記録する際に、良好な信号品質が得られる少なくとも記録パルスの時間幅を従来より精度よく決定することが出来る情報記録方法、光学的情報記録再生装置、それに用いる光学的情報記録媒体、プログラム、及び記録媒体を提供することを目的とする。
課題を解決するための手段
［００１３］
第１の本発明は、光学的情報記録媒体に、レーザ光の所望の記録パワー及び記録パルスの所望の時間幅により情報を記録する情報記録方法であって、
第１の記録マーク長と、前記第１の記録マーク長より長い第２の記録マーク長とを含むテストパターンを生成するテストパターン生成ステップと、
前記生成されたテストパターンを、前記第１の記録マーク長に対応したそれぞれ時間幅の異なる試し書き用記録パルスと、前記第２の記録マーク長に対応した第２の試し書き用記録パルスとを含む記録パルス列に変換する記録パルス列変換ステップと、
前記レーザ光を制御することにより記録パワーを順次変更し、前記光学的情報記録媒体の所定領域に前記記録パルス列に基づいて前記テストパターンを記録する記録ステップと、
前記所定領域から得られた再生信号に基づいて、前記変更されたそれぞれの記録パワーに対応した第１の信号指標を前記時間幅の異なる各試し書き用記録パルス毎に取得し、前記取得した第１の信号指標と前記記録パワーとの関係を第１の信号指標特性として保持し、且つ、前記再生信号の内、前記第２の試し書き用記録パルスに対応する部分に基づいて、前記それぞれの記録パワーに応じた第２の信号
【手続補正３】
【補正対象書類名】明細書
【補正対象項目名】０００６
【補正方法】変更
【補正の内容】
【０００６】
指標を取得し、前記取得した第２の信号指標と前記記録パワーとの関係を第２の信号指標特性として保持する再生ステップと、
前記第２の信号指標特性に基づいて、前記第１の記録マーク長の記録パルスに用いる前記所望の記録パワーを求め、且つ、（ａ）その求めた前記所望の記録パワーと、（ｂ）前記時間幅の異なる試し書き用記録パルス毎に保持される前記第１の信号指標特性から、推奨された第１の信号指標を用いて求めた各ターゲット記録パワーと、（ｃ）前記異なる各時間幅と、を利用して、予め定めたルールに基づいて前記第１の記録マーク長の記録パルスの前記所望の時間幅を求める処理ステップと、
を備えた情報記録方法である。
［００１４］
［００１５］
また、第３の本発明は、前記第１の信号指標は、前記再生信号のアシンメトリ又はβ値であり、
前記第２の信号指標は、前記再生信号の変調度であり、
前記再生ステップは、前記第１の信号指標を、前記時間幅の異なる各試し書き用記録パルス毎に取得する際、前記時間幅の異なる各試し書き用記録パルスの再生信号と、前記第２の試し書き用記録パルスの再生信号とを利用する、上記第１の本発明の情報記録方法である。
［００１６］
また、第４の本発明は、前記第１の信号指標は、前記第１の記録マーク長の再生信号レベルと、未記録状態の部位での反射光の再生信号レベルとを利用して得られる信号指標である、上記第１の本発明の情報記録方法である。
［００１７］
また、第５の本発明は、前記時間幅の異なる試し書き用記録パルスのそれ
【手続補正４】
【補正対象書類名】明細書
【補正対象項目名】０００７
【補正方法】変更
【補正の内容】
【０００７】
ぞれの幅をＴｔ１，Ｔｔ２とし、それぞれの前記ターゲット記録パワーをＰｗｔ１，Ｐｗｔ２とした場合、前記処理ステップは、下記の式１の関係が成り立つことを利用して、定数Ｃ１，Ｃ２を求める上記第１の本発明の情報記録方法である。
［００１８］
Ｐｗｔ＝Ｃ１／Ｔｔ＋Ｃ２・・・式１（ただし、Ｃ１，Ｃ２は定数）
また、第６の本発明は、前記予め定めたルールに基づいて前記第１の記録マーク長の記録パルスの前記所望の時間幅を求めるとは、
前記所望の時間幅をＴｔｏとし、前記所望の記録パワーをＰｗｏとした場合、下記の式５を用いて、前記Ｔｔｏを求めることである、上記第５の本発明の情報記録方法である。
［００１９］
Ｔｔｏ＝Ｔｔ１×Ｔｔ２×（Ｐｗｔ１−Ｐｗｔ２）／｛Ｐｗｏ×（Ｔｔ２−Ｔｔ１）−（Ｔｔ２×Ｐｗｔ２−Ｔｔ１×Ｐｗｔ１）｝・・・・式５
また、第７の本発明は、前記テストパターンは、前記第１の記録マーク長に対応して前記レーザの照射の制御により形成されるマークとスペースの繰り返し信号と、前記第２の記録マーク長に対応して前記レーザの照射の制御により形成されるマークとスペースの繰り返し信号とを含む、上記第１の本発明の情報記録方法である。
［００２０］
また、第８の本発明は、前記第１の記録マーク長は、最短長さ２Ｔの記録マーク長であり、
前記テストパターンは、２Ｔのマークと２Ｔのスペースの繰り返し信号と、前記第２のマーク長に対応した５Ｔ〜９Ｔのうち少なくとも１つの長さのマークとスペースの繰り返し信号とを含む、上記第７の本発明の情報記録方法である。
［００２１］
また、第９の本発明は、前記第１の記録マーク長は、最短長さの記録マーク長を３Ｔと表した場合に３Ｔの記録マーク長であり、
前記テストパターンは、３Ｔのマークと３Ｔのスペースの繰り返し信号と、前記第２のマーク長に対応した６Ｔ〜１４Ｔのうち少なくとも１つの長さのマークとスペースの繰り返し信号とを含む、上記第７の本発明の情報記録
【手続補正５】
【補正対象書類名】明細書
【補正対象項目名】０００８
【補正方法】変更
【補正の内容】
【０００８】
方法である。
［００２２］
また、第１０の本発明は、前記テストパターンは、前記各マーク長の出現頻度が実質上一定のランダム信号である、上記第１の本発明の情報記録方法である。
［００２３］
また、第１１の本発明は、前記テストパターンは、１７ＰＰ変調あるいは８−１６変調された任意のランダム信号である、上記第１の本発明の情報記録方法である。
［００２４］
また、第１２の本発明は、前記記録ステップでは、前記記録パワーを変えながら複数の前記テストパターンを連続して記録し、
前記再生ステップでは、前記複数のテストパターンを連続して再生する、上記第１の本発明の情報記録方法である。
［００２５］
また、第１３の本発明は、基準時間幅をＴｗとし、前記第１の記録マーク長の時間幅は、Ｔｗ／１６の整数倍単位（ｎ：整数）に正規化して設定する、上記第１の本発明の情報記録方法である。
［００２６］
また、第１４の本発明は、光学的情報記録媒体に、少なくとも異なる第１、第２及び第３の線速度Ｌｖ１、Ｌｖ２、Ｌｖ３（但し、Ｌｖ１＜Ｌｖ２＜Ｌｖ３）で情報を記録する情報記録方法であって、
上記第１、及び第３から第１３の何れかの本発明の情報記録方法を利用して前記所望の時間幅に対応する情報として、少なくとも前記第１及び第２の線速度Ｌｖ１、Ｌｖ２における正規化された最適記録パルス幅ｎｖ１およびｎｖ２に関する値を求めるステップと、
前記正規化された最適記録パルス幅ｎｖ２に関する値が、（ａ）予め定められた基準値以上であれば、前記第１の線速度Ｌｖ１でのターゲット記録パワーＰｗｔと前記記録パルスの時間幅Ｔｔとの所定の関係を用いて前記正規化された最適記録パルス幅ｎｖ２に関する値に対応するターゲット記録パワーＰｗｔ１２を求め、（ｂ）前記基準値未満であれば、前記第１の線速度Ｌｖ１でのターゲット記録パワーＰｗｔと前記記録パルスの時間幅Ｔｔとの所定の関係を用いて前記第３の線速度における正規化された最適記録パルス幅
【手続補正６】
【補正対象書類名】明細書
【補正対象項目名】０００９
【補正方法】変更
【補正の内容】
【０００９】
ｎｖ３に関する値に対応するターゲット記録パワーＰｗｔ１３を求め、且つ、前記第２の線速度Ｌｖ２でのターゲット記録パワーＰｗｔと前記記録パルスの時間幅Ｔｔとの所定の関係を用いて前記最適記録パルス幅ｎｖ３に関する値に対応するターゲット記録パワーＰｗｔ２３を求めるターゲット記録パワー取得ステップと、
前記求めたターゲット記録パワーを利用して、前記第３の線速度Ｌｖ３での最適記録パワーを求める最適記録パワー取得ステップと、
を備えた情報記録方法である。
［００２７］
また、第１５の本発明は、前記記録パルスの時間幅Ｔｔは、前記第１の記録マーク長に対応したそれぞれ時間幅の異なる試し書き用記録パルスの時間幅Ｔｔであり、
前記所定の関係とは、前記時間幅の異なる各試し書き用記録パルスの時間幅Ｔｔと、前記Ｔｔに対応するターゲット記録パワーＰｗｔとが、下記の式１を満たす関係である、上記第１４の本発明の情報記録方法である。
［００２８］
Ｐｗｔ＝Ｃ１／Ｔｔ＋Ｃ２・・・式１（ただし、Ｃ１，Ｃ２は定数）
また、第１６の本発明は、前記正規化された最適記録パルス幅ｎｖ２が、前記予め定められた基準値以上であれば、前記第３の線速度Ｌｖ３における正規化された最適パルス幅ｎｖ３を、ｎｖ３＝ｎｖ２＞ｎｖ１となる整数ｎｖ３として決定する、上記第１４の本発明の情報記録方法である。
［００２９］
また、第１７の本発明は、前記第３の線速度Ｌｖ３の最適記録パルス幅ｎｖ３は％Ｔｗ／１６×ｎｖ３≧２［ｎｓ］の条件を満たす、上記第１４から１６のいずれかの本発明の情報記録方法である。
［００３０］
また、第１８の本発明は、前記第３の線速度Ｌｖ３で記録する際のチャネルクロックは３３０ＭＨｚ以上である、上記第１４から１７のいずれかの本発明の情報記録方法である。
［００３１］
また、第１９の本発明は、上記第１、及び第３から第１４の何れかの本発明の情報記録方法に使用される前記光学的情報記録媒体であって、
前記光学的情報記録媒体への情報の記録は、第１，第２及び第３の線速度
【手続補正７】
【補正対象書類名】明細書
【補正対象項目名】００１０
【補正方法】変更
【補正の内容】
【００１０】
Ｌｖ１、Ｌｖ２、Ｌｖ３（但し、Ｌｖ１＜Ｌｖ２＜Ｌｖ３）で行われるものであり、
最短マーク記録時の前記記録パルス列のピークパワーレベルの推奨パルス時間幅を、Ｔｔ＝ｎ×Ｔｗ／１６とあらわし（ｎは正の整数）、前記第１の線速度での推奨パルス幅をｎ１、前記第２の線速度での推奨パルス幅をｎ２、および前記第３の線速度での推奨パルス幅をｎ３としたとき、前記ｎ１、ｎ２、ｎ３の値が、前記光学的情報記録媒体のディスク管理領域にあらかじめ記載されている、光学的情報記録媒体である。
［００３２］
また、第２０の本発明は、前記３つの推奨パルス幅が、ｎ１＝ｎ２＝ｎ３である、上記第１９の本発明の光学的情報記録媒体である。
［００３３］
また、第２１の本発明は、前記３つの推奨パルス幅が、ｎ２／ｎ１＝ｎ３／ｎ２である、上記第１９の本発明の光学的情報記録媒体である。
［００３４］
また、第２２の本発明は、前記３つの推奨パルス幅が、ｎ３＝ｎ２≧ｎ１である、上記第１９の本発明の光学的情報記録媒体である。
［００３５］
また、第２３の本発明は、前記第３の線速度の推奨パルス幅の値ｎ３は、Ｔｗ／１６×ｎ３≧２［ｎｓ］の条件を満たす、上記第１９の本発明の光学的情報記録媒体である。
［００３６］
また、第２４の本発明は、光学的情報記録媒体に、レーザ光の所望の記録パワー及び記録パルスの所望の時間幅により情報を記録する光学的情報記録再生装置であって、
第１の記録マーク長と、前記第１の記録マーク長より長い第２の記録マーク長とを含むテストパターンを生成する変調部と、
前記生成されたテストパターンを、前記第１の記録マーク長に対応したそれぞれ時間幅の異なる試し書き用記録パルスと、前記第２の記録マーク長に対応した第２の試し書き用記録パルスとを含む記録パルス列に変換する記録パルス列変換部と、
前記レーザ光を制御することにより記録パワーを順次変更し、前記光学的情報記録媒体の所定領域に前記記録パルス列に基づいて前記テストパターン
【手続補正８】
【補正対象書類名】明細書
【補正対象項目名】００１１
【補正方法】変更
【補正の内容】
【００１１】
を記録する光照射部と、
前記所定領域から得られた再生信号に基づいて、前記変更されたそれぞれの記録パワーに対応した第１の信号指標を前記時間幅の異なる各試し書き用記録パルス毎に取得し、前記取得した第１の信号指標と前記記録パワーとの関係を第１の信号指標特性として保持し、且つ、前記再生信号の内、前記第２の試し書き用記録パルスに対応する部分に基づいて、前記それぞれの記録パワーに応じた第２の信号指標を取得し、前記取得した第２の信号指標と前記記録パワーとの関係を第２の信号指標特性として保持する再生信号処理部と、
前記第２の信号指標特性に基づいて、前記第１の記録マーク長の記録パルスに用いる前記所望の記録パワーを求め、且つ、（ａ）その求めた前記所望の記録パワーと、（ｂ）前記時間幅の異なる各試し書き用記録パルス毎に保持される前記第１の信号指標特性から、推奨された第１の信号指標を用いて求めた各ターゲット記録パワーと、（ｃ）前記異なる各時間幅と、を利用して、予め定めたルールに基づいて前記第１の記録マーク長の記録パルスの前記所望の時間幅を求める記録条件取得部と、
を備えた光学的情報記録再生装置である。
［００３７］
［００３８］
また、第２６の本発明は、前記第１の信号指標は、前記再生信号のアシンメトリ又はβ値であり、
前記第２の信号指標は、前記再生信号の変調度であり、
前記再生信号処理部は、前記第１の信号指標を、前記時間幅の異なる各試し書き用記録パルス毎に取得する際、前記時間幅の異なる各試し書き用記録パル
【手続補正９】
【補正対象書類名】明細書
【補正対象項目名】００１２
【補正方法】変更
【補正の内容】
【００１２】
スの再生信号と、前記第２の試し書き用記録パルスの再生信号とを利用する、上記第２４の本発明の光学的情報記録再生装置である。
［００３９］
また、第２７の本発明は、前記第１の信号指標は、前記第１の記録マーク長の再生信号レベルと、未記録状態の部位での反射光の再生信号レベルとを利用して得られる信号指標である、上記第２４の本発明の光学的情報記録再生装置である。
［００４０］
また、第２８の本発明は、前記時間幅の異なる試し書き用記録パルスのそれぞれの幅をＴｔ１，Ｔｔ２とし、それぞれの前記ターゲット記録パワーをＰｗｔ１，Ｐｗｔ２とした場合、前記記録条件取得部は、下記の式１の関係が成り立つことを利用して、定数Ｃ１、Ｃ２を求める上記第２４の本発明の光学的情報記録再生装置である。
［００４１］
Ｐｗｔ＝Ｃ１／Ｔｔ＋Ｃ２・・・式１（ただし、Ｃ１，Ｃ２は定数）
また、第２９の本発明は、前記予め定めたルールに基づいて前記第１の記録マーク長の記録パルスの前記所望の時間幅を求めるとは、
前記所望の時間幅をＴｔｏとし、前記所望の記録パワーをＰｗｏとした場合、下記の式５を用いて、前記Ｔｔｏを求めることである、上記第２８の本発明の光学的情報記録再生装置である。
［００４２］
Ｔｔｏ＝Ｔｔ１×Ｔｔ２×（Ｐｗｔ１−Ｐｗｔ２）／｛Ｐｗｏ×（Ｔｔ２−Ｔｔ１）−（Ｔｔ２×Ｐｗｔ２−Ｔｔ１×Ｐｗｔ１）｝・・・・式５
また、第３０の本発明は、上記第１の本発明の情報記録方法の、前記第２の信号指標特性に基づいて、前記第１の記録マーク長の記録パルスに用いる前記所望の記録パワーを求め、且つ、（ａ）その求めた前記所望の記録パワーと、（ｂ）前記時間幅の異なる各試し書き用記録パルス毎に保持される前記第１の信号指標特性から、推奨された第１の信号指標を用いて求めた各ターゲット記録パワーと、（ｃ）前記異なる各時間幅と、を利用して、予め定めたルールに基づいて前記第１の記録マーク長の記録パルスの前記所望の時間幅を求める処理ステップをコンピュータに実行させるプログラムである。
［００４３］
また、第３１の本発明は、上記第１４の本発明の情報記録方法の、前記正規化された最適記録パルス幅ｎｖ２に関する値が、（ａ）予め定められた基
【手続補正書】
【提出日】平成22年2月25日(2010.2.25)
【手続補正１】
【補正対象書類名】明細書
【補正対象項目名】全文
【補正方法】変更
【補正の内容】
【発明の詳細な説明】
【技術分野】
【０００１】
本発明は光ディスクにレーザ光を照射して未記録部とは物理的性質の異なるマークを形成することによって情報を記録する情報記録方法と、光ディスク記録再生装置および、光ディスク媒体に関するものである。特にＢＤ−Ｒとよばれる追記型光ディスク媒体に高速で記録するための情報記録方法及び光学的情報記録再生装置及びそれに用いる光学的情報記録媒体などに関する。
【背景技術】
【０００２】
高密度・大容量の記憶媒体として、ピット状パターンを有する光ディスクを用いる光メモリ技術は、ブルーレイ・ディスク（ＢＤ）、デジタル・バーサタイト・ディスク（ＤＶＤ）、ビデオディスク、文書ファイルディスク、さらにはデータファイルと用途を拡張しつつ、実用化されてきている。特にＤＶＤ−Ｒ／ＢＤ−Ｒなどのライトワンスと呼ばれる追記型光ディスクの市場ではその要請が高まっている。追記型の光ディスクの記録材料の一例としては、特許文献１にＴｅ−Ｏ−Ｍ（但し、Ｍは金属元素、半金属元素及び半導体元素から選ばれる少なくとも一つの元素である。）を含有する材料を用いた開示がある。記録材料がＴｅ−Ｏ−Ｍとは、Ｔｅ、Ｏ及びＭを含有する材料であり、成膜直後でＴｅＯ２のマトリクス中にＴｅ、Ｔｅ−Ｍ及びＭの微粒子が一様にランダムに分散された複合材料である。この記録材料によって形成された膜にレーザ光を照射すると、膜の溶融が起こり、粒径の大きいＴｅ或いはＴｅ−Ｍの結晶が析出する。この際の光学状態の違いを信号として検出することができ、これにより１回のみ書き込み可能な、いわゆる追記型の記録が可能となる。
【０００３】
追記型光ディスクに照射するレーザパワーやライトストラテジを最適化する方法としては、特許文献２および３で示された方法がある。これらの文献に開示されている方法では、光記録媒体の初期値記録領域の中に、推奨記録パワーや書き込み時の光波形を記述したライトストラテジの情報が記録されている。光ディスク装置は、前記初期値情報を手掛かりに任意のタイミングで記録パワーの学習することができる。
【０００４】
特に近年では、大容量の光ディスク対応のコンピュータ周辺機器および光ディスク録画機においては、高速転送レートでの記録が強く要望されている。高速転送レートを得るためには、ディスク回転数（あるいは線速度）を上げる必要があり、これに伴って記録時のレーザパワーをも引き上げる必要がある。しかしながら、一般的にレーザ光の照射により記録膜の結晶、非結晶の間の相変化を起こす光ディスクにおいては、線速度が高速化するにつれて、形成される記録マークの状態が変化する。つまり、記録マーク形成に必要な先頭加熱パルスによる熱容量の不足が発生したり、最適な分解温度に対して到達する加熱温度が異なって記録マークの平均長がばらついたり、最適な加熱パルスのデューティ比が異なって均一な記録マーク幅が得られなくなり記録マーク長に応じて太りや細り（いわゆる涙型マーク）が生じたりして、ジッタが悪化してしまうという課題がある。そこで、線速度の向上に応じて記録パルスのパルス幅や記録パワーを最適化する必要がある。
【０００５】
また、高速転送レートで記録するためには、従来のＣＬＶ（Ｃｏｎｓｔａｎｔ  Ｌｉｎｅａｒ  Ｖｅｌｏｃｉｔｙ）方式とよばれる、トラック半径に反比例した回転数になるよう光ディスクの回転速度を制御し、トラック線速度を一定にしながら、一定の記録チャネルクロックの周波数で情報の記録を行っている方式に代わって、ＣＡＶ（Ｃｏｎｓｔａｎｔ  Ａｎｇｕｌａｒ  Ｖｅｌｏｃｉｔｙ）方式で光ディスクに記録することが行われる。ＣＡＶ方式の場合、光ディスクに記録するチャネルクロックの周波数を、トラックの半径位置に比例させて、内周側で小さく、外周側で大きくさせる。この場合、記録線速度は内周側で遅く、外周側で早くなるが記録線密度は一定である。
【０００６】
例えば、ＢＤの８倍速（８Ｘ）に相当するような高速転送レートの記録をＣＬＶ方式で行おうとすると、光ディスクの内周でスピンドルモータの回転数が、基板材料であるプラスチックの破断限界から安全性を考慮して決まっている実用上の限界回転数である１００００ｒｐｍを超えることとなる。一方ＣＡＶ方式で最大回転数１００００ｒｐｍで記録する場合は、最内周でＢＤ５倍速（５Ｘ）、最外周でＢＤ１２Ｘ相当の高い転送レートを得ることができる。ＣＡＶ方式では、光ディスクを回転制御するスピンドルモータの回転変速制御が不要となり、小型で低コストのモータが使用できるようになる効果がある。また、変速を行わないため、シーク動作時の変速待ち時間が不要となりアクセス時間を大幅に短縮することができる。しかしながら、線速度が内周側から外周側にかけて徐々にかわるため、記録パルス列や記録パワーもそれに応じて適宜最適化する必要がある。
【０００７】
これらの課題に対する解決策に関しては、特許文献４〜６に開示がある。特許文献４によれば、ジッタ特性を悪化させることなく、記録に必要なレーザパワーを低減させるために、光ディスクを一定の回転数で回転させながら、記録領域に応じて異なる基準クロックに基づき、ライトストラテジに応じて強度変調された光ビームを照射することによって、外周側の領域で内周側の領域より高い周波数で情報を記録する方法が開示されている。即ち、光ビームの各領域における線速度を変えながら、基準クロックの周波数の整数倍の周波数で周期的にパルス発光する光ビームを用い、かつ、外周側の領域に光ビームが照射される時に、内周側の領域に光ビームが照射されるときよりパルス発光のデューティ比を大きくするようにしている。また、特許文献５によれば、記録パルス列のトップパルスおよびラストパルスの位置をシフトさせることにより、記録時のマークの熱歪を解消し、各記録線速度で記録パルス列のパルス幅と記録パワーを最適化する方法が開示されている。また、特許文献６によれば、個々の光ディスクの全記録可能領域に対応する最適記録パワーを比較的短時間に求めるために、試し書き用領域において、少なくとも２つの位置にそれぞれの記録線速度で最適記録パワーを求め、補間ルーチンにより、求めた２つの記録線速度における最適記録パワーに対して内挿処理又は外挿処理を行うことにより、全ての記録線速度での最適記録光量を求める方法が開示されている。
【０００８】
尚、下記の特許文献１〜６の全ての開示は、そっくりそのまま引用することにより、ここに一体化する。
【先行技術文献】
【特許文献】
【０００９】
【特許文献１】特開２００４−３６２７４８号公報
【特許文献２】特開２００３−１７３５６０号公報
【特許文献３】特開２０００−２５１２５４号公報
【特許文献４】特開平５−２７４６７８号公報
【特許文献５】国際公開第０３／１０７３３２号パンフレット
【特許文献６】特開平５−２２５５７０号公報
【発明の概要】
【発明が解決しようとする課題】
【００１０】
第１にＢＤ−Ｒのような追記型光ディスク媒体のようにレーザ光の照射熱量に応じて記録マークが形成される相変化光ディスクに高速での書き込み時には、チャネルクロック周波数が大きくなる。そのために、パルス状に変調したレーザ光のパルス時間幅が短くなるので、記録時のレーザの立上がり及び立下り時間の影響が大きくなり、記録パルス列の時間幅をコントロールすることが困難になる。また、記録時にレーザのパワー時間変化が速いために、設定したパワーの定常状態に落ち着く前にオーバーシュートやアンダーシュートの影響をうけ、精度よく記録パワーをコントロールすることが困難になる。即ち、記録パルス幅や、記録パワーを正確にコントロールして良好な記録信号品質を維持することが困難であるという課題がある。
【００１１】
また、光ディスクの内周部に試し記録領域が存在するが、外周部に試し記録領域が存在しない光ディスクにおいて、ＣＡＶ方式で記録を行う場合、内周と外周では回転数が同じであるが、外周が内周に比べ２．４倍の線速度である。このような場合、内周の遅い線速度では記録パワーや記録パルス幅を学習することが可能であるが、外周の速い線速度で、記録パワーや記録パルス幅の最適化をすることができないという課題がある。
【００１２】
そこで本発明は、上記従来の情報記録方法の課題を考慮して、少なくとも最適な記録パルス時間幅を従来より精度良く決定することが出来る情報記録方法、光学的情報記録再生装置、それに用いる光学的情報記録媒体、プログラム、及び記録媒体を提供することを目的とする。
【００１３】
また、本発明は、上記従来の情報記録方法の課題を考慮して、例えばＢＤ４倍速（チャネルクロック２６４ＭＨｚ）を超える高速転送レートで光ディスクに信号を記録する際に、良好な信号品質が得られる少なくとも記録パルスの時間幅を従来より精度よく決定することが出来る情報記録方法、光学的情報記録再生装置、それに用いる光学的情報記録媒体、プログラム、及び記録媒体を提供することを目的とする。
【課題を解決するための手段】
【００１４】
第１の本発明は、光学的情報記録媒体に、レーザ光の所望の記録パワー及び記録パルスの所望の時間幅により情報を記録する情報記録方法であって、
第１の記録マーク長と、前記第１の記録マーク長より長い第２の記録マーク長とを含むテストパターンを生成するテストパターン生成ステップと、
前記生成されたテストパターンを、前記第１の記録マーク長に対応したそれぞれ時間幅の異なる試し書き用記録パルスと、前記第２の記録マーク長に対応した第２の試し書き用記録パルスとを含む記録パルス列に変換する記録パルス列変換ステップと、
前記レーザ光を制御することにより記録パワーを順次変更し、前記光学的情報記録媒体の所定領域に前記記録パルス列に基づいて前記テストパターンを記録する記録ステップと、
前記所定領域から得られた再生信号に基づいて、前記変更されたそれぞれの記録パワーに対応した第１の信号指標を前記時間幅の異なる各試し書き用記録パルス毎に取得し、前記取得した第１の信号指標と前記記録パワーとの関係を第１の信号指標特性として保持し、且つ、前記再生信号の内、前記第２の試し書き用記録パルスに対応する部分に基づいて、前記それぞれの記録パワーに応じた第２の信号指標を取得し、前記取得した第２の信号指標と前記記録パワーとの関係を第２の信号指標特性として保持する再生ステップと、
前記第２の信号指標特性に基づいて、前記第１の記録マーク長の記録パルスに用いる前記所望の記録パワーを求め、且つ、（ａ）その求めた前記所望の記録パワーと、（ｂ）前記時間幅の異なる試し書き用記録パルス毎に保持される前記第１の信号指標特性から、推奨された第１の信号指標を用いて求めた各ターゲット記録パワーと、（ｃ）前記異なる各時間幅と、を利用して、予め定めたルールに基づいて前記第１の記録マーク長の記録パルスの前記所望の時間幅を求める処理ステップと、
を備えた情報記録方法である。
【００１５】
また、第２の本発明は、前記第１の信号指標は、前記再生信号のアシンメトリ又はβ値であり、
前記第２の信号指標は、前記再生信号の変調度であり、
前記再生ステップは、前記第１の信号指標を、前記時間幅の異なる各試し書き用記録パルス毎に取得する際、前記時間幅の異なる各試し書き用記録パルスの再生信号と、前記第２の試し書き用記録パルスの再生信号とを利用する、上記第１の本発明の情報記録方法である。
【００１６】
また、第３の本発明は、前記第１の信号指標は、前記第１の記録マーク長の再生信号レベルと、未記録状態の部位での反射光の再生信号レベルとを利用して得られる信号指標である、上記第１の本発明の情報記録方法である。
【００１７】
また、第４の本発明は、前記時間幅の異なる試し書き用記録パルスのそれぞれの幅をＴｔ１，Ｔｔ２とし、それぞれの前記ターゲット記録パワーをＰｗｔ１，Ｐｗｔ２とした場合、前記処理ステップは、下記の式１の関係が成り立つことを利用して、定数Ｃ１，Ｃ２を求める上記第１の本発明の情報記録方法である。
【００１８】
Ｐｗｔ＝Ｃ１／Ｔｔ＋Ｃ２・・・式１（ただし、Ｃ１，Ｃ２は定数）
また、第５の本発明は、前記予め定めたルールに基づいて前記第１の記録マーク長の記録パルスの前記所望の時間幅を求めるとは、
前記所望の時間幅をＴｔｏとし、前記所望の記録パワーをＰｗｏとした場合、下記の式５を用いて、前記Ｔｔｏを求めることである、上記第４の本発明の情報記録方法である。
【００１９】
Ｔｔｏ＝Ｔｔ１×Ｔｔ２×（Ｐｗｔ１−Ｐｗｔ２）／｛Ｐｗｏ×（Ｔｔ２−Ｔｔ１）−（Ｔｔ２×Ｐｗｔ２−Ｔｔ１×Ｐｗｔ１）｝・・・・式５
また、第６の本発明は、前記テストパターンは、前記第１の記録マーク長に対応して前記レーザの照射の制御により形成されるマークとスペースの繰り返し信号と、前記第２の記録マーク長に対応して前記レーザの照射の制御により形成されるマークとスペースの繰り返し信号とを含む、上記第１の本発明の情報記録方法である。
【００２０】
また、第７の本発明は、前記第１の記録マーク長は、最短長さ２Ｔの記録マーク長であり、
前記テストパターンは、２Ｔのマークと２Ｔのスペースの繰り返し信号と、前記第２のマーク長に対応した５Ｔ〜９Ｔのうち少なくとも１つの長さのマークとスペースの繰り返し信号とを含む、上記第６の本発明の情報記録方法である。
【００２１】
また、第８の本発明は、前記第１の記録マーク長は、最短長さの記録マーク長を３Ｔと表した場合に３Ｔの記録マーク長であり、
前記テストパターンは、３Ｔのマークと３Ｔのスペースの繰り返し信号と、前記第２のマーク長に対応した６Ｔ〜１４Ｔのうち少なくとも１つの長さのマークとスペースの繰り返し信号とを含む、上記第６の本発明の情報記録方法である。
【００２２】
また、第９の本発明は、前記テストパターンは、前記各マーク長の出現頻度が実質上一定のランダム信号である、上記第１の本発明の情報記録方法である。
【００２３】
また、第１０の本発明は、前記テストパターンは、１７ＰＰ変調あるいは８−１６変調された任意のランダム信号である、上記第１の本発明の情報記録方法である。
【００２４】
また、第１１の本発明は、前記記録ステップでは、前記記録パワーを変えながら複数の前記テストパターンを連続して記録し、
前記再生ステップでは、前記複数のテストパターンを連続して再生する、上記第１の本発明の情報記録方法である。
【００２５】
また、第１２の本発明は、基準時間幅をＴｗとし、前記第１の記録マーク長の時間幅は、Ｔｗ／１６の整数倍単位（ｎ：整数）に正規化して設定する、上記第１の本発明の情報記録方法である。
【００２６】
また、第１３の本発明は、光学的情報記録媒体に、少なくとも異なる第１、第２及び第３の線速度Ｌｖ１、Ｌｖ２、Ｌｖ３（但し、Ｌｖ１＜Ｌｖ２＜Ｌｖ３）で情報を記録する情報記録方法であって、
上記第１から第１２の何れかの本発明の情報記録方法を利用して前記所望の時間幅に対応する情報として、少なくとも前記第１及び第２の線速度Ｌｖ１、Ｌｖ２における正規化された最適記録パルス幅ｎｖ１およびｎｖ２に関する値を求めるステップと、
前記正規化された最適記録パルス幅ｎｖ２に関する値が、（ａ）予め定められた基準値以上であれば、前記第１の線速度Ｌｖ１でのターゲット記録パワーＰｗｔと前記記録パルスの時間幅Ｔｔとの所定の関係を用いて前記正規化された最適記録パルス幅ｎｖ２に関する値に対応するターゲット記録パワーＰｗｔ１２を求め、（ｂ）前記基準値未満であれば、前記第１の線速度Ｌｖ１でのターゲット記録パワーＰｗｔと前記記録パルスの時間幅Ｔｔとの所定の関係を用いて前記第３の線速度における正規化された最適記録パルス幅ｎｖ３に関する値に対応するターゲット記録パワーＰｗｔ１３を求め、且つ、前記第２の線速度Ｌｖ２でのターゲット記録パワーＰｗｔと前記記録パルスの時間幅Ｔｔとの所定の関係を用いて前記最適記録パルス幅ｎｖ３に関する値に対応するターゲット記録パワーＰｗｔ２３を求めるターゲット記録パワー取得ステップと、
前記求めたターゲット記録パワーを利用して、前記第３の線速度Ｌｖ３での最適記録パワーを求める最適記録パワー取得ステップと、
を備えた情報記録方法である。
【００２７】
また、第１４の本発明は、前記記録パルスの時間幅Ｔｔは、前記第１の記録マーク長に対応したそれぞれ時間幅の異なる試し書き用記録パルスの時間幅Ｔｔであり、
前記所定の関係とは、前記時間幅の異なる各試し書き用記録パルスの時間幅Ｔｔと、前記Ｔｔに対応するターゲット記録パワーＰｗｔとが、下記の式１を満たす関係である、上記第１３の本発明の情報記録方法である。
【００２８】
Ｐｗｔ＝Ｃ１／Ｔｔ＋Ｃ２・・・式１（ただし、Ｃ１，Ｃ２は定数）
また、第１５の本発明は、前記正規化された最適記録パルス幅ｎｖ２が、前記予め定められた基準値以上であれば、前記第３の線速度Ｌｖ３における正規化された最適パルス幅ｎｖ３を、ｎｖ３＝ｎｖ２＞ｎｖ１となる整数ｎｖ３として決定する、上記第１３の本発明の情報記録方法である。
【００２９】
また、第１６の本発明は、前記第３の線速度Ｌｖ３の最適記録パルス幅ｎｖ３は、Ｔｗ／１６×ｎｖ３≧２［ｎｓ］の条件を満たす、上記第１３から１５のいずれかの本発明の情報記録方法である。
【００３０】
また、第１７の本発明は、前記第３の線速度Ｌｖ３で記録する際のチャネルクロックは３３０ＭＨｚ以上である、上記第１３から１５のいずれかの本発明の情報記録方法である。
【００３１】
また、第１８の本発明は、上記第１から第１３の何れかの本発明の情報記録方法に使用される前記光学的情報記録媒体であって、
前記光学的情報記録媒体への情報の記録は、第１，第２及び第３の線速度Ｌｖ１、Ｌｖ２、Ｌｖ３（但し、Ｌｖ１＜Ｌｖ２＜Ｌｖ３）で行われるものであり、
最短マーク記録時の前記記録パルス列のピークパワーレベルの推奨パルス時間幅を、Ｔｔ＝ｎ×Ｔｗ／１６とあらわし（ｎは正の整数）、前記第１の線速度での推奨パルス幅をｎ１、前記第２の線速度での推奨パルス幅をｎ２、および前記第３の線速度での推奨パルス幅をｎ３としたとき、前記ｎ１、ｎ２、ｎ３の値が、前記光学的情報記録媒体のディスク管理領域にあらかじめ記載されている、光学的情報記録媒体である。
【００３２】
また、第１９の本発明は、前記３つの推奨パルス幅が、ｎ１＝ｎ２＝ｎ３である、上記第１８の本発明の光学的情報記録媒体である。
【００３３】
また、第２０の本発明は、前記３つの推奨パルス幅が、ｎ２／ｎ１＝ｎ３／ｎ２である、上記第１８の本発明の光学的情報記録媒体である。
【００３４】
また、第２１の本発明は、前記３つの推奨パルス幅が、ｎ３＝ｎ２≧ｎ１である、上記第１８の本発明の光学的情報記録媒体である。
【００３５】
また、第２２の本発明は、前記第３の線速度の推奨パルス幅の値ｎ３は、Ｔｗ／１６×ｎ３≧２［ｎｓ］の条件を満たす、上記第１８の本発明の光学的情報記録媒体である。
【００３６】
また、第２３の本発明は、光学的情報記録媒体に、レーザ光の所望の記録パワー及び記録パルスの所望の時間幅により情報を記録する光学的情報記録再生装置であって、
第１の記録マーク長と、前記第１の記録マーク長より長い第２の記録マーク長とを含むテストパターンを生成する変調部と、
前記生成されたテストパターンを、前記第１の記録マーク長に対応したそれぞれ時間幅の異なる試し書き用記録パルスと、前記第２の記録マーク長に対応した第２の試し書き用記録パルスとを含む記録パルス列に変換する記録パルス列変換部と、
前記レーザ光を制御することにより記録パワーを順次変更し、前記光学的情報記録媒体の所定領域に前記記録パルス列に基づいて前記テストパターンを記録する光照射部と、
前記所定領域から得られた再生信号に基づいて、前記変更されたそれぞれの記録パワーに対応した第１の信号指標を前記時間幅の異なる各試し書き用記録パルス毎に取得し、前記取得した第１の信号指標と前記記録パワーとの関係を第１の信号指標特性として保持し、且つ、前記再生信号の内、前記第２の試し書き用記録パルスに対応する部分に基づいて、前記それぞれの記録パワーに応じた第２の信号指標を取得し、前記取得した第２の信号指標と前記記録パワーとの関係を第２の信号指標特性として保持する再生信号処理部と、
前記第２の信号指標特性に基づいて、前記第１の記録マーク長の記録パルスに用いる前記所望の記録パワーを求め、且つ、（ａ）その求めた前記所望の記録パワーと、（ｂ）前記時間幅の異なる各試し書き用記録パルス毎に保持される前記第１の信号指標特性から、推奨された第１の信号指標を用いて求めた各ターゲット記録パワーと、（ｃ）前記異なる各時間幅と、を利用して、予め定めたルールに基づいて前記第１の記録マーク長の記録パルスの前記所望の時間幅を求める記録条件取得部と、
を備えた光学的情報記録再生装置である。
【００３７】
また、第２４の本発明は、前記第１の信号指標は、前記再生信号のアシンメトリ又はβ値であり、
前記第２の信号指標は、前記再生信号の変調度であり、
前記再生信号処理部は、前記第１の信号指標を、前記時間幅の異なる各試し書き用記録パルス毎に取得する際、前記時間幅の異なる各試し書き用記録パルスの再生信号と、前記第２の試し書き用記録パルスの再生信号とを利用する、上記第２３の本発明の光学的情報記録再生装置である。
【００３８】
また、第２５の本発明は、前記第１の信号指標は、前記第１の記録マーク長の再生信号レベルと、未記録状態の部位での反射光の再生信号レベルとを利用して得られる信号指標である、上記第２３の本発明の光学的情報記録再生装置である。
【００３９】
また、第２６の本発明は、前記時間幅の異なる試し書き用記録パルスのそれぞれの幅をＴｔ１，Ｔｔ２とし、それぞれの前記ターゲット記録パワーをＰｗｔ１，Ｐｗｔ２とした場合、前記記録条件取得部は、下記の式１の関係が成り立つことを利用して、定数Ｃ１、Ｃ２を求める上記第２３の本発明の光学的情報記録再生装置である。
【００４０】
Ｐｗｔ＝Ｃ１／Ｔｔ＋Ｃ２・・・式１（ただし、Ｃ１，Ｃ２は定数）
また、第２７の本発明は、前記予め定めたルールに基づいて前記第１の記録マーク長の記録パルスの前記所望の時間幅を求めるとは、
前記所望の時間幅をＴｔｏとし、前記所望の記録パワーをＰｗｏとした場合、下記の式５を用いて、前記Ｔｔｏを求めることである、上記第２６の本発明の光学的情報記録再生装置である。
【００４１】
Ｔｔｏ＝Ｔｔ１×Ｔｔ２×（Ｐｗｔ１−Ｐｗｔ２）／｛Ｐｗｏ×（Ｔｔ２−Ｔｔ１）−（Ｔｔ２×Ｐｗｔ２−Ｔｔ１×Ｐｗｔ１）｝・・・・式５
また、第２８の本発明は、上記第１の本発明の情報記録方法の、前記第２の信号指標特性に基づいて、前記第１の記録マーク長の記録パルスに用いる前記所望の記録パワーを求め、且つ、（ａ）その求めた前記所望の記録パワーと、（ｂ）前記時間幅の異なる各試し書き用記録パルス毎に保持される前記第１の信号指標特性から、推奨された第１の信号指標を用いて求めた各ターゲット記録パワーと、（ｃ）前記異なる各時間幅と、を利用して、予め定めたルールに基づいて前記第１の記録マーク長の記録パルスの前記所望の時間幅を求める処理ステップをコンピュータに実行させるプログラムである。
【００４２】
また、第２９の本発明は、上記第１３の本発明の情報記録方法の、前記正規化された最適記録パルス幅ｎｖ２に関する値が、（ａ）予め定められた基準値以上であれば、前記第１の線速度Ｌｖ１でのターゲット記録パワーＰｗｔと前記記録パルスの時間幅Ｔｔとの所定の関係を用いて前記正規化された最適記録パルス幅ｎｖ２に関する値に対応するターゲット記録パワーＰｗｔ１２を求め、（ｂ）前記基準値未満であれば、前記第１の線速度Ｌｖ１でのターゲット記録パワーＰｗｔと前記記録パルスの時間幅Ｔｔとの所定の関係を用いて前記第３の線速度における正規化された最適記録パルス幅ｎｖ３に関する値に対応するターゲット記録パワーＰｗｔ１３を求め、且つ、前記第２の線速度Ｌｖ２でのターゲット記録パワーＰｗｔと前記記録パルスの時間幅Ｔｔとの所定の関係を用いて前記最適記録パルス幅ｎｖ３に関する値に対応するターゲット記録パワーＰｗｔ２３を求めるターゲット記録パワー取得ステップと、
前記求めたターゲット記録パワーを利用して、前記第３の線速度Ｌｖ３での最適記録パワーを求める最適記録パワー取得ステップと、をコンピュータに実行させるプログラムである。
【００４３】
また、第３０の本発明は、上記第２８又は２９の本発明のプログラムを記録した記録媒体であって、コンピュータにより処理可能な記録媒体である。
【００４４】
また、第３１の本発明は、光学的情報記録媒体に、少なくとも異なる第１、第２及び第３の線速度Ｌｖ１、Ｌｖ２、Ｌｖ３（但し、Ｌｖ１＜Ｌｖ２＜Ｌｖ３）で情報を記録する情報記録方法であって、
記録パルスの所望の時間幅として、少なくとも前記第１及び第２の線速度Ｌｖ１、Ｌｖ２における規格化された最適記録パルス幅ｎｖ１およびｎｖ２に関する値を求めるステップと、
前記規格化された最適記録パルス幅ｎｖ２に関する値が、（ａ）予め定められた基準値以上であれば、前記第１の線速度Ｌｖ１でのターゲット記録パワーＰｗｔと前記記録パルスの時間幅Ｔｔとの所定の関係を用いて前記規格化された最適記録パルス幅ｎｖ２に関する値に対応するターゲット記録パワーＰｗｔ１２を求め、（ｂ）前記基準値未満であれば、前記第１の線速度Ｌｖ１でのターゲット記録パワーＰｗｔと前記記録パルスの時間幅Ｔｔとの所定の関係を用いて前記第３の線速度における規格化された最適記録パルス幅ｎｖ３に関する値に対応するターゲット記録パワーＰｗｔ１３を求め、且つ、前記第２の線速度Ｌｖ２でのターゲット記録パワーＰｗｔと前記記録パルスの時間幅Ｔｔとの所定の関係を用いて前記最適記録パルス幅ｎｖ３に関する値に対応するターゲット記録パワーＰｗｔ２３を求めるターゲット記録パワー取得ステップと、
前記求めたターゲット記録パワーを利用して、前記第３の線速度Ｌｖ３での最適記録パワーを求める最適記録パワー取得ステップと、
を備えた情報記録方法である。
【発明の効果】
【００４５】
以上説明したように、本発明によれば、少なくとも最適な記録パルス時間幅を従来より精度良く決定することが出来る情報記録方法、光学的情報記録再生装置、それに用いる光学的情報記録媒体、プログラム、及び記録媒体を提供することが出来る。
【００４６】
また、本発明によれば、例えばＢＤ４倍速（チャネルクロック２６４ＭＨｚ）を超える高速転送レートで光ディスクに信号を記録する際に、良好な信号品質が得られる少なくとも記録パルスの時間幅を従来より精度よく決定することが出来る情報記録方法、光学的情報記録再生装置、それに用いる光学的情報記録媒体、プログラム、及び記録媒体を提供することが出来る。
【図面の簡単な説明】
【００４７】
【図１】本発明の一実施の形態の光学的情報記録再生装置の全体構成を説明する図
【図２】本発明の一実施の形態の光学的情報記録媒体の構成を説明する図
【図３】本発明の一実施の形態における変調信号と記録パルス列を説明する図
【図４】本発明の一実施の形態における４種類の記録パルス時間幅での、記録パワーと再生信号のアシンメトリの測定結果を説明する図
【図５】本発明の一実施の形態におけるターゲット記録パワーＰｗｔと正規化された２Ｔマークのパルス幅の逆数の関係を説明する図
【図６】本発明の一実施の形態における最適記録パワーと記録パルスの最適パルス時間幅を決定する手順を説明する図
【図７】本発明の一実施の形態におけるテストパターンを記録する際の記録ブロックを概念的（模式的）に説明する図
【図８】本発明の一実施の形態における変調信号と光ピックアップからの再生信号を説明する図
【図９】本発明の一実施の形態における記録パワーに対する再生信号の変調度の測定結果を説明する図
【図１０】本発明の一実施の形態における記録パワーに対する再生信号のアシンメトリの測定結果を説明する図
【図１１】本発明の一実施の形態における記録パワーに対する変調度とパワーの積の関係を説明する図
【図１２】（ａ）、（ｂ）：本発明の一実施の形態におけるβ値を説明する図
【図１３】本発明の一実施の形態における最適記録パワーと記録パルスの最適パルス時間幅を決定する手順の別の例を説明する図
【図１４】本発明の一実施の形態における記録パルス列の別の例を説明する図
【図１５】本発明の一実施の形態における異なる３つの線速度で記録する際のターゲット記録パワーと正規化されたパルス幅の逆数（１／ｎｖ）との関係を説明する図
【図１６】本発明の一実施の形態における異なる３つの線速度で記録する際のターゲット記録パワーと正規化されたパルス幅の逆数（１／ｎｖ）との関係を説明する図
【図１７】本発明の一実施の形態における異なる３つの線速度で最適記録パワーと記録パルスの最適パルス時間幅を決定する手順を説明する図
【発明を実施するための形態】
【００４８】
以下、本発明の実施の形態を説明する。本実施の形態では記録媒体として追記型の相変化光ディスク特にＢＤ−Ｒ（追記型ブルーレイディスク）を例にとって説明する。これは記録媒体を特に限定するものではなく、記録媒体にエネルギーを注入して未記録部とは物理的性質の異なるマークを形成することによって情報を記録する記録媒体に共通の技術である。ブルーレイディスクの主な光学定数と物理フォーマットについては、「ブルーレイディスク読本」（オーム社出版）に記載がある。それによると、ＢＤ−Ｒの主なパラメータは、レーザ波長４０５ｎｍ、ＮＡ＝０．８５の対物レンズを用いており、ディスク構造はトラックピッチ０．３２μｍ、記録面がレーザ入射側から１層あるいは２層構成であり、情報記録面までの入射側厚みは７５μｍ〜１００μｍの相変化光ディスクである。変調方式は１７ＰＰ変調を利用し、記録されるマークの最短マーク長（２Ｔマーク）は０．１４９μｍである。記録容量は片面単層２５ＧＢ、同２層５０ＧＢである。チャネルクロック周波数はＢＤ標準速（１Ｘ）で６６ＭＨｚであり（ＢＤ４Ｘでは２６４ＭＨｚ、ＢＤ８Ｘでは５２８ＭＨｚに相当）線速度は標準線速度で４．９２ｍ／ｓｅｃである。
【００４９】
図１は本発明による光学的情報記録再生装置の全体構成の一例を説明する図である。図１において１０１は光学的記録媒体（光ディスク）であるＢＤ−Ｒであり、図２は光学的情報記録媒体の構成を説明する図である。図２に示すように光ディスク（ＢＤ−Ｒ）の内周側からリードインゾーン１００４、データ領域１００１、リードアウトゾーン１００５が配置されている。リードインゾーン内には、ＯＰＣ領域１００２、ＰＩＣ（Ｐｅｒｍａｎｅｎｔ  Ｉｎｆｏｒｍａｔｉｏｎ  ＆  Ｃｏｎｔｒｏｌ  Ｄａｔａ）領域１００３が配置されている。ＯＰＣ領域１００２は、データ領域１００１にデータを記録する前に、ディスク毎に最適な記録パワーや記録パルス列の条件を試し記録により最適化するために用いられる領域である。また、光ディスク装置の個々のばらつきや、急激な温度変動などの環境変化が生じた際に、記録パワーや記録パルス列の変動分などを調整するために、試し記録を行う領域でもある。ＰＩＣ領域１００３は、溝を高速に変調することで、ディスク構造や推奨記録パワーを求めるのに必要なパラメータや記録パルス列の推奨値、記録線速度、再生条件などが記録されている再生専用領域である。ＰＩＣ領域の内周側には図示しないが、ＢＣＡ（Ｂｕｒｓｔ  Ｃｕｔｔｉｎｇ  Ａｒｅａ）とよばれるバーコード状の信号でメディア識別用の固有の番号が記録されており、著作権保護などの情報として用いられる。
【００５０】
データ領域１００１は、実際に光ディスクにユーザが指定するデータを記録する領域でユーザ領域ともよばれる。
【００５１】
リードアウトゾーン１００５は、試し記録のためのＯＰＣ領域や、再生専用のＰＩＣ領域はなくＩＮＦＯ領域とよばれる記録データの管理情報に関するデータが記録されている。図示しないが、ＩＮＦＯ領域は内周のリードインゾーン内にも設けられ、信頼性を高めるために外周と共通の情報が記録されている。
【００５２】
また、各領域のディスク中心からの半径は、リードインゾーンが２２．２ｍｍ〜２４．０ｍｍ、データ領域が２４．０ｍｍ〜５８．０ｍｍ、リードアウトゾーンが５８．０ｍｍ〜５８．５ｍｍである。
【００５３】
ＢＤ−ＲにＣＬＶ方式で４Ｘの速度で記録する場合、最内周のデータ領域では概略８０００ｒｐｍ、最外周のデータ領域では概略３２００ｒｐｍの回転数が必要である。また、ＢＤ−ＲにＣＬＶ方式で８Ｘで記録をする場合、最内周のデータ領域では概略１６０００ｒｐｍ、最外周のデータ領域では概略６４００ｒｐｍの回転数が必要となるが、内周ではスピンドルモータの回転数が１００００ｒｐｍを越えるためＣＡＶ方式で最大概略４Ｘの速度で書き込むこととなる。
【００５４】
図１において、１０２は本発明の光学的情報記録再生装置全体を制御するシステム制御手段である。１０３はテストパターンに応じて２値化記録データ（ＮＲＺＩ）信号を発生させる変調手段、１０４はテストパターンのＮＲＺＩ信号からマーク長に応じてレーザをパルス状に発光させる記録パルス列に変換する記録パルス列変換手段、１０５はレーザ出力の制御と駆動を行うレーザ駆動手段である。１０６は光照射手段であり、光ディスク１０１に光ビームを照射するレーザダイオード１０６ａ（ＬＤ）と、検出レンズ１０６ｂと、光検出器１０６ｃを搭載している光ピックアップである。１０７は回転制御手段であり、光ディスク１０１上のレーザ照射半径位置に応じて、所望の線速度となるように１０８のスピンドルモータの回転数を制御する。その他、図示しないが、光スポットを指定したトラックにフォーカス、トラッキングするサーボ手段とを備える。次に再生動作について説明する。１０９は光ディスク１０１からの反射光を光検出器で受光し、受光した光の強弱に応じて出力される再生信号（電圧信号）の信号処理（波形等化、２値化、ビタビ復号等）および各種信号指標の計測を行う再生信号処理手段であり、１１０は２値化されたＮＲＺＩ信号から誤り訂正処理（ＥＣＣ）を施し、再生データを得る復調手段である。１１１は記録条件演算手段であり、１０９の再生信号処理手段の再生信号の変調度、アシンメトリ、β値、ジッタ、シンボルエラーレート（ＳＥＲ）等の各種信号指標をもとに、記録パワーや、記録パルス列の条件を最適化する演算処理を行う記録条件演算手段である。
【００５５】
また、本発明で用いた光ディスク１０１は、追記型の片面２層のＢＤ−Ｒディスクである。記録膜材料がＴｅＯＰｄであり、本記録材料の特徴は、成膜直後でＴｅＯ２のマトリクス中にＴｅ、Ｔｅ−Ｐｄ及びＰｄの微粒子が一様にランダムに分散された複合材料である。この記録膜にレーザ光を照射すると、膜の溶融が起こり、粒径の大きいＴｅ或いはＴｅ−Ｐｄの結晶が析出する。この際の光学状態（反射率）の違いを信号として検出することができ、これにより１回のみ書き込み可能な、いわゆる追記型の記録が可能となる。このような追記型材料では、一定温度以上の熱エネルギーが記録膜に照射されると結晶化がおこり記録マークが形成される。すなわちレーザパワーと照射時間と線速度によってきまる単位面積あたりの注入熱エネルギーにより、記録されるマークのサイズがきまることを特徴とする追記型光ディスクに適した記録膜材料である。
【００５６】
図３に本実施の形態の記録パルス列７０２と変調信号７０１を示す。記録パルス列変換手段は、変調手段からの７０１変調信号（ＮＲＺＩ）に応じて、２Ｔから９Ｔまでのマーク長毎の記録パルスに変換する。記録パルス列７０２において、７０３は２Ｔマーク記録時の第１の記録パルス（ＷＳ１）、７０４は２Ｔマーク記録時の第２の記録パルス（ＷＳ２）である。７０５は８Ｔマーク記録時の第３の記録パルス（ＷＳ３）である。記録パルスは、Ｐｗ≧Ｐｍ≧Ｐｓ≧Ｐｃとなる最大４値のパワーレベルで強度変調されている。図３において、最も照射強度の強い記録パワーであるピークパワー（Ｐｗ）で照射されている先頭パルスの時間幅をＴｔｉ（ｉ＝１、２、３）とし、Ｔｔｉの立上がり時間の基準クロック信号からのシフト量をｄＴｔｉ、中間パワー（Ｐｍ）から冷却パワー（Ｐｃ）へ切り替わる位置の基準クロックからのシフト量をｄＴＬｉ、冷却パワー（Ｐｃ）からスペースパワー（Ｐｓ）への切り替わり位置の基準クロックからのシフト量をｄＴｓｉとする。第２の記録パルス（ＷＳ２）の先頭パルスのパルス時間幅Ｔｔ２は、第１の記録パルス（ＷＳ１）の先頭パルスのパルス時間幅Ｔｔ１に対してパルス時間幅がαだけ異なる値の記録パルスである。先頭パルスのパルス時間幅Ｔｔｉは基準時間幅（Ｔｗ）のＴｗ／１６の整数倍の単位で正規化可能な値である。即ち、Ｔｔｉ＝ｎｉ×Ｔｗ／１６（ｎｉは０以上の整数）と表される。
【００５７】
尚、本発明の「第１の記録マーク長」の一例が、２Ｔで表された記録マーク長（本願明細書では、２ＴをＭＬ２と表すこともある）に該当し、また、本発明の「第２の記録マーク長」の一例が、８Ｔで表された記録マーク長（本願明細書では、８ＴをＭＬ８と表すこともある）に該当する。
【００５８】
また、本発明の「第１の記録マーク長に対応するそれぞれ時間幅の異なる試し書き用記録パルス」の一例が、上記第１の記録パルス（ＷＳ１）と第２の記録パルス（ＷＳ２）に該当する。
【００５９】
また、本発明の「第２の記録マーク長に対応する試し書き用記録パルス」の一例が、上記第３の記録パルス（ＷＳ３）に該当する。
【００６０】
また、本明細書では、パルス時間幅のことを単にパルス幅と呼ぶこともある。        
【００６１】
図４では、本発明の実施の形態の記録マーク長２Ｔについて、正規化された４種類の記録パルス幅（ｎ）での、記録パワーと再生信号のアシンメトリの測定結果を示す。
【００６２】
即ち、図４では、記録パルス列の条件として、図３の７０３第１の記録パルス（ＷＳ１）、又は７０４第２の記録パルス（ＷＳ２）を含む２Ｔのマーク長に対応するパルス時間幅Ｔｔ＝ｎ×Ｔｗ／１６として、ｎ＝１４、１６、１８、２０の４通りの条件で記録した場合の、記録パワー（Ｐｗ）と再生信号のアシンメトリ（Ａ）の関係を示す。
【００６３】
記録時の線速度は、ＢＤ４Ｘ（１９．７ｍ／ｓｅｃ）の条件のもとで、２層のＢＤ−ＲのＬａｙｅｒ０に記録を行った。図４によると再生信号のアシンメトリが同一となる条件で記録するためには、ｎが小さい記録パルスほど記録パワーが高くなり、ｎが大きい記録パルスほど記録パワーは低くなることが分かる。図４から、上記再生信号の推奨アシンメトリを例えば＋６％とし、推奨アシンメトリに到達する各Ｔｔ幅でのターゲット記録パワーＰｗｔを求める。
【００６４】
図５に、その様にして求めた各ターゲット記録パワーＰｗｔとそのときの２Ｔの先頭パルスのパルス時間幅ＴｔをＴｗ／１６で正規化した値の逆数（即ち１／ｎ）の関係をプロットした図を示す。例えば、図４中のｎ＝１６におけるアシンメトリが＋６％となるターゲット記録パワーＰｗｔは約１４[ｍＷ]であるから、これに対応するポイント９０１が図５にプロットされている。
【００６５】
図５によると１／ｎと、推奨アシンメトリとなるターゲット記録パワーＰｗｔがほぼ直線上にあることがわかる。
【００６６】
即ち、複数の記録パルス時間幅Ｔｔと、それに対応するターゲット記録パワーＰｗｔとの間には、
Ｐｗｔ＝Ｃ１／Ｔｔ＋Ｃ２の（Ｃ１、Ｃ２は定数）・・・・（式１）    
の関係式が成り立つ。
【００６７】
これは
（Ｐｗｔ−Ｃ２）×Ｔｔ１＝Ｃ１
とあらわされる。
【００６８】
上記式によれば、記録材料と記録時の線速度で決まる閾値パワー（定数Ｃ２）を超えるターゲット記録パワーＰｗｔと記録パワー照射時間Ｔｔとの積（すなわち注入エネルギー）が一定（Ｃ１）になることが、再生信号でのアシンメトリが一定になるための記録条件であることを意味する。即ち、注入エネルギーが一定になるとき、同じ形状のマークが生成されるからである。
【００６９】
（式１）が成り立つことを利用することで、再生信号の推奨アシンメトリ（Ａｏ）になる任意のターゲット記録パワーＰｗｔでの２Ｔのパルス幅Ｔｔを求めることが可能である。特に、最短マーク（２Ｔ）のパルス幅Ｔｔは、高速転送レートで記録する際、チャネルクロック周波数が高くなり、パルス状に変調したレーザ光のパルス時間幅が短くなる。特に最短マークの２Ｔは単一のパルスで書き込みを行うため、記録パワーで発光する際のレーザの立上がり及び立下り時間の影響が大きくなり、オーバーシュートやアンダーシュートの影響で、精度よく記録パワーと記録パルスの時間幅をコントロールすることが困難である。前述のような場合には、８Ｔマークのように発光時間の比較的長い記録マークから再生信号を使って最適記録パワーを求めることで精度良く記録パワーを求めることができる。さらにその８Ｔマークの再生信号から求まった最適記録パワーＰｗｏにおける２Ｔのパルス幅Ｔｔを前述のターゲット記録パワーと記録パルス幅の関係式である数式（１）を用いて学習することで、最適記録パワーと２Ｔマークのパルス幅Ｔｔの双方を精度よく求めることが可能となる。
【００７０】
（実施の形態１）
以下、本発明の情報記録方法の一実施の形態について図面を参照しながら更に具体的に説明する。尚、ここでは、本発明の光学的情報記録装置、及び光学的情報記録媒体の一実施の形態についても同時に説明する。
【００７１】
図６は本発明の一例としての最適記録パワーと最適記録パルス幅を求める方法の一実施の形態を示すフローチャートである。以下、本発明の光学的情報記録再生装置を用いて最適記録パワーと２Ｔマークの最適記録パルス幅を試し記録により学習する手順について説明する。
【００７２】
第１のステップ（Ｓｔｅｐ１）は、シーク動作とディスク管理情報の読み出しのステップである。
【００７３】
光ピックアップである光照射手段１０６（図１参照）を光ディスク１０１の内周部に設けられたＰＩＣ領域１００３に移動させる。システム制御手段１０２はＢＤ４Ｘに相当する線速度（１９．７ｍ／ｓｅｃ）でスピンドルモータ１０８を回転制御するよう回転制御手段１０７に命令する。フォーカス、トラッキング制御された光ビームは、１００３のＰＩＣ領域に予め記録されているディスクの初期値情報（管理情報）を読み出す。ディスク管理情報には、目標記録パワー（Ｐｉｎｄ）、目標記録パワーでの変調度（Ｍｉｎｄ）、目標記録パワーから最適記録パワー（Ｐｗｏ）を得るための増倍率ρ、光ディスク上にマークが書き始められる限界記録パワー（Ｐｔｈ）から目標記録パワーまでの増倍率κおよび、記録時の各変調パワーのピークパワーに対する比率であるεＳ＝Ｐｓ／Ｐｗ、εＣ＝Ｐｃ／Ｐｗ、εｍ＝Ｐｍ／Ｐｗ、および記録パルス列の条件（ライトストラテジ）が含まれる。記録パルス列の条件は各線速度に応じてＴｗ／１６の時間間隔の整数倍の単位として、ＰＩＣ領域にディスク管理情報として記録されている。読み出されたディスク管理情報は、システム制御手段１０２（図１参照）内のメモリ上に値が保持される。
【００７４】
第２のステップ（Ｓｔｅｐ２）はテストパターンを生成するステップである。変調手段１０３（図１参照）は、８Ｔマークと８Ｔスペースの繰り返し信号（以下、これを単に８Ｔの繰り返し信号と記載することもある）である８Ｔ単一信号と２Ｔマークと２Ｔスペースの繰り返し信号（以下、これを単に２Ｔの繰り返し信号と記載することもある）である２Ｔ単一信号を含んだテストパターンを生成する。
【００７５】
第３のステップ（Ｓｔｅｐ３）は記録パルス列へ変換するステップである。上記テストパターンは、記録パルス列変換手段１０４（図１参照）で、ディスク管理情報として記録されている記録パルス列に応じた２Ｔマークの先頭パルス幅Ｔｔ１の第１の記録パルス（ＷＳ１）と、第１の記録パルスの先頭パルスのパルス幅Ｔｔ１をαだけ広げた２Ｔマークの先頭パルス幅Ｔｔ２の第２記録パルス（ＷＳ２）と、８Ｔマークの先頭パルス幅Ｔｔ３の第３の記録パルス（ＷＳ３）に変換される。尚、パルス幅Ｔｔ２の第２記録パルスとして、パルス幅Ｔｔ１をαだけ狭めた２Ｔマークに変換しても良い。
【００７６】
第４のステップ（Ｓｔｅｐ４）は試し記録のステップである。レーザ駆動手段１０５（図１参照）の制御により、光照射手段１０６では、目標記録パワーＰｉｎｄの近傍の記録パワーであって、記録パワーＰｗ（ｊ）（ｊ＝１、２、３、・・・ｋ１）を一定パワーずつ増加させたｋ１段階（ｋ１：整数）の記録パワーを照射する。これらｋ１種類の異なる記録パワーにより、ＯＰＣ領域１００２内にテストパターンに応じて、第１の記録パルス（ＷＳ１）と第２の記録パルス（ＷＳ２）と第３の記録パルス（ＷＳ３）を含む記録パルス列が連続して記録される。
【００７７】
図７に１〜ｋ１ブロックを記録する際の記録ブロックのイメージを示す。１７０１の記録順序は、ＷＳ１、ＷＳ２、ＷＳ３を含むテストパターンを記録パワーを変えながら繰り返し記録する方法である。１７０２の記録順序は、ＷＳ１を含むテストパターンを記録パワーを変えながら記録し、引き続いてＷＳ２を含むテストパターンを記録パワーを変えながら記録し、引き続いてＷＳ３を含むテストパターンを記録パワーを変えながら記録する記録方法である。
【００７８】
第５のステップ（Ｓｔｅｐ５）は試し記録した信号を再生し、信号指標を測定するステップである。
【００７９】
尚、本発明の再生ステップの一例が、本実施の形態の第５のステップに該当する。
【００８０】
光照射手段１０６（図１参照）は、上記３つの記録パルス（ＷＳ１、ＷＳ２、ＷＳ３）で試し記録されたブロックを連続して再生する。再生信号処理手段１０９（図１参照）によって、再生信号の記録パワー、および記録パルス別に、再生信号の変調度とアシンメトリを測定する。図８に、第１の記録パルス３０３（ＷＳ１）で記録した２Ｔの繰り返し信号と、第２の記録パルス３０４（ＷＳ２）で記録した２Ｔの繰り返し信号と、第３の記録パルス３０５（ＷＳ３）で記録した８Ｔの繰り返し信号とをテストパターン（変調信号３０１）として記録したブロックを、再生したときの光ピックアップからの再生信号３０２を示す。再生信号３０２において、マークとスペースの反射光に応じた電圧レベルを示し、８Ｔスペース、８Ｔマークのそれぞれの電圧レベルがＩ８Ｈ、Ｉ８Ｌである。同様に、最短スペースである２Ｔスペース、最短マークである２Ｔマークのそれぞれの電圧レベルがＩ２Ｈ、Ｉ２Ｌで示されている。変調度ｍは８Ｔ（比較的長い）マークと８Ｔスペースの電圧レベルできまり、ここでは、Ｉ８ＨとＩ８Ｌから（式２）を用いて算出する。
【００８１】
ｍ＝（Ｉ８Ｈ−Ｉ８Ｌ）／Ｉ８Ｈ・・・（式２）
同様に、アシンメトリＡは、８Ｔ（比較的長い）マーク・スペースの電圧レベルの中心値に対する、２Ｔ（最短）マーク・スペースの電圧レベルの中心値のオフセット量を表し、８Ｔスペース、８Ｔマークそれぞれの電圧レベルＩ８Ｈ、Ｉ８Ｌと、最短スペースである２Ｔスペース、最短マークである２Ｔマークのそれぞれの電圧レベルＩ２Ｈ、Ｉ２Ｌから（式３）を用いて算出する。
【００８２】
Ａ＝［｛（Ｉ８Ｈ＋Ｉ８Ｌ）−（Ｉ２Ｈ＋Ｉ２Ｌ）｝／２]／（Ｉ８Ｈ−Ｉ８Ｌ）                                                          ・・・（式３）
このようにして再生信号の変調度ｍとアシンメトリＡを測定する。図９に記録パワーに対する再生信号の変調度ｍの測定結果、図１０に記録パワーに対する再生信号のアシンメトリＡの測定結果を示す。
【００８３】
尚、図１０は、便宜上、２Ｔマーク記録時の第１の記録パルス（ＷＳ１）３０３と、２Ｔマーク記録時の第２の記録パルス（ＷＳ２）３０４の内、前者について示しているが、後者の場合も同様の関係がグラフ化できる。従って、図１０では、推奨アシンメトリから設定されたターゲットアシンメトリＡｔを得るためのターゲット記録パワーをＰｗｔ１として表した。これについては第６のステップで説明する。
【００８４】
第６のステップ（Ｓｔｅｐ６）は、測定結果から最適パルス幅を演算する演算処理である。
【００８５】
尚、本発明の処理ステップの一例が、本実施の形態の第６のステップに該当する。
【００８６】
このステップは、初めに最適記録パワーＰｗｏを求め、次にターゲット記録パワーＰｗｔを演算するステップである。
【００８７】
記録条件演算手段１１１（図１参照）は、試し記録した複数のブロックの記録パワーＰｗ（ｊ）（ｊ＝１、２、３、・・・ｋ１）に対する変調度の測定結果から、各記録パワーでの変調度と記録パワーの積を算出する。図１１に記録パワーに対する変調度と記録パワーの積の結果を示す。目標記録パワーＰｉｎｄの近傍での測定点を用いて、接線６０１を引き、ｘ軸（パワー軸）との切片を限界記録パワーＰｔｈとする。最適記録パワー（Ｐｗｏ）は、限界記録パワー（Ｐｔｈ）とパワー増倍率ρおよびκを（式４）に代入して演算する。
【００８８】
Ｐｗｏ＝ρ×κ×Ｐｔｈ・・・・（式４）
次に、２Ｔマークの最適パルス幅を求めるために、ＷＳ１、ＷＳ２のそれぞれの記録パルスでのターゲット記録パワー（Ｐｗｔ１、Ｐｗｔ２）を求める（図１０参照）。
【００８９】
具体的には、記録条件演算手段１１１が、ディスク管理領域に記録されているか、若しくはドライブのメモリに格納されている初期値情報の推奨β値又は推奨アシンメトリから、ターゲットアシンメトリＡｔを設定する。即ち、第１の記録パルス（ＷＳ１）の記録パワーＰｗ（ｊ）（ｊ＝１、２、３、・・・ｋ１）に対する再生信号のアシンメトリの測定結果から、ターゲットアシンメトリＡｔにおけるターゲット記録パワーＰｗｔ１（図１０参照）を求め、第２の記録パルス（ＷＳ２）の記録パワーＰｗ（ｊ）（ｊ＝１、２、３、・・・ｋ１）に対する再生信号のアシンメトリの測定結果から、ターゲットアシンメトリＡｔにおけるターゲット記録パワーＰｗｔ２とを求める（図１０参照）。尚、再生信号のアシンメトリは、式３により算出出来る。
【００９０】
次に２Ｔマークの最適記録パルス時間幅Ｔｔｏを演算する。記録条件演算手段１１１は、第１の記録パルスのパルス時間幅（Ｔｔ１）および第２の記録パルスのパルス時間幅（Ｔｔ２）における、それぞれのターゲット記録パワー（Ｐｗｔ１、Ｐｗｔ２）から、ターゲット記録パワーとパルス時間幅の組み合わせとしての（Ｐｗ、Ｔｔ）＝（Ｐｗｔ１、Ｔｔ１）と、（Ｐｗｔ２、Ｔｔ２）とを（式１）のＰｗｔとＴｔとをそれぞれ代入し、下記に示す定数Ｃ１、Ｃ２を求める。
【００９１】
Ｃ１＝｛（Ｐｗｔ１−Ｐｗｔ２）／（Ｔｔ２−Ｔｔ１）｝×Ｔｔ１×Ｔｔ２
Ｃ２＝（Ｐｗｔ２×Ｔｔ２−Ｐｗｔ１×Ｔｔ１）／（Ｔｔ２−Ｔｔ１）
上記に示すＣ１、Ｃ２と、第５のステップで実施した、記録パワーに対する変調度の測定結果をもとに求まった最適記録パワー（Ｐｗｏ）とを再び（式１）に代入して、最適記録パワーＰｗｏでの最適パルス時間幅Ｔｔｏを演算する。
【００９２】
即ち、下記式５を演算し、求まったＴｔｏが２Ｔの最適パルス時間幅としてシステム制御手段内のメモリ上に確保する。
【００９３】
Ｔｔｏ＝Ｔｔ１×Ｔｔ２×（Ｐｗｔ１−Ｐｗｔ２）／｛Ｐｗｏ×（Ｔｔ２−Ｔｔ１）−（Ｔｔ２×Ｐｗｔ２−Ｔｔ１×Ｐｗｔ１）｝・・・・式５
以上のような手順で、８Ｔのように比較的長いマーク・スペースの再生信号の変調度特性をもとに最適記録パワーＰｗｏを求め、最適記録パワーにおける最短マーク（２Ｔ）の最適記録パルス時間幅（Ｔｔｏ）を決定する。
【００９４】
以上説明したように、レーザの立上がり及び立下り時間の影響を大きくうける高速転送レートでの書き込み時にも、精度よく記録パワーと記録パルス列の時間幅をコントロールして、良好な記録品質を維持することが可能となる。
【００９５】
また、（式１）の演算結果を利用することによって、少なくとも２種類の２Ｔのパルス幅で試し記録することで、最適パルス幅を求めることができる。その結果、複数回の試し記録を行うことなく、１回の連続記録と連続再生によって、短時間にかつ、記録ブロック数を浪費することなく、効率的に２Ｔの記録パルス幅を最適化することが可能である。
【００９６】
また、ＢＤ−ＲのようにＯＰＣ領域がデータ領域に比べ少なく、同一トラックに１度しか書き込むことができない追記型光ディスクにおいては、ＯＰＣ領域の記録トラックの消費を少なくすることができ、試し記録領域を使い果たすことによるディスクの使用寿命を延ばす効果がある。
【００９７】
本実施の形態では、１つの線速度における最適記録パワーＰｗｏと２Ｔマークの最適パルス幅Ｔｔｏを求める方法について説明したが、異なる複数の線速度で同様の手順を用いて最適記録パワーＰｗｏと最適記録パルス幅Ｔｔｏを求めることができる。尚、この点については、実施の形態２で説明する。
【００９８】
尚、本実施の形態では、本発明の第１のマーク長の一例として、最短マーク（２Ｔマーク長）の記録時のピークパワーレベルの発光幅を最適化する手順について説明したが、２Ｔマーク長以外の記録パルス列の先頭パルスのパルス幅も同様の方法を用いて求めることが可能である。即ち、例えば、ＤＶＤの場合は最短のマーク長が３Ｔであるので、その場合は、本実施の形態のテストパターンが、第１のマーク長に対応した３Ｔのマークと３Ｔのスペースの繰り返し信号と、第２のマーク長に対応した６Ｔ〜１４Ｔのうち少なくとも何れか１つの長さのマークとスペースの繰り返し信号とを含む構成でも良い。
【００９９】
また、本実施の形態で説明した手順を使って求めた２Ｔマークの最適パルス幅Ｔｔｏとディスク管理情報として記載されている２ＴのＴｔ幅の初期値とを比較してその差分を他マーク長の先頭パルスのパルス幅として使うことも可能である。
【０１００】
尚、本実施の形態では、図８で示したように、８Ｔ単一信号と２Ｔ単一信号で変調された信号を同時に記録して、再生信号のアシンメトリを測定することによって、最適記録パルス列条件を求めたが、再生信号のアシンメトリの代わりに、別の信号指標であるβ値や、後述する２Ｔレベル（Ｉ２ｍ）を使って最適記録パルス幅を求めることも可能である。この場合、図４、図１０における縦軸をβ値や、２Ｔレベルの信号指標に置き換えれば、（式１）の関係は同様に成り立つ。
【０１０１】
尚、本発明の第１の信号指標の一例として、再生信号のアシンメトリＡ、β値、又は２Ｔレベルが該当する。また、本発明の第２の信号指標の一例として、再生信号の変調度ｍが該当する。
【０１０２】
また、本発明の第１の信号指標特性の一例として、図１０や図４に示すアシンメトリと記録パワーとの関係が該当する。また、本発明の第２の信号指標特性の一例として、図１１に示す変調度と記録パワーの積と記録パワーとの関係が該当する。
【０１０３】
図１２（ａ）、図１２（ｂ）は、本発明のβ値を説明する図である。β値とは、再生信号処理手段からの再生信号をＡＣカップリングした、再生信号の高電圧レベルＡ１と、低電圧レベルレベルＡ２とを使って以下の式で表される信号指標である。
【０１０４】
β＝（Ａ１＋Ａ２）／（Ａ１−Ａ２）・・・・（式６）
上記βを使うことによって、ディスク管理情報に記録された推奨β値を使って、記録パルス幅を最適化することができる。
【０１０５】
即ち、図４や図１０の縦軸のパラメータをアシンメトリからβ値に読み替えることが可能であり、本発明の第１の信号指標としてβ値を使用した場合でも、再生信号のアシンメトリを使用した場合の上記説明がそのまま適用可能となる。
【０１０６】
尚、図１２（ａ）の場合、β値は負の値になり、記録パワーが足りないことを示している。また、図１２（ｂ）の場合、β値はほぼゼロとなり、記録パワーが最適であることを示している。
【０１０７】
また、信号指標として、再生信号のアシンメトリのかわりに２Ｔの再生信号の２Ｔレベル（Ｉ２ｍ）を使って最適パルス幅を求める手順を図１３のＳｔｅｐ１〜Ｓｔｅｐ４、Ｓｔｅｐ５’、及びＳｔｅｐ６’に示す。
【０１０８】
この場合、２Ｔレベルは、再生信号のアシンメトリ（Ａ）のように長いマーク・スペースと短いマーク・スペースの間の相対的な信号レベルの高さの関係でなく、２Ｔのマークと２Ｔスペースの再生信号レベル（ＬレベルとＨレベル）で決まる信号指標であるため、長いマークの記録状態によらず、精度よく２Ｔマークの記録パルス列条件を求めることが可能である。
【０１０９】
ここで、２Ｔレベル（Ｉ２ｍ）とは
Ｉ２ｍ＝１−｛（Ｉ２Ｈ＋Ｉ２Ｌ）／２｝／Ｉｇ・・・（式７）
で定義されＩｇは未記録状態での反射光レベルである。
【０１１０】
また、本実施の形態では、記録パルス列条件として、図３で示したいわゆるキャッスル型のライトストラテジ（記録パルス列条件）をもとに説明した。しかし、図１４で示される記録マークの長さＮ（図１４中ではＮ＝８Ｔｍ）に対してピークパワーで照射されるパルス数が１つ少ない（図１４中では記録パルス列の数は７個（第３の記録パルス１２０５参照）である）、いわゆるＮ−１型のライトストラテジを記録パルス列１２０２とした場合でも、同様の手順で最適記録パルス幅を求めることができるのは言うまでもない。
【０１１１】
また、本実施の形態では、第２のステップにおいてテストパターンとして連続した８Ｔ単一信号と２Ｔ単一信号をＯＰＣ領域に試し記録したが、このようなテストパターンを使って記録することで、異なるマーク・スペース間の再生信号の符号間の干渉を無くすことができ、再生信号の変調度やアシンメトリ、２Ｔレベル（Ｉ２ｍ）などの信号指標をより精度良く求めることができ、最適記録パワーや記録パルス幅を正確に求めることが可能である。
【０１１２】
また、本実施の形態では、単一信号のテストパターンとして、再生信号の信頼性を高めるために、２Ｔの繰り返し信号、及び８Ｔの繰り返し信号を記録する場合について説明したが、これに限らず例えば、それぞれの信号を繰り返すことなく各信号をマークとスペースの１セットだけを記録しても良い。
【０１１３】
また、単一信号のテストパターンに限らず、１７ＰＰ変調、８−１６変調されたテストパターンや、各マーク長の出現頻度が概略一定のランダム信号であることを使って記録してもよい。１７ＰＰ変調、８−１６変調されたテストパターンを記録することで、ジッタや、ＳＥＲ（シンボルエラーレート）を測定することができ、記録マークの信号品質をより正確に測定することができる。
【０１１４】
また、本実施の形態では、最適記録パワーを求める際、Ｐｗと変調度の積を使って最適記録パワーを求めたが、記録パワーのｎ乗と変調度の積を使って求める別の方法を用いても構わない。
【０１１５】
また、本実施の形態では、定数Ｃ１、Ｃ２をＯＰＣ領域での試し記録によって求めたが、一旦求まったＣ１、Ｃ２をシステム制御手段内のメモリ上に保持し、次回同じディスクが光ディスク装置内に挿入された場合、既知のＣ１、Ｃ２をもとに最適記録パルス列条件を求めることとしてもよい。
【０１１６】
また、Ｃ１、Ｃ２を光ディスク内のＩＮＦＯ領域記録して保持してもよい。既知のＣ１、Ｃ２を読み出して記録パルス幅を求める場合、２つの記録パルス幅でＯＰＣ領域に試し記録する必要はなく、１つの記録パルス幅で試し記録したターゲット記録パワーＰｗｔの結果から、最適化な記録パルス幅を求めることが可能となり、試し記録する時間を短縮で、ユーザの待ち時間を減らす効果がある。
【０１１７】
（実施の形態２）
以下、本発明の情報記録方法の他の実施の形態について図面を参照しながら更に具体的に説明する。尚、ここでは、本発明の光学的情報記録装置、及び光学的情報記録媒体の一実施の形態についても同時に説明する。また、本実施の形態での光学的情報記録装置の各構成部分の作用・効果は、後述する様に上記実施の形態１の場合と相違するが、構成図としては、便宜上図１を利用する。
【０１１８】
実施の形態１では、特定の１つの線速度における最適記録パワーＰｗｏとそのときの２Ｔマークの最適記録パルス幅Ｔｔｏを学習する方法について説明したが、本実施の形態２では、複数の線速度で最適記録パワーと最適記録パルス幅を学習する方法について説明する。
【０１１９】
本実施の形態２では、線速度の関係がＬｖ１（２Ｘ：４．９２ｍ／ｓｅｃ）＜Ｌｖ２（４Ｘ：９．８４ｍ／ｓｅｃ）＜Ｌｖ３（８Ｘ：１９．７ｍ／ｓｅｃ）の３つの条件での最適記録パワーと最適パルス幅を求める手順について説明する。
【０１２０】
ＢＤ−Ｒに４Ｘで記録をする場合、最内周のデータ領域では概略８０００ｒｐｍ、最外周のデータ領域では概略３２００ｒｐｍの回転数が必要である。また、８Ｘ記録をする場合、最内周のデータ領域では概略１６０００ｒｐｍ、最外周のデータ領域では概略６４００ｒｐｍの回転数が必要となるが、内周ではスピンドルモータの回転数が１００００ｒｐｍを越えるため、スピンドルモータの回転数の限界や安全性を考慮して、最大概略４Ｘの速度で書き込むこととなる。ＢＤ８Ｘで記録する領域は主に外周でＣＡＶ記録することとなる。
【０１２１】
第１の線速度Ｌｖ１、第２の線速度Ｌｖ２での最適記録パワーと最適パルス幅Ｔｔｏは、前述の実施の形態１の手順を使って求めることができる。しかしながら、第３の線速度Ｌｖ３が８Ｘの場合、内周のＯＰＣ領域におけるスピンドルモータの回転限界１００００ｒｐｍを超えるため、内周のＯＰＣ領域に試し記録をして記録パワーや記録パルスの条件を最適化することができない。
【０１２２】
尚、第３の線速度Ｌｖ３で記録する際のチャネルクロックは３３０ＭＨｚ以上であるとする。ここで、このチャンネルクロックについて簡単に説明する。ＢＤでは、最内周（ｒ＝２４ｍｍ）におけるスピンドルモータの回転数は、４Ｘ（４倍速）で概略８０００ｒｐｍであるので、それが１００００ｒｐｍとなるのは、概略５Ｘ（５倍速）の場合である。１Ｘは６６ＭＨｚであるから、５Ｘは、６６ＭＨｚ（チャンネルクロック）×５＝３３０ＭＨｚとなる。
【０１２３】
そこで、本実施の形態２では、特にＬｖ１、Ｌｖ２の線速度で最適化された最適記録パワーと最適記録パルス幅をもとに、第３の線速度Ｌｖ３での記録パワーと最適記録パルス幅を求める方法について説明する。
【０１２４】
初めに、２つの線速度Ｌｖ１及びＬｖ２での最適記録パワーおよび最適記録パルス幅を図６あるいは図１３のフローチャートに示した手順によって求める。
【０１２５】
即ち、フローチャートに示した手順で最適化された第１の線速度Ｌｖ１での２Ｔの最適記録パルス幅をＴｔｖ１、そのＴｔｖ１をＴｗ／１６で正規化した整数値をｎｖ１、及びターゲット記録パワーをＰｗｔｖ１として、また、上記手順で最適化された第２の線速度Ｌｖ２での２Ｔの最適記録パルス幅をＴｔｖ２、そのＴｔｖ２をＴｗ／１６で正規化した整数値をｎｖ２、及びターゲット記録パワーをＰｗｔｖ２として、それぞれシステム制御手段１０２（図１参照）内のメモリ上に保持する。
【０１２６】
Ｌｖ１として２Ｘ（Ｔｗ＝７．５８ｎｓ）、Ｌｖ２として４Ｘ（Ｔｗ＝３．７９ｎｓ）、Ｌｖ３として８Ｘ（Ｔｗ＝１．８９ｎｓ）の場合、レーザの立上がり立下り速度を考慮して、精度よく記録パワーを制御させ所望のパワーで記録させるためには、パルス時間幅として２[ｎｓ]以上が必要である。
【０１２７】
即ち、これを式で表すと以下の通りである。
【０１２８】
Ｔｗ／１６×ｎｖ１≧２［ｎｓ］
Ｔｗ／１６×ｎｖ２≧２［ｎｓ］
Ｔｗ／１６×ｎｖ３≧２［ｎｓ］
従って、２[ｎｓ]以上のパルス時間幅でレーザダイオード１０６ａを発光させるためには、４Ｘではｎｖ２＝９（９×Ｔｗ／１６≒２．１３[ｎｓ]）以上の、又、８Ｘではｎｖ３＝１７（１７×Ｔｗ／１６≒２．０１[ｎｓ]）以上のパルス幅ｎｖ（ｎｖはＴｔｖ＝ｎｖ×Ｔｗ／１６≧２[ｎｓ]となるｎｖ）が必要である。
【０１２９】
図１５および図１６に第１の線速度Ｌｖ１と第２の線速度Ｌｖ２の時のターゲット記録パワーと正規化されたパルス幅の逆数（１／ｎｖ）の関係を示す。ここで、それぞれの線速度における関係を示す直線１３０１（Ｌｖ１）および直線１３０２（Ｌｖ２）は、実施の形態１で説明した数式１により求まった直線である。
【０１３０】
ｎｖ２（≧１７）は、図１５の直線１３０２（Ｌｖ２）上の白丸で示す様に、第２の線速度Ｌｖ２における最適記録パワーＰｗｔｖ２に対応した、正規化されたパルス幅である。この場合の最適記録パルス幅Ｔｔｖ２はＴｔｖ２＝ｎｖ２×Ｔｗ／１６であらわせる。また、ｎｖ１は、図１５の直線１３０１（Ｌｖ１）上の○印で示す様に、第１の線速度Ｌｖ１における最適パワーＰｗｔｖ１に対応した、正規化されたパルス幅である。この場合の最適記録パルス幅Ｔｔｖ１はＴｔｖ１＝ｎｖ１×Ｔｗ／１６であらわせる。
【０１３１】
図１７に本発明の実施の形態による、異なる３つの線速度で最適記録パワーと記録パルスの最適パルス幅を決定する手順を示す。
【０１３２】
ここでは、Ｌｖ１およびＬｖ２の線速度における最適パワーとパルス幅は、実施の形態１のステップ１〜ステップ６で求めたものとする。即ち、上述した様に、第１の線速度Ｌｖ１での２Ｔの最適記録パルス幅Ｔｔｖ１、正規化された整数値ｎｖ１、及びターゲット記録パワーＰｗｔｖ１、そして、第２の線速度Ｌｖ２での２Ｔの最適記録パルス幅Ｔｔｖ２、正規化された整数値ｎｖ２、及びターゲット記録パワーＰｗｔｖ２が、システム制御手段１０２（図１参照）内のメモリ上に保持されている。
【０１３３】
ステップ７はパルス幅判定処理である。第３の線速度Ｌｖ３で記録する際のパルス幅ｎｖ３を求めるとき、Ｌｖ２の時の正規化されたパルス幅がｎｖ２≧１７とｎｖ２＜１７の２つの場合にわけて判定する。
【０１３４】
第１のケースは、ｎｖ２≧１７の場合である。即ち、第３の線速度Ｌｖ３におけるＴｗ／１６で正規化されたパルス幅（ｎｖ３）と、第２の線速度Ｌｖ２の時におけるＴｗ／１６で正規化されたパルス幅（ｎｖ２）が同じパルス幅で発光可能な幅である場合（ｎｖ３＝ｎｖ２＞ｎｖ１）、ステップ８の手順へ進む。
【０１３５】
第２のケースは、ｎｖ２＜１７の場合である。即ち、第３の線速度Ｌｖ３におけるＴｗ／１６で正規化されたパルス幅が、第２の線速度Ｌｖ２の時におけるＴｗ／１６で正規化されたパルス幅ではパルス幅が不十分な場合であり、この場合ステップ１０への手順へ進む。
【０１３６】
ステップ８はパルス幅演算処理である。（式１）の関係を利用して、第１の線速度Ｌｖ１での記録の際に、記録パルス幅ｎｖ２に対応するターゲット記録パワーＰｗｔ１２を演算する（図１５の直線１３０１（Ｌｖ１）上の●印を参照）。即ち、本実施の形態の光学的情報記録再生装置の記録条件演算手段１１１（図１参照）は、第１の線速度Ｌｖ１の時の定数Ｃ１、Ｃ２を使って、記録パルス幅ｎｖ２に対応するパワーＰｗｔ１２を（式１）を使って演算する。
【０１３７】
ステップ９は記録パワー演算処理である。第３の線速度Ｌｖ３のときにパルス幅ｎｖ２に対応する最適記録パワーＰｗｔｖ３を演算する方法である。即ち、本実施の形態の記録条件演算手段１１１は、第１の線速度Ｌｖ１と第２の線速度Ｌｖ２の時の、パルス幅ｎｖ２に対応するターゲット記録パワーＰｗｔ１２およびＰｗｔｖ２を使って（図１５の直線１３０１（Ｌｖ１）上の●印、および直線１３０２（Ｌｖ２）上の○印を参照）、第３の線速度Ｌｖ３の時の最適記録パワーＰｗｔｖ３をＰｗｔｖ３＝Ｐｗｔｖ２／Ｐｗｔ１２×Ｐｗｔｖ２として演算する（図１５の直線１３０３（Ｌｖ３）上の●印を参照）。
【０１３８】
ステップ１０はパルス幅演算処理である。第３の線速度Ｌｖ３のパルス幅をｎｖ３≧１７となる任意の１つのパルス幅ｎｖ３に設定する。
【０１３９】
次に（式１）の関係を利用して、第３の線速度Ｌｖ１での記録の際に記録パルス幅ｎｖ３に対応するターゲット記録パワーＰｗｔ１３を演算する（図１６の直線１６０１（Ｌｖ１）上の●印を参照）。即ち、本実施の形態の記録条件演算手段１１１は、Ｌｖ１の時の定数Ｃ１、Ｃ２を使って、記録パルス幅ｎｖ３に対応するターゲット記録パワーＰｗｔ１３を（式１）により演算する。
【０１４０】
同様に第２の線速度Ｌｖ２での記録の際に記録パルス幅ｎｖ３に対応するターゲット記録パワーＰｗｔ２３を演算する（図１６の直線１６０２（Ｌｖ２）上の●印を参照）。即ち、記録条件演算手段１１１は、第２の線速度Ｌｖ２の時の定数Ｃ１、Ｃ２を使って、記録パルス幅ｎｖ３に対応するターゲット記録パワーＰｗｔ２３を（式１）により演算する。
【０１４１】
次に、第３の線速度Ｌｖ３での記録時に記録パルス幅ｎｖ３に対応する最適記録パワーＰｗｔｖ３を演算する（図１６の直線１６０３（Ｌｖ３）上の●印を参照）。即ち、記録条件演算手段１１１は、線速度Ｌｖ１とＬｖ２での記録時の記録パルス幅ｎｖ３に対応するターゲット記録パワーＰｗｔ１３およびＰｗｔ２３を使って、第３の線速度Ｌｖ３の時の最適記録パワーＰｗｔｖ３をＰｗｔｖ３＝Ｐｗｔ２３／Ｐｗｔ１３×Ｐｗｔ２３として演算する。
【０１４２】
以上のようにステップ７からステップ１０の手順で求まったＰｗｔｖ３を第３の線速度Ｌｖ３での最適記録パワー、ｎｖ３を最適記録パルス幅とする。このような手順で、８Ｘ（ＢＤ８倍速）のように、光ディスクの内周のＯＰＣ領域１００２（図２参照）を使って学習できない線速度であっても、各線速度において（式１）の関係を利用することによって、最適な記録パワーと最適な記録パルス幅を求めることが可能となる。
【０１４３】
尚、本発明のターゲット記録パワー取得ステップの一例が、本実施の形態のステップ７とステップ８、及びステップ１０の一部を含むステップに該当する。
【０１４４】
また、本発明の最適記録パワー取得ステップの一例が、本実施の形態のステップ９と、ステップ１０の一部を含むステップに該当する。
【０１４５】
また、本実施の形態では、実施の形態１で説明したステップを利用して、記録パルスの所望の時間幅に対応する値として、第１及び第２の線速度Ｌｖ１、Ｌｖ２における正規化された最適記録パルス幅ｎｖ１、ｎｖ２等を求めて、システム制御手段内のメモリ上に保持する場合について説明した。しかしこれに限らず例えば、第１及び第２の線速度Ｌｖ１、Ｌｖ２における正規化された最適記録パルス幅ｎｖ１、ｎｖ２に関する値であればｎｖ１、ｎｖ２そのものでなくても良い。また、それらの値は、上記とは別の方法（例えば公知の方法）で求めても良いし、あるいは一部は予め初期値として上記メモリなどに保持されていても良い。
【０１４６】
尚、本実施の形態２では、線速としてＬｖ１＝２Ｘ、Ｌｖ２＝４Ｘ、Ｌｖ３＝８Ｘ、即ちＬｖ３／Ｌｖ２＝Ｌｖ２／Ｌｖ１のように各線速が２倍ずつ増加する場合を例に説明した。しかしこれに限らず例えば、ＣＡＶ方式で記録する場合、光ディスクの内周と外周で線速度は最大２．４倍になることから、Ｌｖ３がＬｖ２の２．４倍になる。この場合
Ｌｖ２／Ｌｖ１＝２、Ｌｖ３／Ｌｖ２＝２．４
Ｐｗｔｖ３＝Ｐｗｔｖ２×(Ｐｗｔｖ２／Ｐｗｔｖ１)＾Ｌｏｇ２(２．４)
となる。
【０１４７】
即ち一般解としては、
Ｐｗｔｖ３＝Ｐｗｔｖ２×（Ｐｗｔｖ２／Ｐｗｔｖ１）＾Ｌｏｇ２（ＲＬｘ）
となる。ここでＲＬｘは任意の線速度Ｌｖ３におけるＬｖ２との比率である。ＲＬｘ＝Ｌｖ３／Ｌｖ２としてもよい。
【０１４８】
尚、本実施の形態２のステップ７において第３の線速度Ｌｖ３で記録する際のパルス幅ｎｖ３を求めるとき、Ｌｖ２の時の正規化されたパルス幅がｎｖ２≧１７とｎｖ２＜１７の２つの場合にわけて判定したが、最大記録線速度が予めわかっている場合、最大線速度のＬｖ３での記録パルス幅が２ｎｓ以上となる正規化されたパルス幅ｎｖ３（ｎｖ３はＴｔｖ３＝ｎｖ３×Ｔｗ／１６となるｎｖ３）を予めディスク管理領域に記載しておいてもよい。
【０１４９】
また、光ディスクの内周のＯＰＣ領域１００２で学習可能な線速度Ｌｖ１及Ｌｖ２での正規化されたパルス幅ｎｖ１、ｎｖ２を１７以上の値に設定して予めディスク管理情報内に記録してもよい。これにより、最大線速度Ｌｖ３での正規化されたパルス幅ｎｖ３は１７以上の値になるから、２ｎｓ以上のレーザ照射時間を確保することが出来できる。この場合、ステップ７での判定が不要となり、ステップ８およびステップ９の手順で記録パワーと記録パルス幅を求めることができるようになり、ステップ１０の手順で求めるよりも精度よく、最適記録パワーと記録パルス幅を求めることが可能となる。
【０１５０】
また、ステップ１０において、ｎｖ３≧１７となる任意のパルス幅を設定するだけでなく、第１の線速度Ｌｖ１での正規化された最適パルス幅（ｎｖ１）と、第２の線速度Ｌｖ２での正規化された最適パルス幅（ｎｖ２）とから、第３の線速度Ｌｖ３での正規化された最適パルス幅（ｎｖ３）をｎｖ３／ｎｖ２＝ｎｖ２／ｎｖ１となる整数ｎｖ３の正規化された記録パルス幅で記録してもよい。この場合、複数の中間の演算処理を行うことなく比例計算で最適記録パワーを求めることができる。
【０１５１】
また、本実施の形態では、第３の線速度Ｌｖ３の記録条件はディスク管理情報に記録されていないこととしたが、これに限らず例えば、異なる３つ線速度での正規化された推奨パルス幅をｎ１＝ｎ２＝ｎ３の条件で最適化されたパラメータで予めディスク管理領域に記録しておいてもよい。このような条件でディスク管理領域にあらかじめ記録されていれば、内周の学習領域で学習困難な高速の線速度Ｌｖ３の記録条件を低速の線速度Ｌｖ１、Ｌｖ２の同じ正規化パルス幅で学習でき、より精度よく記録パワーと記録パルス幅を求めることができる。
【０１５２】
尚、この場合、各推奨パルス幅ｎ１〜ｎ３は、上記と同様の理由により、パルス時間幅が２[ｎｓ]以上となる様に（Ｔｗ／１６×ｎｉ≧２［ｎｓ］、但し、ｎｉは正の整数（ｉ＝１、２、３））、予め設定しておくことが望ましい。
【０１５３】
本実施の形態では、第３の線速度Ｌｖ３の記録条件はディスク管理情報に記録されていないこととしたが、異なる３つ線速度での正規化された推奨パルス幅をｎ３＝ｎ２≧ｎ１の条件で最適化されたパラメータで予めディスク管理領域に記録しておいてもよい。このような条件でディスク管理領域にあらかじめ記録されていれば、内周の学習領域で学習困難なＬｖ３の記録条件を低速のＬｖ１、Ｌｖ２の同じ正規化パルス幅で学習でき、より精度よく記録パワーと記録パルス幅を求めることができる。
【０１５４】
尚、本願明細書では、推奨パルス幅は、ディスク管理領域等に予め記録されているものとし、符号ｎ１、ｎ２、ｎ３で表した。一方、実際に試し書きをして求めるときの正規化された、ドライブ装置とディスクの組み合わせにおいて最適なパルス幅を表す場合は、符号ｎｖ１、ｎｖ２、ｎｖ３を用いた。
【０１５５】
また、本実施の形態では、Ｌｖ１、Ｌｖ２、Ｌｖ３の異なる線速でのスペースパワーレベルをＰｓ１、Ｐｓ２、Ｐｓ３とするとピークパワーに対するスペースパワー比率を各線速度で一定にしてもよい。こうすることで、記録パルスのパルス幅をより正確に求めることが可能である。
【０１５６】
また、本実施の形態では、最短マーク記録時の記録パルス列のピークパワーレベルの時間幅が異なる場合を例に説明したが、記録パルス幅だけに限らず、記録パルスの条件としてはピークパワーに対する中間パワーのパワー比率あるいはピークパワーに対するスペースパワーのパワーレベルのいずれかを２つの比率でテストパターンを使って記録することで最適化してもよい。パルス幅だけでなくパワーの比率も最適化することが可能となる。
【０１５７】
また、上記実施の形態では、良好な再生信号品質が得られる最適な記録パワーと最適な記録パルス幅の双方をより精度良く決定する構成の場合について説明したが、これに限らず例えば、最適な記録パワーについては別の方法（例えば、公知の方法）で取得した値を使用し、最適な記録パルス幅の決定に関して本願発明を適用する構成であっても良い。
【０１５８】
また、上記実施の形態では、最適な記録パルス幅の決定に際して、第１の信号指標として再生信号のアシンメトリを用いる場合について説明したが、これに限らず例えば、第１の信号指標として２Ｔのマーク長、２Ｔのスペース長、及び、未記録状態での反射光の再生信号レベルで決まる信号指標である２Ｔレベル（Ｉ２ｍ）を使用して最適記録パルス幅を求める構成でも良いことは既に述べた。この場合、最適な記録パワーを例えば公知の方法により求めるか、推奨の記録パワーとして予めディスク管理領域に記録されているデータを利用する等の構成とすれば、本発明のテストパターンに、２Ｔの記録マーク長より長い第２の記録マーク長（例えば８Ｔマーク長）が含まれていなくても良い。
【０１５９】
また、上記実施の形態では、２Ｔ単一信号と８Ｔ単一信号を含むテストパターンを生成する構成の場合について説明したが、これに限らず例えば、テストパターンが、２Ｔのマークと２Ｔのスペースの繰り返し信号と、第２のマーク長に対応した５Ｔ〜９Ｔのうち少なくとも何れか１つの長さのマークとスペースの繰り返し信号とを含む構成でも良い。
【０１６０】
又、本発明のプログラムは、上述した本発明の情報記録方法の全部又は一部のステップの動作をコンピュータにより実行させるプログラムであって、コンピュータと協働して動作するプログラムである。
【０１６１】
又、本発明の記録媒体は、上述した本発明の情報記録方法の全部又は一部のステップの全部又は一部の動作をコンピュータにより実行させるプログラムを記録した記録媒体であり、コンピュータにより読み取り可能且つ、読み取られた上記プログラムが上記コンピュータと協動して上記動作を実行する記録媒体である。
【０１６２】
尚、本発明の上記「一部のステップ」とは、それらの複数のステップの内の、一つ又は幾つかのステップを意味する。
【０１６３】
又、本発明の上記「ステップの動作」とは、上記ステップの全部又は一部の動作を意味する。
【０１６４】
又、本発明のプログラムの一利用形態は、コンピュータにより読み取り可能な、ＲＯＭ等の記録媒体に記録され、コンピュータと協働して動作する態様であっても良い。
【０１６５】
又、本発明のプログラムの一利用形態は、インターネット等の伝送媒体、光・電波・音波等の伝送媒体中を伝送し、コンピュータにより読みとられ、コンピュータと協働して動作する態様であっても良い。
【０１６６】
又、上述した本発明のコンピュータは、ＣＰＵ等の純然たるハードウェアに限らず、ファームウェアや、ＯＳ、更に周辺機器を含むものであっても良い。
【０１６７】
尚、以上説明した様に、本発明の構成は、ソフトウェア的に実現しても良いし、ハードウェア的に実現しても良い。
【０１６８】
以上説明した様に本発明の一実施の形態の情報記録方法は、光学的情報記録媒体の最適な記録パワーおよび、記録パルスの最適な時間幅を求めるための情報記録方法であって、上記光学的情報記録媒体に、少なくとも２つの記録マーク長ＭＬ２、ＭＬ８（但し、ＭＬ２＜ＭＬ８）を含んだテストパターンを生成し、上記テストパターンを、マーク長ＭＬ２に対応した異なる２つの記録パルスＷＳ１、ＷＳ２（但し、ＷＳ１のピークパワーレベルの時間幅Ｔｔ１と、ＷＳ２のピークパワーレベルの時間幅Ｔｔ２とは、異なる時間幅）と、マーク長ＭＬ８に対応した記録パルスＷＳ３含む記録パルス列に変換し、上記３つの記録パルスで、上記テストパターンを、上記試し記録領域に記録パワーを変えながら複数の記録パワーで複数のブロックを記録し、上記光学的情報記録媒体から、再生信号を得るために上記複数のブロックを再生し、上記再生信号のうち、上記記録パルスＷＳ１、ＷＳ２で記録された部分から上記記録パワーに応じた第１の信号指標を測定し、上記再生信号のうち、記録パルスＷＳ３で記録された部分から上記記録パワーに応じた第２の信号指標を測定し、上記第２の信号指標の測定結果から最適記録パワー（Ｐｗｏ）を決定し、上記第１の信号指標から上記記録パルスＷＳ１、ＷＳ２に対応したターゲット記録パワーＰｗｔ１、Ｐｗｔ２を決定し、上記Ｐｗｏ、Ｐｗｔ１、Ｐｗｔ２とＴｔ１、Ｔｔ２から、演算により上記記録マーク長ＭＬ２の記録パルスの最適な時間幅Ｔｔｏを求めることを特徴とする。
【０１６９】
また、上記本発明の一実施の形態の情報記録方法では、上記ターゲットパワーＰｗｔと上記ピークパワーレベルの時間幅Ｔｔを、
Ｐｗｔ＝Ｃ１／Ｔｔ＋Ｃ２・・・（式１）    （Ｃ１、Ｃ２は定数）
の関係式であらわし、上記ターゲットパワーＰｗｔあるいは上記ピークパワーレベルの時間幅Ｔｔの何れかを上記（式１）により演算で求めることを特徴とする。
【０１７０】
また、上記本発明の一実施の形態の情報記録方法では、上記再生信号のうち上記第１の信号指標の測定結果から、上記記録パルスＷＳ１およびＷＳ２のターゲット記録パワーＰｗｔ１、Ｐｗｔ２を決定し、上記ターゲット記録パワーＰｗｔ１、Ｐｗｔ２と、上記ピークパワーレベルの時間幅Ｔｔ１、Ｔｔ２と、上記最適記録パワー（Ｐｗｏ）とから
Ｔｔｏ＝Ｔｔ１×Ｔｔ２×（Ｐｗｔ１−Ｐｗｔ２）／｛Ｐｗｏ×（Ｔｔ２−Ｔｔ１）−（Ｔｔ２×Ｐｗｔ２−Ｔｔ１×Ｐｗｔ１）｝・・・・（式５）
を演算することにより、マーク長ＭＬ２の記録パルスの最適な時間幅Ｔｔｏを求めることを特徴とする。
【０１７１】
また、上記本発明の一実施の形態の情報記録方法は、上記光学的情報記録媒体にことなる３つの線速度（Ｌｖ１＜Ｌｖ２＜Ｌｖ３）で記録する情報記録方法であって、上記情報記録方法によって、少なくとも２つの線速度（Ｌｖ１、Ｌｖ２）における正規化された最適記録パルス幅ｎｖ１およびｎｖ２を求め、上記第３の線速度での正規化された最適記録パルス幅ｎｖ３をｎｖ３＝ｎｖ２と設定し、第１の線速度Ｌｖ１でのターゲット記録パワーＰｗｔと上記記録パルスの時間幅Ｔｔの関係式である（式１）と第２の線速度Ｌｖ２でのターゲット記録パワーＰｗｔと上記記録パルスの時間幅Ｔｔの関係式である（式１）とから、上記第３の線速度Ｌｖ３での最適記録パワーを演算することを特徴とする。
【０１７２】
また、上記本発明の一実施の形態の情報記録方法は、上記１の線速度Ｌｖ１の正規化された最適パルス幅（ｎｖ１）と、上記第２の線速度Ｌｖ２の正規化された最適パルス幅（ｎｖ２）とから、上記第３の線速度Ｌｖ３での正規化された最適パルス幅（ｎｖ３）をｎｖ３＝ｎｖ２＞ｎｖ１となる整数ｎｖ３の記録パルスの時間幅で記録することを特徴とする。
【０１７３】
また、本発明の情報記録方法は、上記第３の線速度の最適記録パルス幅ｎｖ３が、Ｔｗ／１６×ｎｖ３≧２［ｎｓ］の条件を満たすことを特徴とする。
【０１７４】
また、本発明の一実施の形態の光学的情報記録媒体は、上記何れかの情報記録方法に使用される光学的情報記録媒体であって、異なる３つの線速度Ｌｖ１＜Ｌｖ２＜Ｌｖ３で上記光学的情報記録媒体に記録し、最短マーク記録時の記録パルス列のピークパワーレベルの推奨パルス時間幅を、Ｔｔ＝ｎ×Ｔｗ／１６とあらわし（ｎは正の整数）、第１の線速度の推奨パルス値ｎ１、第２の線速度の推奨パルス値ｎ２および第３の線速度の推奨パルス値ｎ３としたとき、ｎ１、ｎ２、ｎ３の３つの値がディスク管理領域にあらかじめ記載されていることを特徴とする。
【０１７５】
また、本発明の一実施の形態の光学的情報記録媒体は、上記第３の線速度の推奨記録パルス値ｎ３が、Ｔｗ／１６×ｎ３≧２［ｎｓ］の条件を満たすことを特徴とする。
【０１７６】
また、本発明の一実施の形態の光学的情報記録再生装置は、複数のパワーでレーザ光を切り替えて照射し、情報を複数の長さのマークおよびスペースとして記録する光学的情報記録媒体に、最適な記録パワーおよび最適な記録パルス列条件で書き込みを実現するための光学的情報記録再生装置において、少なくとも２つの記録マーク長ＭＬ２、ＭＬ８（但し、ＭＬ２＜ＭＬ８）を含んだテストパターンを生成する変調手段と、テストパターンの信号に応じて、マーク長ＭＬ２に対応した異なる２つの記録パルスＷＳ１、ＷＳ２（但し、ＷＳ１のピークパワーレベルの時間幅Ｔｔ１と、ＷＳ２のピークパワーレベルの時間幅Ｔｔ２とは、異なる時間幅）と、マーク長ＭＬ８に対応した記録パルスＷＳ３含む記録パルス列に変換する記録パルス列変換手段と、上記光学的情報記録媒体にレーザパワーを制御して、上記記録パルス列で記録パワーを変えながら、複数の記録パワーで上記テストパターンを光学的情報記録媒体に記録する光照射手段と、上記光学的情報記録媒体からの再生信号を生成し、再生信号から第１および第２の信号指標を測定する再生信号処理手段と、上記第２の信号指標から最適記録パワー（Ｐｗｏ）を決定し、上記第１の信号指標からターゲット記録パワーを求め、上記最適パワーと上記ターゲット記録パワーから、演算により上記記録マーク長ＭＬ２の記録パルスの最適な時間幅Ｔｔｏを求める記録条件演算手段とを備えることを特徴とする。
【０１７７】
以上説明したように、上記実施の形態によれば、例えば、追記型光ディスク媒体へ高速書き込みを行う際、記録パワー変調時のレーザの立上がり及び立下り時間の影響や、オーバーシュート等により、精度よく記録パワーとパルス時間幅をコントロールして、良好な信号品質が得られる最適記録パワーと記録パルス列の時間幅を効率よくかつ精度よく決定する方法を提供することが出来る。
【０１７８】
本実施の形態の情報記録方法によれば、例えば、記録／再生動作の高信頼化が図られ、同時に光学的情報記録再生装置の小型化が実現されるので、コストの点で有利となる。
【０１７９】
また、本実施の形態によれば、例えば、光ディスクの内周にのみ試し記録領域が存在するような光ディスクにＣＡＶ方式で記録を行う場合にも、良好な信号品質が得られる最適記録パワーと記録パルスの時間幅を効率よくかつ精度よく決定する方法を提供することが出来る。
【産業上の利用可能性】
【０１８０】
本発明の情報記録方法、光学的情報記録再生装置、それに用いる光学的情報記録媒体、プログラム及び記録媒体は、光学的情報記録媒体への高速記録する際に、良好な信号品質が得られる少なくとも記録パルスの時間幅を従来より精度よく決定することが出来るという効果を有し、デジタル家電機器、情報処理装置を含む電気機器産業等に利用可能である。
【符号の説明】
【０１８１】
１０１    光ディスク
１０２    システム制御手段
１０３    変調手段
１０４    記録パルス列変換手段
１０５    レーザ駆動手段
１０６    光照射手段
１０７    回転制御手段
１０８    スピンドルモータ
１０９    再生信号処理手段
１１０    復調手段
１１１    記録条件演算手段
１００２    ＯＰＣ領域
１００３    ＰＩＣ領域
【手続補正２】
【補正対象書類名】特許請求の範囲
【補正対象項目名】全文
【補正方法】変更
【補正の内容】
【特許請求の範囲】
【請求項１】
光学的情報記録媒体に、レーザ光の所望の記録パワー及び記録パルスの所望の時間幅により情報を記録する情報記録方法であって、
第１の記録マーク長と、前記第１の記録マーク長より長い第２の記録マーク長とを含むテストパターンを生成するテストパターン生成ステップと、
前記生成されたテストパターンを、前記第１の記録マーク長に対応したそれぞれ時間幅の異なる試し書き用記録パルスと、前記第２の記録マーク長に対応した第２の試し書き用記録パルスとを含む記録パルス列に変換する記録パルス列変換ステップと、
前記レーザ光を制御することにより記録パワーを順次変更し、前記光学的情報記録媒体の所定領域に前記記録パルス列に基づいて前記テストパターンを記録する記録ステップと、
前記所定領域から得られた再生信号に基づいて、前記変更されたそれぞれの記録パワーに対応した第１の信号指標を前記時間幅の異なる各試し書き用記録パルス毎に取得し、前記取得した第１の信号指標と前記記録パワーとの関係を第１の信号指標特性として保持し、且つ、前記再生信号の内、前記第２の試し書き用記録パルスに対応する部分に基づいて、前記それぞれの記録パワーに応じた第２の信号指標を取得し、前記取得した第２の信号指標と前記記録パワーとの関係を第２の信号指標特性として保持する再生ステップと、
前記第２の信号指標特性に基づいて、前記第１の記録マーク長の記録パルスに用いる前記所望の記録パワーを求め、且つ、（ａ）その求めた前記所望の記録パワーと、（ｂ）前記時間幅の異なる試し書き用記録パルス毎に保持される前記第１の信号指標特性から、推奨された第１の信号指標を用いて求めた各ターゲット記録パワーと、（ｃ）前記異なる各時間幅と、を利用して、予め定めたルールに基づいて前記第１の記録マーク長の記録パルスの前記所望の時間幅を求める処理ステップと、を備えた情報記録方法。
【請求項２】
前記第１の信号指標は、前記再生信号のアシンメトリ又はβ値であり、
前記第２の信号指標は、前記再生信号の変調度であり、
前記再生ステップは、前記第１の信号指標を、前記時間幅の異なる各試し書き用記録パルス毎に取得する際、前記時間幅の異なる各試し書き用記録パルスの再生信号と、前記第２の試し書き用記録パルスの再生信号とを利用する、請求項１記載の情報記録方法。
【請求項３】
前記第１の信号指標は、前記第１の記録マーク長の再生信号レベルと、未記録状態の部位での反射光の再生信号レベルとを利用して得られる信号指標である、請求項１記載の情報記録方法。
【請求項４】
前記時間幅の異なる試し書き用記録パルスのそれぞれの幅をＴｔ１，Ｔｔ２とし、それぞれの前記ターゲット記録パワーをＰｗｔ１，Ｐｗｔ２とした場合、前記処理ステップは、下記の式１の関係が成り立つことを利用して、定数Ｃ１，Ｃ２を求める請求項１記載の情報記録方法。
Ｐｗｔ＝Ｃ１／Ｔｔ＋Ｃ２・・・式１（ただし、Ｃ１，Ｃ２は定数）
【請求項５】
前記予め定めたルールに基づいて前記第１の記録マーク長の記録パルスの前記所望の時間幅を求めるとは、
前記所望の時間幅をＴｔｏとし、前記所望の記録パワーをＰｗｏとした場合、下記の式５を用いて、前記Ｔｔｏを求めることである、請求項４記載の情報記録方法。
Ｔｔｏ＝Ｔｔ１×Ｔｔ２×（Ｐｗｔ１−Ｐｗｔ２）／｛Ｐｗｏ×（Ｔｔ２−Ｔｔ１）−（Ｔｔ２×Ｐｗｔ２−Ｔｔ１×Ｐｗｔ１）｝・・・・式５
【請求項６】
前記テストパターンは、前記第１の記録マーク長に対応して前記レーザの照射の制御により形成されるマークとスペースの繰り返し信号と、前記第２の記録マーク長に対応して前記レーザの照射の制御により形成されるマークとスペースの繰り返し信号とを含む、請求項１記載の情報記録方法。
【請求項７】
前記第１の記録マーク長は、最短長さ２Ｔの記録マーク長であり、
前記テストパターンは、２Ｔのマークと２Ｔのスペースの繰り返し信号と、前記第２のマーク長に対応した５Ｔ〜９Ｔのうち少なくとも１つの長さのマークとスペースの繰り返し信号とを含む、請求項６記載の情報記録方法。
【請求項８】
前記第１の記録マーク長は、最短長さの記録マーク長を３Ｔと表した場合に３Ｔの記録マーク長であり、
前記テストパターンは、３Ｔのマークと３Ｔのスペースの繰り返し信号と、前記第２のマーク長に対応した６Ｔ〜１４Ｔのうち少なくとも１つの長さのマークとスペースの繰り返し信号とを含む、請求項６記載の情報記録方法。
【請求項９】
前記テストパターンは、前記各マーク長の出現頻度が実質上一定のランダム信号である、請求項１記載の情報記録方法。
【請求項１０】
前記テストパターンは、１７ＰＰ変調あるいは８−１６変調された任意のランダム信号である、請求項１記載の情報記録方法。
【請求項１１】
前記記録ステップでは、前記記録パワーを変えながら複数の前記テストパターンを連続して記録し、
前記再生ステップでは、前記複数のテストパターンを連続して再生する、請求項１記載の情報記録方法。
【請求項１２】
基準時間幅をＴｗとし、前記第１の記録マーク長の時間幅は、Ｔｗ／１６の整数倍単位（ｎ：整数）に正規化して設定する、請求項１記載の情報記録方法。
【請求項１３】
光学的情報記録媒体に、少なくとも異なる第１、第２及び第３の線速度Ｌｖ１、Ｌｖ２、Ｌｖ３（但し、Ｌｖ１＜Ｌｖ２＜Ｌｖ３）で情報を記録する情報記録方法であって、
請求項１から１２の何れかに記載の情報記録方法を利用して前記所望の時間幅に対応する情報として、少なくとも前記第１及び第２の線速度Ｌｖ１、Ｌｖ２における正規化された最適記録パルス幅ｎｖ１およびｎｖ２に関する値を求めるステップと、
前記正規化された最適記録パルス幅ｎｖ２に関する値が、（ａ）予め定められた基準値以上であれば、前記第１の線速度Ｌｖ１でのターゲット記録パワーＰｗｔと前記記録パルスの時間幅Ｔｔとの所定の関係を用いて前記正規化された最適記録パルス幅ｎｖ２に関する値に対応するターゲット記録パワーＰｗｔ１２を求め、（ｂ）前記基準値未満であれば、前記第１の線速度Ｌｖ１でのターゲット記録パワーＰｗｔと前記記録パルスの時間幅Ｔｔとの所定の関係を用いて前記第３の線速度における正規化された最適記録パルス幅ｎｖ３に関する値に対応するターゲット記録パワーＰｗｔ１３を求め、且つ、前記第２の線速度Ｌｖ２でのターゲット記録パワーＰｗｔと前記記録パルスの時間幅Ｔｔとの所定の関係を用いて前記最適記録パルス幅ｎｖ３に関する値に対応するターゲット記録パワーＰｗｔ２３を求めるターゲット記録パワー取得ステップと、
前記求めたターゲット記録パワーを利用して、前記第３の線速度Ｌｖ３での最適記録パワーを求める最適記録パワー取得ステップと、
を備えた情報記録方法。
【請求項１４】
前記記録パルスの時間幅Ｔｔは、前記第１の記録マーク長に対応したそれぞれ時間幅の異なる試し書き用記録パルスの時間幅Ｔｔであり、
前記所定の関係とは、前記時間幅の異なる各試し書き用記録パルスの時間幅Ｔｔと、前記Ｔｔに対応するターゲット記録パワーＰｗｔとが、下記の式１を満たす関係である、請求項１３記載の情報記録方法。
Ｐｗｔ＝Ｃ１／Ｔｔ＋Ｃ２・・・式１（ただし、Ｃ１，Ｃ２は定数）
【請求項１５】
前記正規化された最適記録パルス幅ｎｖ２が、前記予め定められた基準値以上であれば、前記第３の線速度Ｌｖ３における正規化された最適パルス幅ｎｖ３を、ｎｖ３＝ｎｖ２＞ｎｖ１となる整数ｎｖ３として決定する、請求項１３記載の情報記録方法。
【請求項１６】
前記第３の線速度Ｌｖ３の最適記録パルス幅ｎｖ３は、Ｔｗ／１６×ｎｖ３≧２［ｎｓ］の条件を満たす、請求項１３から１５のいずれかに記載の情報記録方法。
【請求項１７】
前記第３の線速度Ｌｖ３で記録する際のチャネルクロックは３３０ＭＨｚ以上である、請求項１３から１５のいずれかに記載の情報記録方法。
【請求項１８】
請求項１から１３の何れかに記載の情報記録方法に使用される前記光学的情報記録媒体であって、
前記光学的情報記録媒体への情報の記録は、第１，第２及び第３の線速度Ｌｖ１、Ｌｖ２、Ｌｖ３（但し、Ｌｖ１＜Ｌｖ２＜Ｌｖ３）で行われるものであり、
最短マーク記録時の前記記録パルス列のピークパワーレベルの推奨パルス時間幅を、Ｔｔ＝ｎ×Ｔｗ／１６とあらわし（ｎは正の整数）、前記第１の線速度での推奨パルス幅をｎ１、前記第２の線速度での推奨パルス幅をｎ２、および前記第３の線速度での推奨パルス幅をｎ３としたとき、前記ｎ１、ｎ２、ｎ３の値が、前記光学的情報記録媒体のディスク管理領域にあらかじめ記載されている、光学的情報記録媒体。
【請求項１９】
前記３つの推奨パルス幅が、ｎ１＝ｎ２＝ｎ３である、請求項１８記載の光学的情報記録媒体。
【請求項２０】
前記３つの推奨パルス幅が、ｎ２／ｎ１＝ｎ３／ｎ２である、請求項１８記載の光学的情報記録媒体。
【請求項２１】
前記３つの推奨パルス幅が、ｎ３＝ｎ２≧ｎ１である、請求項１８記載の光学的情報記録媒体。
【請求項２２】
前記第３の線速度の推奨パルス幅の値ｎ３は、Ｔｗ／１６×ｎ３≧２［ｎｓ］の条件を満たす、請求項１８記載の光学的情報記録媒体。
【請求項２３】
光学的情報記録媒体に、レーザ光の所望の記録パワー及び記録パルスの所望の時間幅により情報を記録する光学的情報記録再生装置であって、
第１の記録マーク長と、前記第１の記録マーク長より長い第２の記録マーク長とを含むテストパターンを生成する変調部と、
前記生成されたテストパターンを、前記第１の記録マーク長に対応したそれぞれ時間幅の異なる試し書き用記録パルスと、前記第２の記録マーク長に対応した第２の試し書き用記録パルスとを含む記録パルス列に変換する記録パルス列変換部と、
前記レーザ光を制御することにより記録パワーを順次変更し、前記光学的情報記録媒体の所定領域に前記記録パルス列に基づいて前記テストパターンを記録する光照射部と、
前記所定領域から得られた再生信号に基づいて、前記変更されたそれぞれの記録パワーに対応した第１の信号指標を前記時間幅の異なる各試し書き用記録パルス毎に取得し、前記取得した第１の信号指標と前記記録パワーとの関係を第１の信号指標特性として保持し、且つ、前記再生信号の内、前記第２の試し書き用記録パルスに対応する部分に基づいて、前記それぞれの記録パワーに応じた第２の信号指標を取得し、前記取得した第２の信号指標と前記記録パワーとの関係を第２の信号指標特性として保持する再生信号処理部と、
前記第２の信号指標特性に基づいて、前記第１の記録マーク長の記録パルスに用いる前記所望の記録パワーを求め、且つ、（ａ）その求めた前記所望の記録パワーと、（ｂ）前記時間幅の異なる各試し書き用記録パルス毎に保持される前記第１の信号指標特性から、推奨された第１の信号指標を用いて求めた各ターゲット記録パワーと、（ｃ）前記異なる各時間幅と、を利用して、予め定めたルールに基づいて前記第１の記録マーク長の記録パルスの前記所望の時間幅を求める記録条件取得部と、
を備えた光学的情報記録再生装置。
【請求項２４】
前記第１の信号指標は、前記再生信号のアシンメトリ又はβ値であり、
前記第２の信号指標は、前記再生信号の変調度であり、
前記再生信号処理部は、前記第１の信号指標を、前記時間幅の異なる各試し書き用記録パルス毎に取得する際、前記時間幅の異なる各試し書き用記録パルスの再生信号と、前記第２の試し書き用記録パルスの再生信号とを利用する、請求項２３記載の光学的情報記録再生装置。
【請求項２５】
前記第１の信号指標は、前記第１の記録マーク長の再生信号レベルと、未記録状態の部位での反射光の再生信号レベルとを利用して得られる信号指標である、請求項２３記載の光学的情報記録再生装置。
【請求項２６】
前記時間幅の異なる試し書き用記録パルスのそれぞれの幅をＴｔ１，Ｔｔ２とし、それぞれの前記ターゲット記録パワーをＰｗｔ１，Ｐｗｔ２とした場合、前記記録条件取得部は、下記の式１の関係が成り立つことを利用して、定数Ｃ１、Ｃ２を求める請求項２３記載の光学的情報記録再生装置。
Ｐｗｔ＝Ｃ１／Ｔｔ＋Ｃ２・・・式１（ただし、Ｃ１，Ｃ２は定数）
【請求項２７】
前記予め定めたルールに基づいて前記第１の記録マーク長の記録パルスの前記所望の時間幅を求めるとは、
前記所望の時間幅をＴｔｏとし、前記所望の記録パワーをＰｗｏとした場合、下記の式５を用いて、前記Ｔｔｏを求めることである、請求項２６記載の光学的情報記録再生装置。
Ｔｔｏ＝Ｔｔ１×Ｔｔ２×（Ｐｗｔ１−Ｐｗｔ２）／｛Ｐｗｏ×（Ｔｔ２−Ｔｔ１）−（Ｔｔ２×Ｐｗｔ２−Ｔｔ１×Ｐｗｔ１）｝・・・・式５
【請求項２８】
請求項１記載の情報記録方法の、前記第２の信号指標特性に基づいて、前記第１の記録マーク長の記録パルスに用いる前記所望の記録パワーを求め、且つ、（ａ）その求めた前記所望の記録パワーと、（ｂ）前記時間幅の異なる各試し書き用記録パルス毎に保持される前記第１の信号指標特性から、推奨された第１の信号指標を用いて求めた各ターゲット記録パワーと、（ｃ）前記異なる各時間幅と、を利用して、予め定めたルールに基づいて前記第１の記録マーク長の記録パルスの前記所望の時間幅を求める処理ステップをコンピュータに実行させるプログラム。
【請求項２９】
請求項１３記載の情報記録方法の、前記正規化された最適記録パルス幅ｎｖ２に関する値が、（ａ）予め定められた基準値以上であれば、前記第１の線速度Ｌｖ１でのターゲット記録パワーＰｗｔと前記記録パルスの時間幅Ｔｔとの所定の関係を用いて前記正規化された最適記録パルス幅ｎｖ２に関する値に対応するターゲット記録パワーＰｗｔ１２を求め、（ｂ）前記基準値未満であれば、前記第１の線速度Ｌｖ１でのターゲット記録パワーＰｗｔと前記記録パルスの時間幅Ｔｔとの所定の関係を用いて前記第３の線速度における正規化された最適記録パルス幅ｎｖ３に関する値に対応するターゲット記録パワーＰｗｔ１３を求め、且つ、前記第２の線速度Ｌｖ２でのターゲット記録パワーＰｗｔと前記記録パルスの時間幅Ｔｔとの所定の関係を用いて前記最適記録パルス幅ｎｖ３に関する値に対応するターゲット記録パワーＰｗｔ２３を求めるターゲット記録パワー取得ステップと、
前記求めたターゲット記録パワーを利用して、前記第３の線速度Ｌｖ３での最適記録パワーを求める最適記録パワー取得ステップと、をコンピュータに実行させるプログラム。
【請求項３０】
請求項２８又は２９記載のプログラムを記録した記録媒体であって、コンピュータにより処理可能な記録媒体。
【手続補正３】
【補正対象書類名】図面
【補正対象項目名】全図
【補正方法】変更
【補正の内容】
【図１】
2008139714.tif 000020
【図２】
2008139714.tif 000021
【図３】
2008139714.tif 000022
【図４】
2008139714.tif 000023
【図５】
2008139714.tif 000024
【図６】
2008139714.tif 000025
【図７】
2008139714.tif 000026
【図８】
2008139714.tif 000027
【図９】
2008139714.tif 000028
【図１０】
2008139714.tif 000029
【図１１】
2008139714.tif 000030
【図１２】
2008139714.tif 000031
【図１３】
2008139714.tif 000032
【図１４】
2008139714.tif 000033
【図１５】
2008139714.tif 000034
【図１６】
2008139714.tif 000035
【図１７】
2008139714.tif 000036
【国際調査報告】
2008139714.tif 000037
2008139714.tif 000038
2008139714.tif 000039
2008139714.tif 000040